(57)【特許請求の範囲】
【請求項１】
ファルネシルピロリン酸（ＦＰＰ）またはゲラニルゲラニルピロリン酸（ＧＧＰＰ）中間体由来のイソプレノイド生成物を増大された量で生成する方法において、
（ａ）ヒドロキシメチルグルタリル（ＨＭＧ）ＣｏＡをメバロン酸へ変換する酵素、
メバロン酸をホスホメバロン酸へ変換する酵素、
ホスホメバロン酸をホスホメバロネートへ変換する酵素、および
ホスホメバロネートをイソペンテニルピロリン酸へ変換する酵素
をコードする１つまたは複数の異種由来の核酸分子を有し、かつスクアレン・シンターゼの作用を低下された酵母を、ＦＰＰまたはＧＧＰＰ由来のイソプレノイド生成物を増大された量で生成させるべく、発酵培地中で培養するステップと、
（ｂ）前記生成物を回収するステップとを含む方法。
【請求項２】
前記イソプレノイド化合物は、ステロール、ユビキノン、ヘム、ドリコール、及びカルチノイドである請求項１に記載の方法。
【請求項３】
前記酵母がスクアレン・シンターゼの作用を低下させるように遺伝子修飾されていることを特徴とする請求項２記載の方法。
【請求項４】
前記酵母は誘導性プロモータまたは抑制性プロモータの制御下にあるスクアレン・シンターゼ遺伝子を有する請求項３記載の方法。
【請求項５】
前記スクアレン・シンターゼ遺伝子は誘導性プロモータの制御下にあり、前記酵母は前記プロモータの誘導化合物が培地から欠乏した条件で培養される請求項４記載の方法。
【請求項６】
前記発酵培地はスクアレン・シンターゼ阻害剤を含む請求項１に記載の方法。
【請求項７】
前記酵母がｅｒｇ９突然変異体である請求項１に記載の方法。
【請求項８】
前記酵母がファルネシル・ピロリン酸・シンターゼの作用を増大させるように遺伝子修飾されている請求項１〜７のいずれかに記載の方法。
【請求項９】
前記酵母がファルネシル・ピロリン酸・シンターゼを過剰発現するように遺伝子修飾されている請求項８に記載の方法。
【請求項１０】
前記イソプレノイド生成物をα−トコフェノールまたはα−トコフ
ェニル・エステルに化学的に転化するステップをさらに含む請求項１〜９のいずれかに記載の方法。
【発明の詳細な説明】
【０００１】
【発明の分野】
本発明はビタミンを生産する方法に関し、特に、ビタミンＡ及びＥとそれらに関連する化合物の生産に関する。
【０００２】
【発明の背景】
ビタミン（ｄ−アルファ−トコフェロール、１）はヒト及び動物において重要な栄養補給源である。化合物１は種々の植物油からの単離、あるいは半合成的に関連する天然由来のｄ−ガンマ−トコフェロール２の環メチル化によって商業的に提供されている。ビタミンＥのより重要な供給源は完全な合成で、これはｄ，１−アルファ−トコフェロール３を提供する。異性体３の混合物であるが、組成物３は組成物１の生物活性の大部分を提供し、その価格の低さと利用性の高さから広く用いられている。ビタミンE の一般的な論議については、Ｌ．Machlin 編集の“Vitamin E: A Comprehensive Treatise _, Marcel Dekker, NY, 1980を参照されたい。
【０００３】
【化３】
0004579415.tif 000002
これはｄ，１−アルファ−トコフェロール３はトリメチルハイドロキノン４を酸触媒、多くの場合塩化亜鉛などのルイス酸の存在下でフィトール５またはイソフィトール６と反応させることによって得られる。この技術はS ．KasparekによってL ．Machlin 編集、Vitamin   E ：A Comprehensive Treatise、第2 章
【０００４】
、ｐｐ８−６５、MArcel  Dekker、NY、19６5 によって検討されている。この章の参考文献140 −1 66 は化合物３を調製するための詳細な方法に関する主要参考文献である。
【０００５】
【化４】
0004579415.tif 000003
組成物３の調製に必要なイソフィトール６あるいはフィトール５は複数工程による合成を通じて得られる。開始物質は通常、アセトン（Kasparek、Machlin 、Vitamin   E ：  Ａ Comprehensive Treatise 、pp．44−45、Dekker、NY  1980及びそこに引用されている参考文献参照）及び環状イソプレン・トリマー（Pondら、米国特許No．3 ，917 ，710 及び3 ，862 ，988 （1975）参照）を含んでいる。
【０００６】
さらに、ガンマ−トコフェロールは最初、Jacob ，Steiger 及びWilcoxによって総合成によってつくられた（Ｊ．Chem．Soc ．1939、542 ）。これらの研究者は２，３−ジメチルハイドロキノンのモノゼンゾエート・エステルを塩化亜鉛の存在下で臭化フィチルと反応させて、その後、ベンゾエートから取り除いて、低収率（22％）のガンマ−トコフェロールを得た。公開されたトコフェロール及びトコトリエノールの合成はS ．KasparekによってL ．Machlin 、“Vitamin   E ：Ａ Comprehensive Treatise ”，Dekker，NY，1980で検討されたが、ガンマ−トコフェロールを調製する他の方法は記録されていない。
【０００７】
ビタミンE 系列の化合物を調製したり単離したりするための種々の方法が知られているにも拘わらず、より改良された、そしてより効率的な生産方法に対するニーズは依然として存在している。
【０００８】
ビタミンＡ（レチノール）及びプロビタミンＡ  β−カロテンは医薬品、食品及び食事添加物などで用いられている。ビタミンＡ酢酸塩（酢酸レチニル）、プロピオン酸塩（プロピオン酸レチニル）、及びパルミチン酸塩（パルミチン酸レチニル）は最も一般的に用いられているビタミンＡ誘導体である。現在商業的に生産されているビタミンＡ、ビタミンＡエステル、及びβ−カロテンのすべては食品源として単離されるいくつかのビタミンを除いて総化学合成で生産されている。
【０００９】
一般的にはKirk−Othmer Encyclopedi Ａ  of ChemicＡlTechnology ，Vol.24、140 −150 ページ（３版、1984）。
【００１０】
ビタミンＡ及びビタミンＡエステル生産のためのより改良された経済的な方法に対するニーズは存在している。
（発明の詳細な説明）
１．０  はじめに
本発明は１つの生物学的システムがファルネソールまたはゲラニルゲラニオル（GG）を生産するために用いられるα−トコフェロールまたはα−トコフェロール・エステル類を生産するための方法を提供する。ファルネソールは最終的な生成物であるα−トコフェロール・エステルを化学的に合成するための開始物質として用いることができる。また、生物学的あるいはファルネソールからの合成によって合成されるGGはα−トコフェロール及びα−トコフェロール・エステルをつくるための開始物質として用いることができる。本発明はまた、生物学的生産によるファルネソールまたはGGの生産において有益な生物学的素材や中間物の種々の側面も含んでいる。本発明はまた、いずれかの方法でつくられたファルネソールまたはGGを開始物質として用いることによってα−トコフェロール及びα−トコフェロール・エステルを生産するための方法も含んでいる。
【００１１】
本発明はさらに、ファルネソールからビタミンＡを生産するための方法にも向けられている。１つの好ましい実施の形態で、ファルネソールは生物学的につくられる。
【００１２】
２．０  ファルネソール及びGGの生物学的生産
イソプレノイド類は最大の系列の天然生成物で、およぼ22，000 もの異なった構造が知られている。すべてのイソプレノイド類はC 5化合物であるイソペンチルピロリン酸（IPP ）から誘導される。従って、すべてのイソプレノイド化合物の炭素骨格は成長するポリプレノイド鎖にC 5単位を連続的に付加することでつくられる。
【００１３】
IPP からイソプレノイドに導く生合成ステップは普遍的であるが、IPP に導く２つの異なった経路が存在する。（酵母）などの真菌と動物は（図１Ａに示すような）公知のメバロン酸経路を保有しており、この経路はアセチルCoＡを開始前駆体として使用する。他方、微生物と高等植物は新しく発見された、本明細書では非メバロン酸経路と呼ばれることもあるメバロン酸経路を有しており（図１B 参照）、この経路はピルビン酸及びグリセルアルデヒド３−リン酸［Lois  ら, Proc. Natl. Acad. Sci. US A, 95, 2105-2110 (1998); Rohmerら., J. Am. Soc. 118, 2564-2566 (1996); Arigoni,ら, Natl. Acad. Sci. USA, 94, 10600-10605 (1997); Lange ら, Proc. Natl. Acad. Sci. USA, 95, 2100-2104 (1998)］。（微小藻類を含む）植物においては、メバロン酸依存及び非依存経路の両方が存在しており、前者が細胞質系であるのにたいして後者が色素体系であることが知られている［Arigoni ら, Proc. Natl. Acad. Sci. USA, 94, 10600-10605 (1997); Lange ら, Proc. Natl. Acad. Sci. USA, 95, 2100-2104 (1998)］。メバロン酸非依存経路のいくつかのステップはすでに確定されている。第1 のステップは、D −１−デオキシキシルロース５−リン酸・シンターゼによる触媒作用を受けてピルベート酸塩及びグリセルアルデヒド・３−リン酸からD −１−デオキシキシロース・５−リン酸を形成する。第２及び第３のステップは、D −1 −デオキシキシルロース・５−リン酸・リダクトイソメラーゼの触媒作用を受けて、D −1 −デオキシキシルロース・５−リン酸の２−C −メチル・D ・エリトリトール−４−P （MEP ）への転化を触媒する。MEP をIPP に転化するにはさらに他のいくつかの反応が必要であり、これらの酵素は現時点では知られていない。［Loisら, Proc. Natl. Acad. Sci. USA, 95, 2105-2110(1998); Takahashiら, Proc. Na tl. Acad. Sci. USA, 95, 2100-2104 (1998); Duvold  ら, Tetrahedron Letters, 38, 4769-4772 (1997) ］。
【００１４】
ファルネソール及びＧＧはそれぞれファルネシルプリロリン酸（ＦＰＰ）及びゲラニルゲラニルピロリン酸（ＧＧＰＰ）を脱リン酸化することによってつくられるプレニル・アルコール類である。ＦＰＰとＧＧＰＰはステロール類、ユビキノン、ヘム、ドリコール、及びカルチノイドなどを含むイソプレノイド化合物の生合成における中間物であり、蛋白質の翻訳後プレニル化で用いられる。ＦＰＰとＧＧＰＰは両方ともＩＰＰから誘導される。本発明の実施の形態はそれらの生物がすべてのイソプレノイド類の前駆体、ＩＰＰの生合成のためにメバロン酸に依存した、あるいは依存しない経路を利用するかどうかには関係なく、原核または真核細胞培養及び細胞を含まない系でのファルネソールやＧＧの生物生産を含んでいる。ここでファルネシル・リン酸あるいはゲラニルゲラニル・リン酸について触れる際は、特に具体的な形式が表示されない場合は、モノ−、ジ−、及びトリ−リン酸化合物を含んでいる。
【００１５】
２．１  改良微生物
ファルネソール及びＧＧを生産するための適切な生物学的システムは原核性及び真核性培養及び細胞を含まない系を含んでいる。好ましい生物学的システムとしては真菌、細菌、及び微小藻類系である。より好ましい生物学的システムは真菌細胞培養、さらに好ましくは酵母培養、そして最も好ましくはＳａｃｃｈａｒｏｍｙｃｅｓ  ｃｅｒｅｖｉｓｉａｅ細胞培養である。真菌が好ましいのは、それらが工業的プロセスでの使用に長い歴史を有しており、伝統的な微生物学的手法と遺伝子工学的手法の両方で操作できるからである。特に酵母は遺伝子的によく特徴づけが行われている。実際、Ｓａｃｃｈａｒｏｍｙｃｅｓ  ｃｅｒｅｖｉｓｉａｅのゲノム全体の配列決定が行われており、イソプレノイド経路の酵素をコードする遺伝子もすでにクローンされている。また、Ｓａｃｃｈａｒｏｍｙｃｅｓ  ｃｅｒｅｖｉｓｉａｅは高い細胞密度に成長し、細胞乾重量で最大１６％ものスクアレン及びエルゴステロールの量が遺伝子的に操作された細胞系統で報告されている。酵母におけるイソプレノイド経路の最近の研究動向に関しては、Parks   And   Casey  ，Annu．Rev ．Microbiol ．  49：95−116 （1995）参照。好ましい原核生物は大腸菌である。大腸菌は代謝物質（アミノ酸、ビタミン）及びいくつかの遺伝子組換え蛋白質の生産において用いられる工業用微生物として十分にその位置が確立されている。大腸菌ゲノム全体についても配列決定が行われており、遺伝子システムは高度に開発されている。
【００１６】
上にも述べたように、大腸菌はＩＰＰを合成するためにメバロン酸非依存経路を用いている。それぞれ、Ｄ−１−デオキシキシロース  ５−リン酸・シンターゼ、D −１−デオキシキシロース  ５−リン酸・リダクトイソメラーゼ、ＩＰＰイソメラーゼ、及びＦＰＰシンターゼをコード発現する大腸菌ｄｘｓ、ｄｘｒ、ｉｄｉ及びｉｓｐＡ遺伝子はすでにクローンされ、配列決定も行われている［Fujisaki，et．al，Ｊ．Biochem ．108 ：995 −1000（1990）；  Lois  et．al，Proc．Natl．Ａcad ．Sci ．USA ，95：2105−2110（1998）；  Hemmi   et．al．，Ｊ．Biochem ．，123 ：1088−1096（19 98）］。
【００１７】
本発明での使用のために好ましい微小藻類はクロレラ及びプロトテカである。ファルネソール及びＧＧ生産において役立つ適切な生物はアメリカン・タイプ・カルチャー・コレクション（ＡＴＣＣ、Ｒｏｃｋｖｉｌｌｅ，ＭＤ）、カルチャー・コレクション・オブ・アルジー（ＵＴＥＸ：  Ａｕｓｔｉｎ，ＴＸ）、ノーザン・リージョナル・リサーチ・ラボラトリ（ＮＲＲＬ：  ＰｅｏｒｉＡ，ＩＬ）及び大腸菌遺伝子ストックセンター（ＣＧＳＣ：Ｎｅｗ  ＨＡｖｅｎ，ＣＴ）など多数の供給源から入手することができる。特に、例えば、カリフォルニア大学（Ｂｅｒｋｅｌｅｙ，ＣＡ）のＪＡｓｐｅｒ  Ｒｉｎｅ及びノースカロライナ州立大学（ＲＡｌｅｉｇｈ，ＮＣ）などから入手できるイソプレノイド経路の研究に使われたＳ．ｃｅｒｅｖｉｓｉＡｅの培養コレクションがある。
【００１８】
好ましくは、この細胞培養で用いられる細胞はファルネソールまたはＧＧの収率を増大させるように遺伝子的修飾されている。細胞は遺伝子加工技術（遺伝子組換え技術）、従来の微生物学的手法、あるいはそれらの技術の組み合わせで遺伝子修飾することができ、天然由来の遺伝子的変種も含むことができる。こうした技術の一部は一般的に、例えば、Sambrook et．al．，1989，Molecular Cloning： A Laboratory Manual，Cold Spring Harbor Labs Pressなどに開示されている。上記Ｓaｍｂｒｏｏｋらの文献はここで参照することでその全体が本明細書に組み込まれている。遺伝子修飾された微生物はそうした修飾がその微生物内部あるいは培養上清内でのファルネソールまたはＧＧの収率増大に対して望ましい影響をもたらすことができるような方法で、核酸分子が挿入、欠失、修飾されたりする（つまり、例えば、核酸の挿入、欠失、置換及び／または逆位によって突然変異される）微生物を含んでいる。
【００１９】
ここで述べられている遺伝子、その遺伝子の機能、あるいはその遺伝子発現量（つまり遺伝子にコードされた蛋白質）の低下をもたらす遺伝子修飾は遺伝子の（完全または部分的）不活性化、消失、中断、遮断、あるいはダウン・レギュレーションと呼ばれる場合もある。例えば、そうした遺伝子にコードされる蛋白質の機能の低下をもたらす遺伝子の遺伝子修飾はその遺伝子の完全な消失（つまり、その遺伝子が存在せず、従ってその蛋白質も存在しない）、その蛋白質の翻訳が不完全であったりあるいは翻訳が行われなかったりするようなその遺伝子における突然変異（例えば、蛋白質が発現されない）、あるいはその蛋白質の本来の機能を減少させてしまうか無くしてしまうような遺伝子における突然変異（例えば、酵素活性が低下した、あるいは酵素活性を持たない蛋白質が発現される）などの結果であり得る。遺伝子発現または機能の増大につながる遺伝子修飾は遺伝子の増幅、過剰生産、過剰発現、活性化、増強、付加、あるいはアップ・レギュレーションと呼ばれる。遺伝子発現を増大させるためのクローンされた遺伝子の付加はそのクローンされた遺伝子をプラスミド上での保持すること、そのクローンされた遺伝子を生産生物のゲノム内に組み込むことなどを含む。さらに、望ましいクローンされた遺伝子の発現の増大はそのクローンされた遺伝子と天然の、あるいは外来性の転写制御要素への操作による結合を含む場合もある。
【００２０】
２．１．１  スクアレン・シンターゼの修飾
本発明の実施の形態はそのイソプレノイド生合成経路内の１つまたは複数の酵素の活性を調節するために遺伝子修飾された微生物、好ましくは酵母を培養することでファルネソールまたはＧＧの生物学的生産を含んでいる。１つの実施の形態で、微生物はスクアレン・シンターゼ活性を低下（あるいは消失）させることで遺伝子修飾されている（図１参照）。例えば、メバロン酸をスクアレンに転化することができない、そしてファルネソールを蓄積する酵母ｅｒｇ９突然変異体が開発されている。Karst and Lacroute, Molec. Gen. Genet., 154, 269-277 (1977);米国特許第５，５９８，３７２。本明細書で用いられる場合、ｅｒｇ９突然変異体あるいは突然変異とは一般的にはスクアレン・シンターゼ生産の停止や減少、スクアレン・シンターゼ活性の低下、あるいはスクアレン・シンターゼ活性の抑制などによる、ホスファターゼ活性によるファルネソールへの転化などファルネソールピロリン酸（ＦＰＰ）の他の化合物へ転化されなければファルネソールピロリン酸（ＦＰＰ）の蓄積をもたらすようなスクアレン・シンターゼの活性を低下させる遺伝子修飾を意味している。スクアレン・シンターゼ生産の停止あるいは減少ということはＥＲＧ９遺伝子を培地中で誘導化合物の存在を必要とするプロモータの制御下に置くことを含む場合もある。その誘導因子が培地から枯渇してしまうような状態を確立することで、ＥＲＧ９の発現（従って、スクアレン・シンターゼ合成）を中止させてしまうことができるであろう。また、いくつかのプロモータも抑制性化合物の存在によってその存在を抑制されてしまう。例えば、酵母ＣＴＲ３またはＣＴＲ１遺伝子からのプロモータは銅の転化で抑制することができる。スクアレン・シンターゼ活性の停止や減少は参照によって本明細書に組み込まれる米国特許第４，７４３，５４６に述べられているのと同様の切除技術の使用を含む場合もあろう。この方式の場合、ＥＲＧ９遺伝子はそのゲノムからのＥＲＧ9 遺伝子の特殊な、制御された切除を可能にする特殊な遺伝子配列間でクローンされる。切除は、例えば、米国特許第４，７４３，５４６に述べられているような培養温度の変化、あるいは他のいくつかの物理的または栄養的信号によって促進される場合もあるであろう。そうした遺伝子修飾にはいずれのタイプの修飾も含まれるが、特に遺伝子組換え技術によって行われる修飾と、従来の突然変異誘発による修飾が含まれる。スクアレン・シンターゼの阻害剤は公知であり（米国特許第４，８７１，７２１及び米国特許第５，４７５，０２９に引用されている文献参照）、細胞培養に付加することができる。別の実施の形態で、メバロン酸に依存しないイソプレノイド生合成経路がＦＰＰ及び／またはファルネソールを蓄積するように遺伝子修飾される。例えば、オクタプレニル・ピロリン酸・シンターゼ（ｉｓｐＢ遺伝子の生成物）の活性を低下させると、大腸菌におけるＦＰＰ蓄積をもたらすことが予想される。（(Asai, et al., Biochem. Biophys. Res. Comm. 202, 340-345(1994)).ホスファターゼの作用はさらに大腸菌でのファルネソール蓄積をもたらすであろう。
【００２１】
酵母細胞系統は細胞膜流動性のためにエルゴステロールを必要としており、従って、ｅｒｇ９突然変異などのエルゴステロール経路で遮断された突然変異体はそれらの細胞が成長可能性を維持するために、外来性のエルゴステロールあるいはその培養液に付加された他のステロールを必要とする。これらの細胞は通常嫌気性条件下で育てられなければ、こうした追加的なステロールを活用することができない。従って、本発明のさらに別の実施の形態はｅｒｇ９突然変異体などの内部でのスクアレン・シンターゼの作用が減少した、そして外部から補給されたステロール類を嫌気条件下で摂取する酵母である。酵母が好気性条件下でステロールを活用できるようにする遺伝子修飾は以下の実施例の個所（実施例１参照）に示されており、この技術分野では公知である。例えば、そうした遺伝子修飾はｕｐｃ（細胞が好気性条件下でステロールを摂取するようにする摂取制御突然変異）及びｈｅｍｌ（ＨＥＭ１遺伝子はＦＰＰからのヘム生合成経路への最初のステップであるアミノレブリン酸シンターゼをコードし、ｈｅｌｍ突然変異体はそれらの培養に不飽和脂肪酸が補給された場合、エルゴステロール生合成経路における中断の後、好気性条件でエルゴステロールを摂取することができる）などである。こうした突然変異体を有している酵母系統公知の技術を用いてつくりだすことができ、また、例えば、ノースカロライナ州立大学（Raleigh 、NC）のLeo Parks博士から入手することができる。これらの突然変異体を含む半数体は他の半数体細胞との遺伝子的交配によって他の突然変異体を発生させるために用いることができる。また、ＳＵＴ１（ステロール摂取）遺伝子の過剰発現も好気性条件下でのステロール摂取を可能にするために用いることができる。ＳＵＴ１遺伝子はすでにクローンされ、配列も決定されている。Bourot and Karst, Gene, 165: 97-102 (1995).
【００２２】
スクアレン・シンターゼ阻害剤は当業者には公知である。（例えば、米国特許第５，５５６，９９０参照。
２．１．２  ＨＭＧ−ＣｏＡリダクターゼの修飾
本発明のさらに別の実施の形態はＨＭＧ−ＣｏＡリダクターゼの作用を増大するように遺伝子修飾された微生物の使用である。なお、ここで取り上げられるＨＭＧ−ＣｏＡリダクターゼ及び他の酵素の作用の増強に関する言及はそれらの酵素の機能性の増大につながる問題の微生物におけるあらゆる遺伝子修飾を意味しており、それらの酵素の活性の増大、それらの酵素の抑制や劣化の減少、及びそれらの酵素の過剰発現を含んでいる。例えば、遺伝子コピー数を増大させることができ、発現のレベルを天然のプロモータより高くするプロモータの使用によって高めることでき、あるいは、１つの酵素の活性を増大するために遺伝子加工、あるいは従来の突然変異誘発によって遺伝子を変えることができる。メバロン酸依存イソプレノイド生合成経路における重要な酵素の１つは３−ヒドロキシ−３−メチルグルタリル−補酵素（ＨＭＧ−ＣｏＡ）の還元を触媒するＨＭＧ−ＣｏＡである。これはこの経路における一次速度限定及び最初の不可逆ステップであり、ＨＭＧ−ＣｏＡリダクターゼ活性の増大は野生型のＳ．セレビシアエにおけるスクアレン及びエルゴステロールの収量とｅｒｇ９系統におけるファルネソールの収量の向上につながる。ＨＭＧ−ＣｏＡリタクターゼの作用が増大される１つのメカニズムは酵素の抑制を低下させること、その酵素を遺伝子修飾するか、あるいはその阻害剤を取り除くためにその系を修飾することによって行われる。例えば、イソプレノイド経路のステロール及び非ステロール生成物の両方ともこの酵素をフィードバック抑制する（例えば、., Parks and Casey, Annu. Rev. Microbiol. 49:95-116 (1995 参照) 。また、あるいはさらに、ＨＭＧ−ＣｏＡリタクターゼをコードする遺伝子を遺伝子加工あるいは古典的な突然変異誘発手法で変えて抑制を減少させたり、防いだりすることができる。また、ＨＭＧ−ＣｏＡリタクターゼの作用は遺伝子コピー数を増大させたり、ＨＭＧ−ＣｏＡリタクターゼの発現レベルを増大させたり、あるいはその酵素の活性を増大させるために遺伝子加工かあるいは古典的な突然変異誘発でＨＭＧ−ＣｏＡリタクターゼ遺伝子を変えることで増大させることができる。米国特許第５，４６０，９４９参照。この特許の内容全体が参照によって本明細書に組み込まれる。例えば、先端が切断されたＨＭＧ−ＣｏＡリタクターゼがつくられており、この酵素では調節領域が除去されており、さらに、遺伝子コピー数を最大６まで増大させることでも活性の増大につながる。例えば、ＨＭＧ−ＣｏＡリタクターゼのレベルが増強されている２つの酵母突然変異体について述べいている, Downing et al., Biochem. Biophys. Res. Commun., 94, 974-79 (1980) 参照。ＨＭＧ１及びＨＭＧ２遺伝子でコードされるＨＭＧ−ＣｏＡリタクターゼの２つのイソ酵素がＳ. セレビシアエ内に存在している。これら２つのイソ酵素の活性は転写の調節、翻訳の調節、そしてＨｍｇ２ｐの場合は小胞体内の酵素の劣化などを含むいくつかのメカニズムによって調節されている
【００２３】
(Hampton and Rine, 1994; Donald, et. al. 1997)。Ｈｍｇ１ｐとＨｍｇ２ｐの両方で、触媒ドメインはその酵素の−ＣＯＯＨ末端部分に存在しており、一方、調節領域はＮＨ２−末端領域にひろがっている膜内に存在している。Ｓ. セレビシアエのＨｍｇ１ｐの触媒ドメインを過剰発現するだけで、イソプレノイド経路を通じての炭素流が増大し、スクアレンの過剰生産につながる  (S aunders, et. al. 1995; Donald, et. al., 1997) 。本発明者らは通常の（つまりブロックされていない）イソプレノイド経路を有する系統でＳ. セレビシアエＨｍｇ２ｐの
【００２４】
触媒領域を発現し、スクアレンの生産がかなり増大することを観察した。さらに、Ｈｍｇ２ｐの触媒領域の過剰発現もｅｒｇ９突然変異におけるファルネソール生産の増大をもたらし、発酵槽内で育てられたＧＧＰＰを過剰発現するｅｒｇ９突然変異におけるファルネソール及びＧＧ生産の増大をもたらした。
【００２５】
２．１．３  ＧＧＰＰシンターゼの修飾
本発明のさらに別の実施の形態は、ＧＧＰＰシンターゼの作用を増強するために遺伝子修飾された微生物の使用である。細菌、真菌類、植物、哺乳動物、及び原始細菌など種々の供給源からこの酵素を発現する遺伝子が確認されている。
【００２６】
Brinkhaus et al., Arch. Biochem. Biophys., 266, 607-612 (1988); Carattoli et al., J. Biol. Chem., 266, 5854-59 (199 1); Chen et al., J. Biol. Chem., 268, 11002-11007 (1993); Dogbo et al., Biochim. Biophys. Acta, 920, 140-148 (1987); Jiang et al., J. Biol. Chem., 270, 21793-99 (1995); Kuntz al., Plant J., 2, 25-34 (1992); Laferriere, et al., Biochim. Biophys. Acta, 1077 ,  167-72 (1991); Math et al., Proc. Natl. Acad. Sci. USA, 89, 6761-64 (1992); Ohnuma et al., J. Biol. Chem., 269, 14792-97 (1994); Sagami et al., Arch. Biochem. Biophys., 297, 314-20 (1992); Sagami et al., J. Biol. Chem., 269, 20561-66 (1994); Sandmann et a l., J. Photochem. Photobiol. B: Biol., 18, 245-51 (1993); Scolnik et al., Plant Physiol., 104, 1469-70 (1994); Tachibana et al., Biosci. Biotech. Biochem., 7, 1129-33 (1993); Tachibana et al., J. Biochem., 114, 389-92 (1993); Wiedemann et al., Arch. Bioch e m. Biophys., 306, 152-57 (1993)参照。いくつかの生物はＦＰＰシンターゼとしても機能する二機能性酵素を保有しており、従って、ＩＰＰ及びＤＭＡＰＰのＦＰＰそしてＧＧＰＰへの全体的な転化に関与している（図１参照）。植物で発見されるものなど、いくつかの酵素はその特殊性が低く、ＩＰＰとＤＭＡＰＰをＧＧＰＰに転化する（図1 参照）。ここで用いられているＧＧＰＰシンターゼの遺伝子修飾とはその酵素のＧＧＰＰシンターゼ活性成分を強化するために二機能性ＦＰＰ／ＧＧＰＰシンターゼを加工することを含んでいる。好ましいＧＧＰＰシンターゼ遺伝子はＳ. セレビシアエからのＢＴＳ１遺伝子である。ＢＴＳ１遺伝子とその単離はJiang et al., J. Biol. Chem., 270, 21793-99 (1995)を１９９６年12月6 日に提出された共係属出願第０８／７６１，３４４に述べられており、これらの資料の」 開示はその全体が参照によって本明細書に組み込まれる。しかしながら、他の宿主のＧＧＰＰシンターゼを用いることもでき、二機能性ＧＧＰＰシンターゼの使用は炭素流をＦＰＰからＧＧＰＰに向かわせて、それによって細胞内での競合する反応へのロスを避けることができるので、特に好適である。
【００２７】
上に述べたＧＧＰＰシンターゼの改良に加えて、本発明のさらに別の実施の形態においては、野生型ＧＧＰＰシンターゼが生産生物から除去される。このことは、例えば、基質ＦＰＰとＩＰＰに対する改良されたＧＧＰＰシンターゼと野生型酵素との間の競合をなくすことに寄与するであろう。ＧＧＰＰシンターゼをコードする野生型遺伝子の消失は高い遺伝子配列相同性領域をなくすことにより、起こり得る可能性のある不適切な遺伝子組換えを回避することによりクローンされたＧＧＰＰシンターゼ遺伝子の安定性を向上させてくれるであろう。
【００２８】
２．１．４  ＦＰＰシンターゼ修飾
本発明のさらに別の実施の形態はＦＰＰシンターゼの作用を増強するために遺伝子修飾された微生物の利用である。種々の供給源からこの酵素をコードするための遺伝子が確認されている。Anderson et al., J. Biol. Chem., 264, 19176-19184 (1989); Attucci, et al., Arch. Biochem. Biophys., 321, 493-500 (1995); Cane et al ., J. Am. Chem. Soc., 105, 122-124 (1983); Chambon et al., Current Genetics, 18, 41-46 (1990);, Chambon et al., Lipids, 26, 633-36 (1991); Chen al., Protein Science, 3, 600-607 (1994); Davisson, et al., J. Am. Chem. Soc., 115, 1235-45 (1993); Ding et al.,  Biochem. J., 275, 61-65 (1991); Hugueney et al., FEBS Let ters, 273, 235-38 (1990); Joly et al., J. Biol. Chem., 268, 26983-89 (1993); Koyama al., J. Biochem., 113, 355-63 (1993); Sheares, et al., Biochem., 28, 8129-35 (1989); Song et al., Proc. Natl. Acad .  Sci. USA, 91, 3044-48 (1994); Spear et al., J. Biol. C hem., 267, 14662-69 (1992); Spear et al., J. Biol. Chem., 269, 25212-18 (1994)参照。 Anderson et al., J. Biol. Chem., 264, 19176-19184 (1989)は酵母シャトル・ベクターでＳ. セレビシアエ遺伝子によるＦＰＰシンターゼの２−３倍の過剰発現を報告している。
【００２９】
実施例の個所に述べたように、驚くべきことに、ＦＰＰシンターゼの過剰発現がファルネソール生産の増大にはつながらず、予想外にもＧＧＰＰシンターゼの過剰発現がないにもかかわらずＧＧの生産の増大につながることが確認されている。
【００３０】
本発明のさらに別の実施の形態では、上に述べたＦＰＰシンターゼの修飾に加えて、野生型のＦＰＰシンターゼが生産生物から除去される。このことは、例えば、基質ＩＰＰ、ＤＭＡＰＰ、及びＧＰＰに対する修飾ＦＰＰシンターゼ及び野生型酵素との間の競合をなくしてくれるであろう。ＦＰＰシンターゼをコードする野生型遺伝子の消失も高遺伝子配列相同性領域をなくすことで、起きる可能性のある不適切な遺伝子組換えを回避することでクローンされたＦＰＰシンターゼ遺伝子の安定性を向上させてくれるであろう。
【００３１】
２．１．５  ホスファターゼの修飾
本発明のさらに別の実施の形態はＦＰＰのファルネソールあるいはＧＰＰのＧＧへの転化を増強するためにホスファターゼ作用を強化するように遺伝子修飾した微生物の利用である。例えば、Ｓ. セレビシアエ及び大腸菌の両方とも多数のホスファターゼ活性を含んでいる。ＦＰＰまたはＧＧＰＰを効率的に脱リン酸化するためにいくつかのホスファターゼをテストすることによって、適切なホスファターゼを選択してファルネソールまたはＧＧ生産を増大させるために生産生物内でこの酵素をコードする遺伝子を発現することができる。ファルネソールまたはＧＧ生産を強化するために望ましいホスファターゼの作法を増強するのに加えて（あるいはその代わりに）、遺伝子的な手段を通じて、望ましくないホスファターゼ活性を除去することも可能であろう。例えば、特にＦＰＰに作用を及ぼすホスファターゼの活性を突然変異を通じて取り除き、そのＦＰＰをＧＧＰＰとそしてさらにＧＧへの転化に用いることは可能であろう。
【００３２】
２．１．６  追加的な遺伝子修飾
他のイソプレノイド経路酵素の修飾
ＨＭＧＣｏＡリタクターゼ、ＧＧＰＰシンターゼ及びホスファターゼの作用を強化するために行うことができる修飾について上に述べた。イソプレノイド経路酵素の作用の修飾はこれらの具体例に限定されるものではなく、アセトアセチルＣｏＡチオラーゼ、ＨＭＧ−ＣｏＡシンターゼ、メバロン酸キナーゼ、ホスホメバロン酸キナーゼ、ホスホメバロン酸デカルボキシラーゼ、ＩＰＰイソメラーゼ、ファルネソール・ピロリン酸・シンターゼ、あるいはＤ−１−デオキシキシルロース・５−リン酸・シンターゼ・Ｄ−１−デオキシキシルロース・５−リン酸・リダクトイソメラーゼなどの他のイソプレノイド経路酵素の作用を修飾するために同様の戦略を適用することが可能である。
【００３３】
イソプレノイド経路への前駆体補給を増強するための中心的代謝の操作。
メバロン酸依存経路を有する生物においては、ファルネソールまたはＧＧの生合成はアセチルＣｏＡで始まる（図１参照）。本発明の１つの実施の形態は、アセチルＣｏＡの細胞内レベルが増大され、それによってより多くのアセチルＣｏＡをイソプレノイド経路（従ってファルネソール及び/ またはＧＧ）の方向に利用できるようにする生産生物の遺伝子的改良である。例えば、アセチルＣｏＡに対する補給はピルビン酸デヒドロジェナーゼ複合体の作用を増大させることで増大させることができる。アセチルＣｏＡの供給はさらに、ピルビン酸キナーゼの作用を増強することによっても増大させることができる。メバロン酸非依存イソプレノイド経路を有する生物においては、イソプレノイドの生合成はピルビン酸及びグリセルアルデヒド・３−リン酸で開始される。イソプレノイド生合成に利用できるピルビン酸及びグリセルアルデヒド・３−リン酸の供給はそれぞれピルビン酸キナーゼ及びトリリン酸・イソメラーゼの作用を強化することで増大することができる。
【００３４】
上の例はイソプレノイド化合物の生産を増大させる目的で中心的代謝を加工するというコンセプトと説明するためだけに提供しているものであって、実施できる方式をすべて列挙した訳ではない。この目的を達成するために、他の多数の戦略もうまく適用できるであろう。
【００３５】
ＦＰＰまたはＧＧＰＰを求めて競合する経路の遮断。酵母においては、ＦＰＰはステロール類、ヘム、ドリコール、ユビキノン、ＧＧＰＰ、及びファルネソール化蛋白質に導く分岐点中間物である。大腸菌においては、ＦＰＰはユビキノンにつながるオクタプレニル・ピロリン酸・シンターゼのための基質として機能する。エルウィニア・ウレドボーラなどのカルテノイドを合成する細菌においては、ＦＰＰはカルテノイドにつながる第1 段階でＧＧＰＰシンターゼによってＧＧＰＰに転化される。ファルネソールまたはＧＧの生産を増大させるためには、ＦＰＰまたはＧＧＰＰを基質として用いる酵素を発現する遺伝子を不活性化するか、あるいは、（上でスクアレン・シンターゼについて述べたように）それらの酵素自体の活性を突然変異や特定の酵素抑制剤を使用して低下させることが望ましい。Ｓ. セレビシアエにおいては、例えば、ＥＲＧ９の活性化に加えて、ＦＰＰからヘムへの経路における最初の段階を不活性化することが好適であろう。前にも述べたように、大腸菌においては、オクタプレニル・シンターゼの部分的または完全な不活性化はファルネソールの転化のためにＦＰＰを利用する可能性を増大してくれるであろう。最後に、エルウィニア・ウレドボーラなどのカルテノイドをつくりだす細菌においては、ＧＧＰＰシンターゼの除去はファルネソールの転化のためのＦＰＰのレベルを増大するのに対して、フィトエン・シンターゼ（ｃｒｔＢ遺伝子生成物）の活性の不活性化または低下はＧＧへの転化のために利用できるＧＧＰＰのレベルを増大させることができる。
【００３６】
ＦＰＰやＧＧＰＰから遠ざかる方向に導く経路を遮断することは生産生物の生長と生理に否定的な影響を及ぼすであろう。こうした事情を解消するために必要な追加的な遺伝子修飾を行うことも想定される。イソプレノイド経路で遮断され、上に述べたような好気性条件の下でステロールを取り込むＳ. セレビシアエ突然変異体の単離は、一次的な遺伝子修飾の影響を克服する代償的な突然変異を獲得することができることを示している。
【００３７】
ファルネソールまたはＧＧに対する抵抗性を有する生産系統の単離  実施例の個所で、遺伝子修飾されたＳ. セレビシアエの系統による高レベルのファルネソール及びＧＧの生産について述べてある。ファルネソールあるいはＧＧ生産がさらに増大すると、これらの化合物はその生産生物に対して毒性を示すレベルに到達してしまう場合がある。実際、生成物の毒性は生物生産過程において遭遇する一般的な問題である。しかしながら、生成物の毒性を克服する古典的な方法や遺伝子組換え技術も同様に一般的である。本発明は生成物の毒性が起きることを想定している。従って、本発明の別の実施の形態はファルネソール及び/ またはＧＧに対する抵抗性が増大した突然変異体の単離である。
【００３８】
修飾された成長特性を有する生産生物の単離  Ｓ. セレビシアエにおいてイソプレノイド経路を遮断することの１つの影響は、突然変異体（本発明ではｅｒｇ９突然変異体）は培地にエルゴステロールが添加されているにも関わらず親株系統よりも生育が遅いことである。ｅｒｇ９突然変異体の生育がよりゆっくりしているのはｅｒｇ９での遮断のせいであることは、実施例１．Ｇに説明してあるが、このことは、ｅｒｇ9 突然変異を修復するとその系統の成長速度が野生タイプの親系統の成長速度とほぼ同じ程度まで回復することを示している。ｅｒｇ9 突然変異体のより遅い成長速度は外部から供給されたエルゴステロール上での成長とその細胞内で合成されたエルゴステロール上での成長との違いや、あるいは他の生理学的因子の影響である可能性もある。本発明の１つの実施の形態は修飾された成長特性を有するファルネソールまたはＧＧ生産系統の変種を単離することである。これは、例えば、継続的に培養を行い、より速く成長する変種を選択することにより達成することが可能であろう。こうした変種は自然に発生する場合もあれば、古典的な突然変異誘発あるいは分子遺伝子方式によって得ることも可能であろう。
【００３９】
２．２  プレノール及びイソプレノールの組み込み
本発明の別の実施の形態においては、ファルネソールまたはＧＧがイソプレノール及び/ またはプレノールの発酵培地への導入によってつくりだされる。図９で、これらの化合物のそれぞれは、生物によって取り込まれるとピロリン酸基によってホスホリル化されて、それぞれ、３−イソペンチル・ピロリン酸及び３，３−ジメチルアリル・ピロリン酸を形成する。これら２つの化合物はイソペンテニル・ピロリン酸・イソメラーゼの作用によって相互転化する。これらの化合物はその後ＦＰＰシンターゼによってファルネソール・ピロリン酸に転化される。ファルネソールはファルネソール・ピロリン酸の脱リン酸化によって形成される。ファルネソール・ピロリン酸はさらにゲネラシルゲネラシル・ピロリン酸に転化される場合がある。ゲラニルゲラニオールはゲラニルゲラニル・ピロリン酸の脱リン酸化によって形成される。ＧＧはＧＧＰＰシンターゼとホスファターゼの結合作用によってＦＰＰから形成される。イソプレノール及びプレノールは市販されている化合物で、この技術分野で公知の方法でつくることができる。
【００４０】
この実施の形態で、発酵に用いられる微生物は本明細書で触れられているどの微生物でもよい。加えて、この微生物を遺伝子修飾して、ジメチルアリル・トランスフェラーゼの作用を増強してゲラニル・ピロリン酸及びファルネソール・ピロリン酸の生産を促進することができる。種々の供給源からこの酵素をコードする遺伝子が確認されている[Chen et al., Protein Sci., 3, 600-607 (1994)]。さらに、微生物を遺伝子修飾して、イソプレノール・キナーゼまたはプレノール・キナーゼの作用を増強することもできる。これらの酵素はまだ発見されていないが、ホスホリレート・ファルネソール及びゲラニルゲラニオールと同様の酵素については開示されている［Betinger  et al., Biochem. Biophys., 353,191-198 (1998); Ohnuma et al., J.Biochem., 119:541-547 (1996)］。
【００４１】
２．３  発酵培地及び条件
ファルネソールまたはＧＧを生産する方法において、上に述べたような遺伝子修飾を加えた微生物がファルネソールまたはＧＧを生産するために発酵培地中で培養される。適切、あるいは有効な発酵培地は本発明による遺伝子修飾された微生物が培養された場合にファルネソールまたはGGを生産することができるいずれの培地をも含むものとする。こうした培地は通常は吸収同化可能な炭素、窒素及びリン酸供給源で構成される水溶液である。こうした培地は適切な塩類、鉱物、金属、あるいはその他の栄養素を含む場合もある。加えて、１つの生物がエルゴステロール経路で遮断されて外部からのステロールを必要としている場合は、発酵培地はそうした外来性のステロールを含んでいなければならない。適切な例示としての培地を以下の説明と実施例の個所に示す。しかしながら、適している発酵条件は種々あり、当業者が選択することができる。
【００４２】
適切な発酵培地において利用できる吸収同化可能な炭素供給源は、デキストリン、サクロース、マルトース、ラクトース、フラクトース、マンノース、ソルボース、アラビノース、及びキシロースなどの糖類及びそれらの重合体；脂肪酸；酢酸などの有機酸；エタノール及びｎ−プロパノールなどの第１級アルコール；それにグリセリンなどの多価アルコール類である。本発明において好ましい炭素供給源は単糖類、二糖類、及び三糖類である。最も好ましい炭素源はグルコースである。
【００４３】
グルコースなど発酵培地における炭素源の濃度は細胞の成長を促進すべきであるが、用いられる微生物の成長を抑制するほどの高さであってはならない。通常、発酵はグルコースなどの炭素源を望ましいレベルの成長とバイオマスを達成するが検出不可能なレベルで（検出限度は０．１ｇ／ｌ未満）添加することによって行われる。別の実施の形態では、発酵培地におけるグルコースなどの炭素源の濃度は約１ｇ／Ｌ程度以上で、好ましくは約２ｇ／Ｌ以上、そしてより好ましくは約５ｇ／Ｌ以上である。さらに、発酵培地におけるグルコースなどの炭素源の濃度は約１００ｇ／Ｌ以下、好ましくは約５０ｇ／Ｌ以下、そしてより好ましくは２０ｇ／Ｌである。なお発酵成分濃度に関する言及は反応開始時、及び進行中の成分濃度の両方を含むものとする。いくつかの例で、発酵培地が発酵中に炭素源を枯渇してしまうようにするのが望ましい。
【００４４】
適切な発酵培地で用いることができる吸収同化可能窒素源は、単純な窒素源、有機窒素源、及び複合窒素源などを含む。こうした窒素源としては、無水アンモニア、アンモニア塩、及び動物、野菜及び/ または微生物由来の物質などがある。適切な窒素源は、蛋白質加水分解物、微生物性バイオマス加水分解物、ペプトン、酵母抽出物、硫酸アンモニウム、尿素、及びアミノ酸などである。通常、発酵培地における窒素源の濃度は約０．１ｇ／Ｌより大きく、好ましくは約０．２５ｇ／Ｌより大きく、そしてより好ましくは１．０ｇ／Ｌより大きい。しかしながら、一定の濃度を超えると、発酵培地に対する窒素源の添加は微生物の成長にとって好適ではない。その結果、発酵培地における窒素源の濃度は約２０ｇ／Ｌ以下、好ましくは約１０ｇ／Ｌ以下、そしてより好ましくは約５ｇ／Ｌ以下である。さらに、いくつかの例では、発酵培地が発酵中に窒素源を枯渇してしまうようにするのが望ましい場合もある。
【００４５】
効果的な発酵培地は無機塩、ビタミン、微量金属、あるいは成長促進剤などの他の化合物を含むことができる。こうした他の化合物は有効な培地中の炭素、窒素、または鉱物源内に存在していてもよいし、その培地に追加してもよい。
【００４６】
発酵培地は適切なリン酸源を含んでいてもよい。こうしたリン酸源は有機、無機両方のリン酸源を含んでいる。好ましいリン酸源は一または二塩基ナトリウム及びリン酸カリウムなどのようなリン酸、リン酸アンモニウム、そしてそれらの混合物などである。通常、発酵培地中におけるリン酸の濃度は約１．０ｇ／Ｌ以上、好ましくは約２．０ｇ／Ｌ、そしてより好ましくは約５．０ｇ／Ｌ以上である。しかしながら、一定の濃度を超えると、発酵培地に対するリン酸の添加は微生物の成長にとって好適ではない。従って、発酵培地中でのリン酸の濃度は通常約２０ｇ／Ｌ以下、好ましくは１５ｇ／Ｌ以下、そしてより好ましくは約１０ｇ／Ｌ以下である。
【００４７】
適切な発酵培地は好ましくは、生理学的に許容可能な塩の形態での、硫酸マグネシウム七水和物などのマグネシウム源を含むことができるが、同様の量のマグネシウムを提供してくれるものであれば他のマグネシウム源を用いることもできる。通常、発酵培地におけるマグネシウムの濃度は約０．５ｇ／Ｌ以上、好ましくは約１．０ｇ／Ｌ以上、そしてより好ましくは約２．０ｇ／Ｌ以上である。しかしながら、一定の濃度を超えた場合、発酵培地へのマグネシウムの添加は微生物の成長に対して好適ではない。従って、発酵培地におけるマグネシウム濃度は通常は約１０ｇ／Ｌ以下、好ましくは５ｇ／Ｌ以下、そしてより好ましくは約3 ｇ／Ｌ以下である。さらに、いくつかの例では、発酵培地が発酵中にマグネシウム源を枯渇してしまうようにするのが望ましい場合もある。
【００４８】
発酵培地はまた、クエン酸三ナトリウムの二水和物などの生物学的に許容可能なキレート剤を含むこともできる。そうした例においては、発酵培地中におけるキレート剤の濃度は、約０．２ｇ／Ｌ、好ましくは約０．５ｇ／Ｌ、そしてより好ましくは約１ｇ／Ｌ以上である。しかしながら、一定の濃度を超えた場合は、発酵培地に対するキレート剤の添加は微生物の成長にとって好適ではない。従って、発酵培地におけるキレート剤の濃度は通常約１０ｇ／Ｌ以下、好ましくは約５ｇ／Ｌ以下、そしてより好ましくは約２ｇ／Ｌ以下である。
【００４９】
発酵培地は最初発酵培地の望ましいｐＨを維持するために、生物学的に許容可能な酸または塩基を含んでいてもよい。生物学的に許容可能な酸とは、塩酸、硫酸、硝酸、リン酸、及びそれらの混合物などである。生物学的に許容可能な塩基は水酸化アンモニウム、水酸化ナトリウム、水酸化カリウム、及びそれらの混合物である。本発明の好ましい実施の形態においては、用いられる塩基は水酸化アンモニウムである。
【００５０】
発酵培地はまた、塩化カルシウムなど生物学的に許容可能なカルシウム源を含むこともできる。通常、発酵培地中における塩化カルシウム二水和物などのカルシウム源の濃度は約５ｍｇ／Ｌから約２０００ｍｇ／Ｌ、好ましくは約２０ｍｇ／Ｌから約１０００ｍｇ／Ｌ、そしてより好ましくは約５０ｍｇ／Ｌから約５００ｍｇ／Ｌの範囲である。
【００５１】
発酵培地はまた塩化ナトリウムを含むこともできる。通常、発酵培地中での塩化ナトリウムの濃度は約０．１ｇ／Ｌから約５ｇ／Ｌ、好ましくは約１ｇ／Ｌから約４ｇ／Ｌ、そしてより好ましくは約２ｇ／Ｌから約４ｇ／Ｌの範囲内である。
【００５２】
上に述べたように、発酵培地は微量金属を含むこともできる。こうした微量金属は発酵培地に、便宜上発酵培地の残りの部分から分離できる原液として加えることができる。発酵培地で使用可能な微量金属原液を以下の表１に示す。通常、発酵培地に加えられたそうした微量金属溶液の量は１ｍｌ／Ｌ、好ましくは約５ｍｌ／Ｌ、そしてより好ましくは約１０ml／L 以上である。しかしながら、一定の濃度を超えると、発酵培地に対する微量金属の添加は微生物の成長に好適ではない。したがって、発酵培地に添加されたそうした微量金属溶液の量は通常は約１００ml／L 以下、好ましくは約５０ml／L 以下、そしてより好ましくは約３０ml／L 以下である。なお、原液内に微量金属を添加するのに加えて、上に述べた微量金属の範囲で示されている成分の量にそれぞれ対応する範囲で個々の成分を個別的に添加することもできる。
【００５３】
以下の表１に示すように、本発明において利用することができる適切な微量金属溶液は硫酸鉄七水和物；硫酸銅五水和物；硫酸亜鉛七水和物；モリブデン酸ナトリウム二水和物；コバルト塩化物六水和物；そして硫酸マンガン一水和物などである。それら微量金属塩を溶液中に保持するためにその原液に塩酸を加える。
【００５４】
【表１】
0004579415.tif 000004
発酵培地はビタミンを含むこともできる。こうしたビタミンは便宜上、その発酵培地の残りのものとは別個に調製できる原液としてその発酵培地に添加できる。
【００５５】
本発明で使用するのに適したビタミン原液を以下の表２に示す。通常、発酵培地に加えられるこうしたビタミン溶液の量は１ml／L 以上、好ましくは５ml／L 以上、そしてより好ましくは１０ml／L 以上である。しかしながら、一定の濃度を超えると、発酵培地に対するビタミンの添加は微生物の成長にとって好適ではない。従って、発酵培地に加えられるそうしたビタミン溶液の量は通常５０ml／L 以下、好ましくは３０ml／L 以下、そしてより好ましくは２０ml／L 以下である。
【００５６】
なお、原液へのビタミンの添加に加えて、上に述べたビタミン原液の範囲で示される成分の量に対応する範囲内で個々の成分を個別に添加することもできる。
表２に示されるように、本発明での利用に適したビタミン溶液はビオチン、カルシウム、パントテン酸カルシウム、イノシトール、ピリドキシン−HCｌ及び値アミンＨＣｌなどである。
【００５７】
【表２】
0004579415.tif 000005
上に述べたように、１つの生物のステロール経路がブロックされた場合、その発酵培地に対して外来性のステロールを追加する必要がある。こうしたステロールとしては、エルゴステロール及びコレステロールがある。こうしたステロール類はその発酵培地の残りの部分とは切り離して調製できる原液としてその発酵培地に添加することができる。ステロール原液はそのステロールの可溶化を助けるために界面活性剤を用いて調製することができる。典型的なエルゴステロール原液を実施例１．D に示す。通常、その発酵培地中でのステロールの最終濃度が約１ｍg ／L から３０００ｍg ／L 、好ましくは約２ｍg ／L から２０００ｍg ／L 、そしてさらに好ましくは約５ｍg ／L から２０００ｍg ／L の範囲となるように、ステロール原液が発酵培地に対して加えられる。
【００５８】
本発明による微生物はバッチ、フェッド・バッチ、細胞循環、そして継続などを含む従来の発酵モードで培養することができる。しかしながら、発酵はフェッド・バッチ・モードで行われるのが望ましい。こうした場合、発酵中にその培地の成分のいくつかは枯渇される。追加が必要になる前に一定の時間成長が行われるようにそうした成分の比較的高い濃度で培養を開始することができる。レベルが発酵で枯渇する度に追加を行うことによって発酵過程全体でこれらの範囲を維持することができる。発酵培地中での成分のレベルは例えば発酵培地を定期的にサンプリングして、濃度を判定することで監視することができる。また、一度標準的な発酵手順が開発されると、発酵期間全体を通じて特定の時間で分かっているレベルに対応する時間間隔で追加を行うことができる。当業者には容易に分かることであるが、培地の細胞密度が増大するので栄養分の消費量は発酵過程全体を通じて増大する。さらに、発酵培地中への外来微生物の侵入を避けるために、追加はこの技術分野で公知の無菌添加方法で行われる。さらに、発酵中に抗発泡剤を加えてもよい。
【００５９】
発酵培地の温度はファルネソールやＧＧの成長に適した温度であればいずれの温度でも差し支えない。例えば、発酵培地に接種材料を接種する前に、発酵培地は約２０℃から約４５℃、好ましくは約２５℃から約４０℃、そしてより好ましくは約２８℃から約３２℃の温度範囲にし、その範囲に保つことができる。
【００６０】
発酵培地のｐＨはその発酵培地に酸か塩基を追加することで制御することができる。ｐＨを制御するためにアンモニアを用いると、それは好適に発酵培地の窒素源としても機能する。好ましくは、ｐＨは約３．０から８．０の範囲、より好ましくは約３．５から約７．０、そして最も好ましくは約４．０から約６．５の範囲に維持される。
【００６１】
発酵培地はまた細胞の成長を維持し、さらに、ファルネソールあるいはＧＧの生産のための細胞代謝を維持するために発酵の過程を通じて溶存酸素を有するように維持することができる。発酵培地の酸素濃度は酸素電極の使用など、公知の方法を用いて監視することができる。酸素は、酸素は攪拌や振動、あるいはスパージングによるその培地の攪拌や通気などの公知の方法を用いて加えることができる。好ましくは、発酵培地中における酸素濃度は大気圧と約２０℃から約４０℃の温度での発酵培地中における酸素の可溶性に基づいて測定して約２０％から約１００％の培地における酸素飽和値である。しかしながら、発酵に悪影響を及ぼすことなく、酸素濃度がこの範囲以下に定期的に下がってしまう現象が起きる場合がある。空気の利用に関して培地の通気については上に述べたが、他の酸素源を用いることもできる。特に有益なのは周辺空気の酸素体積分量より大きな酸素体積分量を含んでいる通気ガスの使用である。加えて、こうした通気ガスは発酵に悪影響を及ぼさない他のガスを含んでいてもよい。
【００６２】
本発明による発酵工程の１つの実施の形態で、発酵培地は上に述べたように、そして実施例１．Ｈで述べるように調製される。この発酵培地は妥当な生長期間後に高い細胞密度をつくりだすのに十分な量で本発明による微生物の活発に成長している培養を接種される。典型的な接種細胞密度は細胞の乾燥重量に基づいて、約０．１ｇ／Ｌから約１０ｇ／Ｌ、好ましくは約０．２ｇ／Ｌから約５ｇ／Ｌ、そしてより好ましくは約０．９５ｇ／Ｌから約１．０ｇ／Ｌの範囲である。しかしながら生産規模の発酵槽においては、より大きな接種培養密度が好ましい。
【００６３】
そして細胞を、約１０ｇ／Ｌから約１００ｇ／Ｌ、好ましくは約２０ｇ／Ｌから約８０ｇ／Ｌ、そしてより好ましくは約５０ｇ／Ｌから約７０ｇ／Ｌの範囲の細胞密度まで成長される。微生物が発酵中に望ましい細胞密度に達するまでの滞留時間は通常約２００時間以下、好ましくは約１２０時間以下、そしてより好ましくは約９６時間以下である。
【００６４】
本発明の１つのモードで、発酵培地のグルコース濃度など炭素源濃度が発酵中に監視される。発酵培地のグルコース濃度は例えば上清、例えば発酵培地の細胞を含まない成分におけるグルコース濃度を監視するために用いることができるグルコース・オキシダーゼ酵素テスト、あるいは高圧液体クロマトグラフィーの使用など公知の技術を用いて監視することができる。前にも述べたように、炭素源濃度は細胞成長の抑止が起きるレベル以下に保たれるべきである。こうした濃度は生物ごとに異なるのであるが、炭素源としてのグルコースの場合、細胞成長抑制はグルコース濃度が約６０ｇ／Ｌ以上の場合に起き、そしてテストによって簡単に判定することができる。従って、グルコースが炭素源として用いられる場合には、グルコースは好ましくは検出限度以下で発酵槽に供給され、維持される。また、発酵培地におけるグルコース濃度は約１ｇ／Ｌから約１００ｇ／Ｌ、好ましくは約２ｇ／Ｌから約５０ｇ／Ｌ、そしてより好ましくは約５ｇ／Ｌから約２０ｇ／Ｌの範囲で維持される。炭素源濃度は、例えば、ほぼ純粋なグルコース溶液の添加によって望ましいレベル内に維持することができるが、最初の発酵培地のアリコットを加えることで発酵培地の炭素源濃度を維持するのは受け入れられ、そして好ましい場合もある。最初の発酵培地のアリコットの使用が望ましいのは、培地中における（窒素及びリン酸源など）の他の栄養素の濃度を同時に維持できるからである。同様に、微量金属溶液の画分を追加することで、発酵培地中の微量金属濃度を維持することができる。
【００６５】
２．４  ファルネソール及びＧＧの回収
ファルネソールまたはＧＧが生物系で生産されると、それらは後でα−トコフェロールまたはα−トコフェロール・エステル類に転化するために、回収、あるいは単離される。本発明者らはファルネソールとＧＧの両方にとって、生成物は培養上清内に存在しているか、及び／または酵母細胞と結合している場合があることを示した。細胞に関しては、ファルネソールまたはＧＧの回収はそれらの細胞を透過可能にするかあるいは細胞溶解する一定の方法を用いて行われる。培養内部におけるファルネソールまたはＧＧはクロマトグラフィー、抽出、溶液抽出、薄膜分離、電気透析、逆浸透、蒸留、化学誘導、及び結晶化などの回収工程を用いて回収することができる。その生成物がリン酸形態の場合、つまりリン酸ファルネソールまたはゲラニルゲラニルリン酸である場合、それは細胞内部だけで起き、従って、細胞の可浸透化あるいは溶解などの一定の方法を必要とする。
【００６６】
３．０  GG及びファルネソールの化学合成
３．１  GGの化学合成
上に述べたように、本発明の１つの実施の形態では、ＧＧは生物学的に生産され、別の実施の形態ではＧＧは他の方法で生成することができる。例えば、GGは化学合成によってファルネソールから生成することも可能である。多くの適切な方法がこの技術分野で知られている。そうした１つの方法では、ファルネソールは臭化ファルネソール（エーテルにＰＢｒ３を溶かしたもの）に転化され、エチル・アセトアセテートとの置換にかけられる。得られた粗ケト・エステルを鹸化し、脱カルボキシル化し、そして得られたケトンを蒸留で精製する。Klinge及びDemuth（Synlett   1993，873 ）の手順に従って、そのケトンをジイソプロピル・エチルホスホノアセテート（ＮａＨ，glyme ）とのウィティグ−ホーナー反応にかけると、ｔ，ｔ，ｔ−及びｔ，ｔ，ｃ−エチル・ゲラニルゲラノエートの約８０／２０の混合物が得られる。エチル・ゲラニルゲラノエートをジイソブチルアルミニウム水酸化物で還元するとＧＧが得られる。ｔ，ｔ，ｔ−及びｔ，ｔ，ｃ−混合物をエステル（例えば蒸留で）、あるいはアルコール（例えば、ＥＰ第７１１７４９に述べられているような環化によって）アルコールで分離することができる。ＧＧの化学生産のための開始物質としてのファルネソールの生産は、上に述べたような改良された特性の一部を有する改良された微生物を用いるなどの生物学的生産によって達成される。
【００６７】
３．２  ファルネソールの化学合成
上に述べたように、本発明の１つの実施の形態では、ファルネソールは生物学的につくられ、そして別の実施の形態では、ファルネソールは他の方法でつくられる。例えば、ファルネソールは化学合成でつくることができる。多くの適切な方法がこの技術分野で知られている。
【００６８】
４．０  化学合成によるＧＧからのトコフェノールの生産
本発明のさらに別の実施の形態では、ゲラニルゲラニオールからビタミンE を生成するための方法が提供される。ゲラニルゲラニオールは４つのオレフィン部分を含んでいる。この発明で用いられる場合、ゲラニルゲラニオールのオレフィン部分はヒドロキシ末端から始めて連続的に番号が付され、第1 オレフィン部分はＣ２−Ｃ３二重結合を、第２のオレフィン部分はＣ６−Ｃ７二重結合を、第３のオレフィン結合はＣ１０−Ｃ１１二重結合を、そして第４のオレフィン部分はＣ１４−Ｃ１５二重結合をそれぞれ指している。
【００６９】
本発明による方法はゲラニルゲラニオールの少なくとも１つのオレフィン部分を還元してアリルアルコールを形成する。好ましくはアリルアルコールの形成は第1 のオレフィン部分を還元せずに第２、第３、または第４のオレフィン部分を還元するオレフィンの選択的還元によって達成することができる。好ましくは、この還元では第１のオレフィン部分を除いて他のすべてのオレフィン部分を還元する。オレフィン部分の還元はジイミド還元；溶融金属還元；金属水酸化物還元；及びパラジウム、ローディウム、ニッケル、白金、ルテニウム、銅、クロミウムあるいはそれらの組み合わせなどの触媒金属の存在下での水素化などを含む公知のアルケン還元条件のいずれかによって行うことができる。好ましくは、第２、第３、及び第４のオレフィン部分は水素化によって還元される。
【００７０】
鏡像性が増大した、あるいは鏡像性が完璧なビタミンE 合成が望ましい場合は、非対称性水素化反応に関してこの技術分野で知られているものなど非対称性触媒を用いてオレフィン部分の還元を行うことができる。また、アリルアルコールのラセミ化合物をつくり、キラル分離にかけてそのアリルアルコールの望ましい立体異性体をつくることもできる。
【００７１】
本発明の１つの実施の形態で、第２、第３及び／または第４のオレフィン部分を還元する前に保護基をゲラニルゲラニオールに付加する。本発明で使用される場合、保護基という用語は１つまたは複数のオレフィン部分の還元の前にゲラニルゲラニオールに付加（あるいはそれと結合）して、還元後に除去し、ゲラニルゲラニオールからアリルアルコールを提供することができるすべての化合物を指している。好ましくは、この保護基はヒドロキシ保護基である。ヒドロキシ保護基は第１のオレフィン部分を還元せずに、第２、第３、及び第４のオレフィン部分の還元を選択的に行うことができるように選択される。この技術分野で知られている種々のヒドロキシル保護基を用いることができる。これらの利用可能な基の多くの事例は"Protective Groups in Organic Synthesis" by T.W. Green, John WIley and Sons, 1981, printing press.10-86 に見出すことができ、この資料は参照することで本明細書に組み入れられる。好ましくは、このヒドロキシル保護基はエステルである。より好ましくは、エステルは立体的な（つまりかさばった）エステルで、これはＣ２−Ｃ３オレフィン部分がゲラニルゲラニオールを保護されたアリルアルコールに還元する条件下で還元されるのを十分に防いでくれる。このかさばったエステルの具体例としてはイソブチレート及びピバロエートなどである。
【００７２】
ビタミンE はアリルアルコール及びハイドロキノンから形成される。好ましくは、ハイドロキノンはトリメチル・ハイドロキノンであり、より好ましくはそのハイドロキノンは２，３，５−トリメチル・ハイドロキノンである。なお、ビタミンE に関連した化合物（例えばα−トコフェノール）の形成は特定のトコフェロール誘導体のための対応するハイドロキノンを用いて達成することができる。
【００７３】
例えば、β−、γ−、及びδ−トコフェロールはアリルアルコールと２，５−ジメチル・ハイドロキノン、２，３−ジメチル・ハイドロキノンと２−メチル・ハイドロキノンとによってそれぞれ合成することができる。いずれの理論に拘束されることもなく、アリルアルコールを酸と接触させるとハイドロキノンと反応してビタミンE を形成するカルボニウム・イオンを発生する。同様のカルボニウム・イオンはフィトールのハロゲン誘導体から発生させることもできる。例えば、ブロモ−、クロロ−またはヨードフィタンなどの水素化フィタンを臭化亜鉛、塩化亜鉛、及びヨウ化亜鉛を含む亜鉛ハロゲン化物；臭化アルミニウム及びなどの塩化アルミニウム；三塩化ボロン及び三弗化ボロンなどを含むボロン・ハロゲン化物；塩化銀、臭化銀、及びヨウ化銀を含む銀ハロゲン化物、塩化ニッケルおよび臭化ニッケルなどのルイス酸及びその他の金属ハロゲン化物ルイス酸と接触させると、ハイドロキノンと反応してビタミンＡを形成できるカルボニウム・イオンを発生させることができる。
【００７４】
図２はゲラニルゲラニオールからのビタミンE 合成の特に好ましい実施の形態である。ゲラニルゲラニオール２−１のヒドロキシ基が対応する酸あるいは無水物または塩化アリルなどその誘導体を用いてイソブチレート・エステルあるいはその他のかさばったエステルとして保護される。ゲラニルゲラニルイソブチレート２−２はその後、炭素に担持されたパラジウムなどの金属触媒を用いて選択的に水素化され、フィチルイソブチレート２−３をつくりだす。ゲラニルゲラニルイソブチレート２−２の水素化によって第２、第３、及び第４のオレフィン部分が第１のオレフィン部分に影響を及ぼすことなく還元される。イソブチレートの立体的容積は保護されたゲラニルゲラニオール内の第１のオレフィン部分の水素化速度を低下させ、それによってオレフィン部分の選択的な水素化が行われると考えられる。その後、ヒドロキシ保護基が塩基性条件化で加水分解によって取り除かれ、フィトール２−４が形成される。フィトール２−４を酸の存在下で２，３，５−トリメチル・ハイドロキノンと反応させると、ビタミン２−６が形成される。また、フィチルイソブチレート２−３は１つのステップで脱保護化して２，３，５−トリメチル・ハイドロキノン２−５を酸触媒によって反応させビタミンＥ２−６を形成することができる。ビタミンE ２−６はさらに遊離ヒドロキシ部分をアセチル化してビタミンE アセテート２−７などの保護されたビタミンE に形質変換することができる。
【００７５】
GGをα−トコフェロールまたはα−トコフェロール・エステルに転化する化学合成のもう１つの方法は（ａ）ゲラニルゲラニオール７内の２，３−炭素−炭素二重結合を選択的に酸化してゲラニルゲラニオール２，３−エポキシド８をつくすステップと；（ｂ）そのエポキシド内の残りの３つの炭素−炭素二重結合を水素化してエポキシフィトール９をつくるステップと；（ｃ）エポキシフィトール９を脱水素化して酸素受容体との反応によってフィトール５及びイソフィトール６の混合物をつくりだすステップと、そして（ｄ）上記フィトール５とイソフィトール６混合物をトリメチルハイドロキノンと反応させてα−トコフェロール３をつくるステップを含んでいる。
【００７６】
【化５】
0004579415.tif 000006
ゲラニルゲラニオール内の２，３−炭素−炭素二重結合を選択的に酸化してゲラニルゲラニオール２，３−エポキシドを形成するステップは、Sharpless   and   Michaelson，J ．Am．Chem．Soc ．95，6136  （1973）の方法で教示されているようにtert−ブチル・ヒドロペルオキシド及びバナジウムあるいはモリブデン触媒などの化合物など、アリルアルコールのオレフィン機能性を選択的にエポキシ化することが知られている試薬を用いて行われる。過酸化水素や他のアルキル・ヒドロペルオキシド類はｔｅｒｔ−ブチル・ヒドロペルオキシドと置換することも可能であり、芳香性炭化水素、脂肪族炭化水素、環状脂肪族炭化水素あるいは脂肪族エステルを用いてもよい。『脂肪族炭化水素』という用語は、５−８の炭素原子を有する直鎖または分岐アルカン類を含んで用いられている。ヘプタンは最も好ましい脂肪族炭化水素である。『環状脂肪族炭化水素』という用語は、Ｃ５−Ｃ８シクロアルケン及び１つまたは複数のＣ１−Ｃ４アルキル基で置換されたものを含んで使われている。『芳香族炭化水素』という用語はベンゼン及び１つから３つのＣ１−Ｃ４アルキル基で置換されたベンゼンを含んで使われている。トルエンは最も好ましい芳香性炭化水素である。『脂肪族エステル』という用語はＲ１ＣＯ２Ｒ２の式を有する３つから９つの炭素原子を有する脂肪族エステルを含んで使われており、この式でＲ１とＲ２はそれぞれ直鎖あるいは分岐Ｃ１−Ｃ４アルキル基を示しており、酢酸エチルが好ましい脂肪族エステルである。
【００７７】
エポキシド８内の残りの３つの炭素−炭素二重結合を水素化してエポキシフィトール９をつくるステップは水素ガス内で通常の不均一または均一触媒を用いて行うことができる。従って、炭素に担持されたパラジウム、炭素に担持された白金、酸化白金、レーニー・ニッケル、及びその他の基質担持触媒を組成物８に対して重量で０．００１−０．０２部分のレベルで、脂肪族エステル、アルカノール、芳香族炭化水素、脂肪族及び環式脂肪族炭化水素またはエーテルと共に、あるいはそれらを用いずに、約１−約２００気圧の圧力下、０℃から約１５０℃の温度で用いることができる。『アルカノール』という用語は式Ｒ３−ＯＨで示されるアルコール類及び式Ｒ３ＯＣＨ２ＣＨ２ＯＨで示される置換アルコール類を示し、これらの式でＲ３は直鎖または分岐鎖Ｃ１−Ｃ４アルキル基を示している。『エーテル』という用語は、式Ｒ１−Ｏ−Ｒ２で示されるエーテルを示すために用いられており、ここでＲ１とＲ２は上の定義と同様、及びテトラヒドロフランである。エポキシフィトールを脱水素化して酸素受容体との反応でフィトール５とイソフィトール６の混合物をつくるステップはレニウム触媒酸素転移反応であってもよく、そのままでも行うことができるし、あるいは芳香族炭化水素、脂肪族炭化水素、環状脂肪族炭化水素、脂肪族エステル、アルカノール、エーテル、あるいは水などの不活性溶媒の存在下ででも行うことができる。この反応はまた、２相水−有機溶媒システムで実行することもでき、その場合、相間移動触媒を加えてもよいし、加えなくてもよい。この触媒は置換三酸化レニウムあるはそうした三酸化レニウム化合物の重合体によって担持された形態でもよい。この触媒は組成物９に対して重量ベースで０．０１−５．０パーセントの割合で用いることができる。酸素受容体は組成物９１モルあたり１．０−３．０モルのレベルで存在していなければならず、トリアリルホスフィン、トリ−Ｃ１−Ｃ６アルキルホスフィン、トリアリル・ホスファイト、トリ−Ｃ１−Ｃ１８アルキルホスフィン、アルカリ金属ヒポホスファイトあるいはヒポホスホル酸などから選択することができる。ジ−Ｃ１−Ｃ６アルキル硫化物及びＮ−Ｃ１−Ｃ６アルキルモルホリンなどの一定の窒素塩基などの組成物９から不可逆的に酸素を受け入れることができる他の化合物を用いることもできる。『アリル』という用語はフェニル及びナフチルなどを含んで使われており、これらは１つから３つのＣ１−Ｃ６アルキル基で置換されている。『アラルキル』という用語はｎを１から４としてアリル（ＣＨ２）ｎ−で示される構造を有する一価基を含んで用いられている。『置換レニウム三酸化物』はＲ−ＲｅＯ３の式で示される化合物を含んで使われており、ここでＲはＣ１−Ｃ１０アリル、アラルキル、シクロペンタジエニル、そして１−５のＣ１−Ｃ４アルキル基によって置換されたシクロペンタジエニルで抗生されるグループから選択されるヒドロカルビル基である。
【００７８】
なお、メチルレニウム三酸化物などのレニウム化合物による触媒下でトリフェニルホスフィンやその他の適切な酸素受容体などとの反応など、本発明によるエポキシフィトールの脱酸素化ステップは新しい、そして予想されなかった反応である。種々の有機反応における触媒としてのメチルレニウム三酸化物の使用は、[Schmidt (J.Parkt. Chem./Chem.-Ztg. 339, 493-496(1997)) に検討されている。.E spenson and Zhu [(J. Molecular Catalysis A: Chemical 103,87-94 (1995))] は酸素をエポキシからトリフェニルホスフィンに移送してオレフィン類を形成する反応を触媒するためのＭＴＯの使用の６つの例を示している。なお、エポキシド類からのオレフィン発生に関してEspersonとZhu が示した事例のすべてはシクロヘキサン、スチルベン、シクロドデセンなど、単純な非機能性炭化水素を用いている。これらの研究者は第１級ヒドロキシル基など追加的な機能性を含む分子内でそうした変換を実行する可能性については実証していない。実際、EspersonとZhu は後になって、ＭＴＯが一次アルコールを脱水してエーテル及びオレフィン系炭化水素を形成することを示した（Ｊ．Org ．Chem．61，324 −328   （1996）。従って、ＭＴＯ／トリフェニルホスフィンはエポキシフィトールに適用された場合にイソフィトール及びフィトールなどのアリルアルコールを高い収率でもたらすという発見は予想外の、そして驚くべきことである。
【００７９】
フィトール５及びイソフィトール６混合物をトリエチルハイドロキノン４と反応させてアルファ−トコフェロール３をつくるステップは公知の工程で通常知られているように、酸触媒、多くの場合酸化亜鉛などのルイス酸の存在下で行われる。フィトール５及びイソフィトール６の混合物を用いて前駆体だけの場合と同じ収率でアルファ−トコフェロールを調製することも分かっている。
【００８０】
本発明での使用に適したここで示されている一般的な用語での具体的な例示的化合物は以下の通りである。一般的な芳香性溶媒はベンゼン、トルエン、そして０，ｍまたはｐ−キシレンあるいはそれらの混合物である。トルエンが好ましい芳香族溶媒である。一般的な脂肪族溶媒はｎ−ペンテン、ｎ−ヘキサン及びｎ−オクタンとそれらの異性体で、ｎ−ヘプタンが好ましい脂肪族炭化水素である。一般的な環状脂肪族炭化水素はシクロペンタン、シクロヘキサン、メチルシクロヘキサン、そしてシクロヘプタンである。典型的な脂肪族エステルは酢酸メチル、酢酸エチル、酢酸ｎ−プロピル、酢酸ｎ−ブチル、酢酸イソプロピル、プロピオン酸メチル、プロピオン酸エチル、メチル・ブチレート及びエチル・ブチレートなどである。酢酸エチルは好ましい脂肪族エステルである。典型的なアルカン類及び置換アルカン類はメタノール、エタノール、ｎ−プロパノール、イソプロパノール、ｎ−ブタノール、イソブタノール、２−メトキシエタノール、２−エトキシエタノール、そして２−イソプロポキシエタノールなどである。
【００８１】
典型的なエーテルはジエチル・エーテル、ジイソプロピル・エーテル、ジブチル・エーテル、ｎ−ブチル・メチル・エーテル、ｔ−ブチル・メチル・エーテル、そしてテトラヒドロフランなどである。典型的で有益なルイス酸は塩化亜鉛、塩化アルミニウム、三弗化ボロン、塩化第二鉄、及びリン酸である。塩化亜鉛が好ましいルイス酸である。
【００８２】
５．０  ファルネソールのビタミンE への転化
本発明のさらに別の実施の形態においては、ファルネソールからビタミンＥをつくる方法が提供される。この方法は一般的にファルネソールを第1 の中間化合物に転化するステップを含んでおり、この中間化合物は、その中間化合物がその後適切なハイドロキノンと反応されてビタミンE を形成した時に少なくともそのビタミンE のトリメチルトリデシル置換基を形成するのに足るだけの数の炭素原子で構成されている。この方法はさらに、この中間物をハイドロキノンと反応させてビタミンE を形成するステップを含んでいる。好ましくは、この中間物はビタミンE のクロマン環の２位置のメチル及びトリメチルトリデシル置換基の両方を形成するのに十分な数の炭素原子を含んでいる。より好ましくは、この中間物はフィトールとイソフィトールで構成されるグループから選択される。
【００８３】
この中間化合物はファルネソールをファルネサルに酸化することによって調製することができる。アルコールのアルデヒドへの酸化の事例は"Advanced Organic Ch emistry Part B: Reactions and Synthesis"  2nd Ed., Carey and Sunberg, Prenum Press, 1983, printing press. 481-490 に見出すことができ、この資料は参照によってその全体が本明細書に組み込まれる。例えばファルネソールは二酸化マンガン；三酸化クロミウムなどのクロミウム酸化物；酸化銀；スゥエーン酸化条件；およびオッペンナウアー酸化条件を用いて、ファルネサルに酸化することができる。加えて、Marko et al., Science, 1996, 274, 2044に開示されているように触媒を用いることによって触媒性空気酸化を介して酸化することができる。一般的に、このファルネソールからファルネサルへの酸化はトルエンまたはベンゼンなどの比較的非極性中で、触媒としての機能を発揮できるだけの量の塩化銅、１，１０−ペンタンスロライン、ジ−ｔ−ブチルヒドラジカルボキシレート、過剰な炭酸カリウムを約８０℃の温度で使用するステップを含んでいる。
【００８４】
ファルネサルからビタミンE をつくる方法はさらに、ファルネサルからメチル・ケトンを形成するステップを含んでいる場合もある。メチル・ケトンはアセトンやその相当物など適切なケトンのアルドール縮合を含む種々の方法によって形成することができる。例えば、アセトアセテートでファルネサルを縮合して、その後に脱カルボキシル反応を行うと、アセトンでファルネサルをアルドール縮合した場合と同じメチル・ケトンが提供される。このメチル・ケトンは適切なウィティグまたはホーナー−エムソン−ワズワース試薬を用いて形成することもできる。これらの試薬の使用は、例えば、"Advanced Organic Chemistry", 3rd Ed., J. March, John Wiley & Sons, 1985, pp. 855-854 に開示されており、この使用は参照によってその全体が本明細書に組み込まれる。
【００８５】
ファルネソールからビタミンE を生産する方法はさらに、メチル・ケトン内でオレフィン部分を還元してアルキル・メチル・ケトンを形成するステップも含んでいる。オレフィン部分の還元は上にＧＧからのビタミンE の生産に関する箇所で述べてあり、参照によって本明細書に組み入れられる。好ましくは、アリル・メチル・ケトンは６，１０，１４−トリメチル・ペンダデカン−２−ワンである。このアルキル・メチル・ケトンはその後、アリルアルコールに転化される。このアリルアルコールはリチウム・アセチリド、ナトリウム・アセチリド、及びマンガンハロゲン化物アセチリドなどのアセチリドを加え、得られたアセチレン基を部分的にビニル基に還元することでつくることができる。また、アリルアルコールはアリル・メチル・ケトンをビニル・マグネシウム・ハロゲン化物、ビニル・リチウム、あるいはビニル・ナトリウムなどのビニル陰イオンと反応させるなど、この技術分野で公知の他の方法によって直接形成することもできる。
【００８６】
アリルアルコールからのビタミンの形成を特にゲラニルゲラニオールからのビタミンの生産について上に述べた。
ファルネソールからのビタミンE の合成の特に好ましい実施の形態を図３に示す。ファルネソール３−８はアルミニウム・イソプレポキシド及びアセトンを用いてオッペンナウアー酸化条件下でファルネサル３−９に酸化される。そしてファルネサル３−４はアセトンとのアルドール縮合反応によってデヒドロファルネシル・アセトン３−１０に転化される。そして脱水素化によってデヒドロファルネシル・アセトン３−１０でオレフィン部分を還元することで６，１０，１４−トリメチル・ペンタデカン−２−ワン３−１１が形成される。このケトン３−１１に対してアセチリドを加えることで、プロパルギル性アルコール３−１２が発生され、それがリンドラー水素化条件を用いて部分的に還元され、イソフィトール３−１３がつくられる。イソフィトール３−１３が２，３，５−トリメチル・ハイドロキノン３−５と酸触媒の存在下で反応するとビタミンE がつくられる。
【００８７】
６．０  ＧＧＰＰまたはＧＧからのフィトールの生物学的生産
本発明はGGをフィトールまたはフィトールとイソフィトールの混合物に化学的に転化するための方法を提供する。上で述べたように、フィトールあるいはフィトールとイソフィトールの混合物を次に酸の存在下でハイドロキノンと反応させて、ビタミンE を形成することができる。
【００８８】
最近、ゲラニルゲラニル・リガクターゼをコードする遺伝子がアラビドプシス・タリアーナ  エコ型からクローンされた。Columbi ａ  ［Keller et al., Eur. J. Biochem. 251: 413-417 (1998) ］。この酵素はゲラニルゲラニル−クロロフィルのフィチル−クロロフィルへの段階的な還元とＧＧＰＰのフィチル・ジリン酸への還元に対して触媒作用を果たす。本発明に関して言えば、ゲラニルゲラニル・リダクターゼはＧＧのフィトールへの化学的転化に代わる生物学的システムにおいて使用される。例えば、ゲラニルゲラニル・リダクターゼはＧＧＰＰシンターゼ活性も発現するＳ．セレビシアエのｅｒｇ９突然変異体系統において発現される。このリダクターゼはイン・ビボで形成されたＧＧＰＰと反応してフィチル２リン酸をつくる。そしてホスファターゼがフィチル２リン酸を前の箇所で述べたファルネソール−及びＧＧ−生産系統で起きるのと同様にフィトールに転化する。得られた微生物は一回の醗酵でグルコースなどの成長基質から直接フィトールをつくりだす。
【００８９】
また、ゲラニルゲラニル・リダクターゼがＧＧを基質として使うことができるためには、GGが（前の箇所で述べたような）醗酵によってつくられ、それを生物学的変換工程に対して供給原料として使うのに必要な程度まで精製される生物学的工程が提供される。この生物学的変換はゲラニルゲラニル・リダクターゼを用いてＧＧを１回のステップでフィトールに転化する。この生物学的変換は単離されたゲラニルゲラニル・リダクターゼかゲラニルゲラニル・リダクターゼ活性を含む細胞全体のいずれかを用いる。酵素または細胞はその生物学的変換を促進するために基質上で、あるいは架橋によって固定される。工業的な生物学的プロセスにおいてフィトールを生産するためにその活性を高める目的で、ゲラニルゲラニル・リダクターゼを遺伝子修飾で修飾することも予想される。
【００９０】
ゲラニルゲラニル・リダクターゼを用いた生物学的プロセスで形成されたフィトールは回収され、酸の存在下でハイドロキノンと反応してビタミンＥを形成するのに必要な程度まで精製される。
【００９１】
７．０  ファルネソールからのビタミンＡの化学的生産
上に述べたように、本発明はファルネソールからα、β−不飽和ポリエン・カルボニル化合物を調製するステップを含んでいる。本発明で用いられる場合、α、β−不飽和ポリエン・カルボニル化合物は２つ以上のオレフィン部分を有し、それらのオレフィン部分の少なくとも１つがカルボニル基と結合している化合物を意味している。カルボニル基は炭素−酸素二重結合部分の存在を意味している。具体的なカルボニル基はアルデヒド類、ケトン類、エステル類、酸、無水物、そしてアクリル・ハロゲン化物などである。好ましくは、α、β−不飽和ポリエン・カルボニル化合物は以下の化学式を有しており、ここでＺはO またはＣＨＣＯ２Ｒであり、Ｒは水素またはＣ１−Ｃ１０ヒドロカルビルである。
【００９２】
【化６】
0004579415.tif 000007
本発明によるヒロドカルビル基は１から約１０個の炭素原子を有する脂肪族、環式、または芳香族炭化水素を含んでいる。ヒドロカルビル基は直鎖でも分岐していてもよい。さらに、ヒドロカルビル基はオプションとして、ハロ、アリル、ヒドロキシ、アルコキシ、ナルボキシ、オキソ、及びシクロアルキルなどで置換することができる。ヒドロカルビル基に沿って、１つまたは複数の酸素、硫黄、あるいは置換または非置換窒素原子などが挿入されてもいてもよい。ヒドロカルビル基の例としては、メチル、エチル、ｉ−プロピル、ｎ−ブチル、ｔ−ブチル、ｎ−ペンチル、ｉ−ペンチル、へプチル、そしてオクチルなどである。
【００９３】
α、β−不飽和ポリエン・カルボニル化合物は種々の方法でファルネソールからつくることができる。本発明の特に好ましい実施の形態においては、ファルネソールはファルネサルに酸化され、それは次にα、β−不飽和ポリエン・カルボニル化合物に転化される。アルコール（例えばファルネソール）のアルデヒド（例えばファルネサル）への酸化の事例は"Advanced Organic Chemistry Part B: Reactions and Synthesis" 2nd Ed., Carey and Sundberg, Prenum Press, 1983, pp. 481-490 に見出すことができ、この資料は参照によってその全体が本明細書に組み込まれる。例えば、ファルネソールは二酸化マンガン、三酸化クロミウムおよび二クロム酸塩；酸化銀；スウェーン酸化条件、及びオンペナウアー酸化条件を用いてファルネサルに酸化することができる。加えて、ファルネソールはMarko   et  al．，Science ，1996，274 ，2044によって開示されているような触媒を用いて触媒性空気酸化を介して酸化することができる。一般的に、このファルネソールのファルネサルに対する空気酸化は触媒としての機能を果たせる量の酸化銅、１，１０−ペンタンスロリン、ジ−ｔ−ブチルヒドラゾジカルボキシレート、そして過剰な炭酸カリウムをトルエンやベンゼンなどの相対的に非極性の溶媒中で約８０℃の温度で用いるステップを含んでいる。
【００９４】
ファルネソールからビタミンA をつくる方法はさらに、α、β−不飽和ポリエン・カルボニル化合物を環状化して、環状α、β−不飽和ポリエン・カルボニル化合物を形成するステップも含んでいる。好ましくは、この環状α、β−不飽和ポリエン・カルボニル化合物は次式の構造を有している。
【００９５】
【化７】
0004579415.tif 000008
ここで、Z はＯまたはＣＨＣＯ２Ｒであり、ＲはＣ１−Ｃ１０ヒドロカルビルである。ＺがO の場合、この方法はO をＣＨＣＯ２ＲまたはＣＨＣＮに変換するステップを含む場合もある。この変換は適切な試薬を用いてアルドル濃縮を行うことで達成できる。例えば、Ｒを水素あるいはＣ１−   Ｃ１０ヒドロカルビルとして、環状α、β−不飽和ポリエン・カルボニル化合物をＮＣＣＨ２ＣＯ２Ｒでアルドル濃縮を行い、次に、例えば、脱カルボニル化によってＣＯ２Ｒ部分を除去することによって、カルボニル酸素がＣＨＣＮ部分と取り換えられた化合物が得られる。また、ＲとＲ’を独立の水素あるいはＣ１−Ｃ１０ヒドロカルビルとして、ＮＣＣＨ２ＣＯ２Ｒの代わりにＲ’Ｏ２ＣＣＨ２ＣＯ２Ｒを用いると、カルボニル酸素がＣＯ２Ｒ部分と置換された化合物が提供される。
【００９６】
ファルネソールからビタミンA をつくる方法はさらに、エステル基（ＣＨＣＯ２Ｒ）あるいはニトリル基（ＣＨＣＮ）をアルコールに還元するステップを含むこともできる。
【００９７】
図１０は、ファルネソール１からのビタミンＡを生産するための特に好ましい実施の形態を示している。アセトンとファルネサル１の酸化から誘導されるファルネサル２との間のアルドル濃縮は、デヒドロファルネシル・アセトン３の形成をもたらす。ファルネサル２からデヒドロファルネシル・アセトン３を合成するために種々の方法を用いることができる。本発明の１つの側面において、ファルネサル２とアセトンで構成される混合物を塩基の存在下でデヒドロフラネシル・アセトン３をつくるのに十分な反応条件にかける。アルドル濃縮反応の最初の生成物はβ−ヒドロキシ・ケトンで、これは通常デヒドロファルネシル・アセトン３をつくりだす反応条件のもとで取り除かれてしまう。しかしながら、いくつかの場合、一部あるいはすべてのβ−ヒドロキシ・ケトン中間物を生成物として得ることができる。この場合、単にβ−ヒドロキシ・ケトンを酸性または塩基性条件に曝すだけで、ヒドロキシ基が取り除かれ、望ましいデヒドロファルネシル・アセトン３が得られる。
【００９８】
デヒドロファルネシル３はファルネサル２と式Ｒ１ＣＨ２Ｃ（＝Ｏ）ＣＨ２Ｒ２の式で示される化合物の混合物をデヒドロファルネシル・アセトン３をつくるのに十分な条件にかけることでファルネサル２から得ることができ、この式でＲ１は式−ＣＯ２Ｒ３で示される組成物の部分であり、Ｒ２は水素または式−ＣＯ２Ｒ３の一部であり、そしてＲ３は１から約１０の炭素原子を有するヒドロカルビルである。ファルネサル２と式Ｒ１ＣＨ２Ｃ（＝Ｏ）ＣＨ２Ｒ２の部分との間の反応からデヒドロファネシル・アセトン３を得るためには、Ｒ１及び／またはＲ２カルボキシレート基を取り除くために得られた生成物を脱カルボキシル化条件にかけることが必要な場合もある。一般に、この脱カルボキシル化条件はエステル基をカルボキシル酸またはその塩へ転化することが必要であり、これは酸性または塩基性条件のいずれかによってエステルの鹸化を行うことで達成される。
【００９９】
再度図１０で、デヒドロファネシル・アセトン３と式ＸＣＨ２ＣＯ２Ｒ（Ｒは水素またはＣ１−Ｃ10ヒドロカルビルであり、Ｘはハロゲン化物）で示される化合物とで構成される混合物をＣ２０−グリシディック・エステル４をつくるのに十分な塩基性条件に露出させる。好ましくはＲはメチル、エチル、及びｔ−ブチルで構成されるグループから選択される。好ましくはＸは塩素、臭素、及びヨウ素から選択される。そしてＣ２０−グリシディック・エステル4 を再構成及び脱水に十分な条件にかけて、偽レチノイン酸エステル５をつくる。通常、この再構成はＣ２０−グリシディック・エステル４を酸と接触させてＣ２０−ヒドロキシ化合物（図示せず）を形成することによって行われる。このＣ２０−ヒドロキシ化合物を次に反応条件化で脱水するか、あるいは個別脱水条件にかけて望ましい偽レチノイン酸エステル５をつくりだす。Ｃ２０−ヒドロキシ化合物の脱水は酸性条件、塩基性条件のいずれの下でも達成できる。この偽レチノイン酸エステル５を環化を行わせるのに十分な条件にかけるとレチノイン酸エステル６がつくりだされる。通常の環化条件は上記偽レチノイン酸エステル５を酸と接触させるステップを含んでいる。この酸はオレフィン部分に陽イオンを付加して、従ってカルボニウム・イオンを発生させ、つまりは環化を可能にするような炭素化が行える程度に十分に強くなければならない。また、ハロゲン化物及び／またはカルボキシル酸などのような比較的弱い求核試薬を付加して、得られた環状化酸素化合物を捕らえるようにすることもできる。弱い求核試薬が存在している場合は、得られた環化生成物は反応条件化で消滅されてしまう可能性のある求核試薬を含んでいる場合もあり、あるいは別の反応条件での消滅で取り除かれてしまう可能性もある。好ましくは、この酸は塩酸、リン酸、フルオロスルホン酸、硫酸、及び蟻酸や酢酸などのカルボキシル酸、およびそれらの混合物で構成されるグループから選択される。酢酸ファルネシルなどの１，５−ジエンを酸を用いて環化するための条件は
【０１００】
Muntyan et al., Izev. Akad. Nauk SSSR, Ser. Khin., 1973,633 及びStork and Burgstahler, J. Amer. Chem. Soc., 1955, 77,  5068に開示されており、これらの資料は参照によってその全体が本明細書に組み込まれる。
【０１０１】
また、偽レチノイン酸エステル5 は酵素を用いてでも環化させることができる。例えば、リコペン・サイクラーゼが適切なＣ４０鎖を環化させてカルテノイド類をつくることは良く知られている。同様に、サイクラーゼ酵素は偽レチノイン酸エステルやその誘導体を環化して、レチノイン酸エステルあるいは誘導体をつくるために用いることができる。
【０１０２】
再度図１０に触れると、１つの実施の形態で、レチノイン酸エステル６がビタミンＡに還元される。この還元はＬｉＡｌＨ４、ナトリウム・ビス（２−メトキシエトキシ）アルミニウム水素化物、そしてジイソブチルアルミニウム水素化物などの化合物を用いて、水素化物還元など公知のエステル還元反応のいずれかによって行うことができる。また、レチノイン酸エステル６は酸性または塩基性条件下で鹸化あるいは加水分解してレチノイン酸をつくり、それを次にボラン（Ｂ２Ｈ６）などの化合物を用いてオレフィンの存在下でカルボキシル酸基を選択的に還元して、ビタミンＡ（レチノール）８をつくることができる。
【０１０３】
図１０に示すように、本発明の別の側面で、レチノイン酸エステル６は先ずそのレチノイン酸エステル６を第1 の還元剤と接触させてレチナール７に還元される。このレチナール７を次に第２の還元剤に接触させてビタミンA （８）をつくる。
【０１０４】
上記第１の還元剤はエステルをアルデヒドに還元する。エステルをアルデヒドに還元するために現在用いることができる方法や還元剤は多数ある。そうした還元剤としてはジイソブチルアルミニウム水素化物などがある。第２の還元剤は通常アルデヒドをアルコールに還元するが、こうした還元剤の一部はエステルを直接アルコールに還元する場合もある。こうした第２の還元剤としては、ＬｉＡｌＨ４、ジイソブチルアルミニウム水素化物、ナトリウム・ビス（２−メトキシエトキシ）アルミニウム水素化物、そしてナトリウム臭素水素化物などがある。
【０１０５】
アセテート９またはその他のビタミンＡエステル誘導体はビタミンＡをそれぞれビタミンＡアセテートあるいは他のビタミンＡエステル誘導体をつくるのに十分な条件で、アセチル化剤あるいは他のアシル転移剤と接触させることで得られる。具体的なアセチル化剤及びアシル転移剤は酢酸の無水物あるいはアシル塩化物、プロパノイン酸、蟻酸、ブタノイン酸、そして混合無水物などである。通常、触媒あるいは塩基もアシル転移反応において用いられる。アシル転移において有益な具体的塩基としては、水酸化物、ナトリウムの炭酸塩及び二炭酸塩、リチウム及びカリウム、そしてピリジンやトリメチル・アミンなどのアミン類などである。アシル転移触媒はまた、反応を円滑に行ったり、反応時間を短くするためにも用いることができる。具体的なアシル転移触媒はジメチルアミノピリジン（ＤＭＡＰ）などである。
【０１０６】
ファルネサルからビタミンＡをつくるための別の特に好ましい実施の形態を図１１に示す。デヒドロファルネシル・アセトン３（その生産については上に述べた）をビス（デヒドロ）−Ｃ１８−ケトン１０をつくるのに十分な脱水素化条件にかけられる。デヒドロファルネシル・アセトン３の脱水素化はデヒドロファルネシル・アセトン３を脱水素化剤と接触させることで達成される。具体的な脱水素化剤は、２，３−ジクロロ−５，６−ジシアノ−１，４−ベンゾキノン（ＤＤＱ）、パラジウム、白金及びニッケルなどの金属触媒、そしてその他の適切な脱水素化剤などである。
【０１０７】
このビス（デヒドロ）−Ｃ１８−ケトン１０を次に環化を行わせるのに十分な条件にかけて環状Ｃ１８−ケトン１１を形成する。典型的な環化条件はビス（デヒドロ）−Ｃ１８−ケトン１０を酸と接触させるステップを含んでいる。酢酸ファルネシルなどの１，５−ジエンの環化のための典型的な反応条件を上に述べたが、これはこの環化のためにも用いることができる。この環化はニッケル及びロジウムを含む当業者に公知の金属触媒によっても行うことができる。ビス（デヒドロ）−Ｃ１８−ケトン１０は酵素を用いてでも環状化することができる。こうした有益な酵素については上に述べた。
【０１０８】
再度図１１で、環状Ｃ１８−ケトン１１と式ＮＣＣＨ２ＣＯ２Ｒで示される化合物で構成される混合物はＣ２０−ニトリル１２を形成するのに十分な条件にかけられる。この式でＲは水素またはＣ１−Ｃ１０ヒドロカルビルである。Ｒが水素の場合、α−ニトリル酢酸がカルボキシル基の陽子とカルボニル基のα−陽子を取り除くために、塩基と接触される。これら２つの陽子は２つの異なった塩基、つまりカルボキシル性陽子のためのものとα−陽子のためのものを用いて取り除くこともできるし、あるいは両方の陽子を、両方の陽子を除去するのに十分な強さの１つの塩基を用いて除去することもできる。ＲがＣ１−Ｃ１０ヒドロカルビルである場合は、α−ニトリル・アセテートから陽子を奪うのに十分な強さの塩基が用いられる。ＮＣＣＨ２ＣＯ２Ｒは２つの電子引き出し基を含んでいるので、水酸化物やアミンなどの比較的弱い塩基を用いてα−陽子を取り除くことができる。脱陽子化されたα−ニトリル酢酸は次に環状Ｃ１８−ケトン１１との濃縮反応にかけられ、その後、脱水及び脱カルボニル工程にかけられて、Ｃ２０−ニトリル化合物１２をつくりだす。脱水は濃縮反応下で起きる場合もあるし、別個の反応条件で起こすこともできる。ＲがＣ１−Ｃ１０ヒドロカルビルの場合、濃縮された生成物を脱カルボキシル化条件にかけるまえに、そのアルキル基を鹸化、つまり、加水分解してカルボキシル酸を形成することが重要である。濃縮された生成物の脱カルボキシル化条件は一般的には濃縮された生成物を昇温状態にさらすことが必要である。
【０１０９】
Ｃ２０−ニトリル１２はその後第1 の還元剤とレチナール７をつくるのに十分な条件で第１の還元剤と接触させられるか、あるいは十分に強力な還元剤で還元してビタミンＡ（８）をつくることができる。レチナール７は第２の還元剤を用いて還元しビタミンＡを提供することができる。これらの還元を行うのに適切な還元条件及び還元剤については上に述べた。ビタミンＡはさらにそれを上に述べたような適切なエステル化剤と反応させてビタミンＡエステル誘導体にさらに転化することができる。
【０１１０】
本発明の別の実施の形態で、上に述べたプロセスのいずれかでつくられるレチナール７がβ−アセトン１３をつくるのに十分な条件にかけられる。例えば、図１２の１に示すように、この技術分野で知られているいわゆるマクマリー結合反応条件にかけられるとレチナール７の２つの分子が結合反応を起こす。このマクマリー反応は有機化学の分野でよく知られており、米国特許第４，２５５，７３４にもJohn  MucMurryによって開示されている。この資料は参照によってその全体が本明細書に組み込まれる。要するに、マクマリー結合反応はケトンやアルデヒド類などのカルボニル基の反応性Ｔｉ（ＩＩ）及び／またはＴｉ（０）種からのオレフィンの生産ステップを含んでいる。一般的に、反応種はＬｉＡｌＨ４、N ａ、Ｋ、Ｚｎ、Ｍｇ、ＮａＢＨ４、ＣａＨ２、及びＬｉＢＨ４で構成されるグループから選択される還元剤でＴｉ（III ）あるいはＴｉ（IV）を還元することによって、ｉｎ  ｓｉｔｕで発生される。Ｔｉ（III ）及びＴｉ（IV）種は通常、それぞれＴｉＣｌ３及びＴｉＣｌ４などのチタニウム・ハロゲン化物である。
【０１１１】
本発明の別の実施の形態で、β−カロテン１３は上に述べた方法のいずれかで生産されたビタミンＡからつくられる。図１３に示すように、レチニル・ハロゲン化物１５をレチニルフェニル・スルホネート１４と反応させるステップを含んでいる。レチニル・ハロゲン化物２５は上に述べた工程でつくられたビタミンＡをHX、P （X ）３、及びＰ（Ｒ４）３とX ２との混合物で構成されるグループから選択される反応混合物とレチニル・ハロゲン化物をつくるのに十分な条件で接触させることによってつくられる。なお上の式で、X はハロゲン化物であり、X ２はハロゲン、そしてＲ４はＣ１−Ｃ１０ヒドロカルビルである。レチニル・ハロゲン化物１５は次にＣ４０−スルホン１６をつくるのに十分な条件でレチニルフェニルスルホン１４の陰イオンと接触させられる。レチニルフェニル・スルホネート１４がレチニル・ハロゲン化物１５と接触させられる前に塩基で脱陽イオン化される場合は、その塩基はレチニルフェニル・スルホネート１４のほとんどすべてを脱陽イオン化するにの十分な強さを持っている。それをレチニル・ハロゲン化物１５と接触させる前にレチニルフェニル・スルホネート１４のほとんどすべてを脱陽イオン化するための具体的な塩基としてはリチウム・ジイソプロピルアミド（ＬＤＡ）、ナトリウム・ヘキサメチルジシルアミド（ＮａＨＭＤＳ）、メチル・リチウム、ブチル・リチウム、ｔ−ブチル・リチウム、ｓｅｃ−ブチル・リチウム、カリウム水素化物、ナトリウム水素化物、そしてｔ−ブトキシドなどである。また、レチノール・ハロゲン化物１５、レチルフェニルスルホン１４及び塩基はすべて反応装置内で混ぜ合わされ、そして塩基にレチニル・ハロゲン化物１５と反応してＣ４０−スルホン１６を形成することができる一部のレチニルフェニルスルホンを脱陽イオン化させる。つまり、レチニルフェニル・スルホネート１４の反応性陰イオン種がｉｎ  ｓｉｔｕで発生される。
【０１１２】
再度図１３で、レチニルフェニルスルホン１４は酢酸レチニル９などのレチニル・エステルあるいはレチニル・ハロゲン化物１５をレチニルフェニルスルホン１４をつくるのに十分な条件でフェニルスルフィン酸で構成される反応混合物と反応させることによってつくることができる。塩基を用いてフェニルスルフィン酸を脱陽イオン化し、それを酢酸レチニルまたはレチニル・ハロゲン化物１５と求核反応させてレチニルフェニルスルホン１４をつくることができる。フェニルスルフィン酸はＬＤＡ、メチル・リチウム、ＮａＨＭＤＳ、ｔ−ブチル・リチウム、ｓｅｃ−ブチル・リチウム、ＮａＨ、KH、あるいはｔ−ブトキシなどの塩基を用いて、酢酸レチニルあるいはレチニル・ハロゲン化物１５と接触させる前にほとんど完全に脱陽イオン化することができる。また、脱陽イオン化されたフェニルスルフィン酸は水酸化物、リチウムの重炭酸塩及び炭酸塩、ナトリウムとカルシウム、トリエチルアミン及びイイソプロピル・エチルアミンなどのアミン類、そしてメトキシ、エトキシ、及びｔ−ブトキシなどのアルコキシド類などの塩基を用いてｉｎ  ｓｉｔｕで発生させることができる。
【０１１３】
レチニル・ハロゲン化物とレチノフェニルスルホン１４との間の反応によってつくられるＣ４０−スルホン１６をフェニルスルフィン酸を取り除いてβ−カロテン１３をつくるのに十分な条件にかける。Ｃ４０−スルホン１６からのフェニルスルフィン酸の除去はＣ４０−スルホン１６を塩基と接触させることによって達成される。除去反応のために有益な塩基としては、ＬＤＡ、メチル・リチウム、ジイソプロピル・エチルアミン、水酸化物、そしてメテョキシド、エトキシド、及びｔ−ブトキシドなどのアルコキシドである。
【０１１４】
以下の実施例は本発明の実施の形態を説明するために提供されるもので、請求項に記載されているような本発明の範囲の限定は意図していない。
実施例
実施例１
この実施例は亜硝酸を用いてのS.セレビシアエ系統ＡＴＣＣ２８３８３の化学的突然変異誘発によるｅｒｇ９突然変異体創生について述べている。
【０１１５】
上にも記したように、ファルネソールまたはＧＧの収率を増大させる１つの方法はスクアレン・シンターゼ活性を低下あるいは除去することである。S.セレビシアエにおいては、スクアレン・シンターゼはＥＲＧ９遺伝子によりコードされる。
【０１１６】
Ａ．突然変異誘発
系統２８３８３はＡＴＣＣから得られた。これは以下で比較目的のために以下のいくつかの実施例で用いられた系統６０４３１（同様にＡＴＣＣから得られた）の親である。系統６０４３１はファルネソールをつくりだすｅｒｇ９である。
【０１１７】
殺滅曲線をＡＴＣＣ２８３８３で亜硝酸を用いて作成した。このキル曲線から得られる情報を用いて、亜硝酸によるＡＴＣＣ２８３８３の突然変異誘発を以下の手順で行った。２８３８３細胞をＹＰＤ培養液（１％バクト−酵母抽出物、２％バクト−ペプトン、及び２％グルコース）内で３０℃の温度下で振動させながら一昼夜培養した。これらの細胞を洗浄して、突然変異誘発を行った。突然変異誘発後、これらの細胞にそれらをＹＰＤＣ（ＹＰＤ＋４ｍｇ／Ｌコレステロール）を２２％の温度下で一昼夜培養して回収させた。培養をその後で洗浄して、種々のレベルのニスタチン（２０、３０、４０、５０ｍｇ／Ｌ）を含むＹＰＤＣ寒天細胞培養基に入れた。これらの培養を２２℃の温度で培養した。
【０１１８】
抗菌ポリエン抗生ニスタチンはエルゴステロールと個別的に結合して成長中の細胞における細胞壁合成を抑制し、それが選択的な透過性を変化させてしまう。ニスタチンに抵抗性を示すいくつかの系統はエルゴステロールの生産を低下してしまうことが示されている。ニスタチンは、外部から供給された場合にエルゴステロールと効率的にステロール栄養要求体によって使用されるコレステロールとの親和性をまったくではないにしてもほとんど持っていない。
【０１１９】
約３０００のナスタチン抵抗性コロニーが得られた。それらを温度感受性（ｔｓ）及びステロール栄養要求に関してスクリーニングした。温度感受性を判定するために、突然変異誘発された細胞をＹＰＤＣ上で許容温度（２２oC）下で成長させて、その後、複製物をＹＰＤに入れて、制限温度（３７oC）下で培養した。高めの温度で成長できないすべての細胞はステロール経路で条件的に致命的な欠陥と構成的に致命的な欠陥の両方を有するものを含んでいる。温度に対して感受性の強い突然変異体はＹＰＤ寒天細胞培養基上に複製をプレートして２８oCの温度で一昼夜培養することによってステロール栄養要求に関してスクリーニングした。３０００のニスタチン抵抗性コロニーのうち、ｔｓ及びステロール栄養要求を確認した後に、１７０のコロニーを保存した。
【０１２０】
Ｂ．試験管アッセイ
１７０系統について、最初に試験管アッセイでファルネソール及びその他のイソプレノイド経路の中間物に関して以下の手順で評価を行った。細胞をねじキャップ付きの試験管内に入れた１０ｍｌのＹＰＤＣ内で細胞を４８時間、２８oCの温度下で振動させながら培養した。これらの細胞を２８００ｒｐｍで５−１０分間遠心分離にかけ、そして上清を別の試験管に移した。これらの細胞を１度５ｍｌの蒸留水で洗浄して、再度２８００ｒｐｍの回転速度で５−１０分間遠心分離にかけた。
【０１２１】
２．５ｍｌの０．２％ピラゴロール（をメタノールに入れたもの）と１．２５ｍｌの６０％ＫＯＨ（を蒸留水に入れたもの）を加えて、回転混合させ、そして、７０−７５％水槽内で１．５時間培養した。この鹸化後に、５ｍｌヘキサンを加えて、そしてその試験管に再度キャップを付けて１５−３０秒攪拌させた。この試験管を２８００ｒｐｍで５分間遠心分離にかけていくつかの相を分離した。ヘキサン層を回収した。必要があれば、このサンプルを窒素下で溶媒を蒸発させ、適切な量のヘキサンを分析のために再度加えることによって濃縮することができる。
【０１２２】
上清を抽出するために、５ｍｌのヘキサンをその上清に加えて、そして試験管に再度キャップを取り付けて、１５−３０秒間回転させた。この試験管を２８００ｒｐｍで２５分間遠心分離にかけて、複数の相に分離した。ヘキサン層を回収して、そのサンプルを溶媒を蒸発させ、分析のために適切な量のヘキサンを加え戻すことによって濃縮した。
【０１２３】
この一次スクリーニングからのヘキサン抽出物を薄層クロマトグラフィー（ＴＬＣ）によって分析して、さらにファルネソール及びイソプレノイド経路の他の中間物の存在をガス・クロマトグラフィー（ＧＣ）／質量分光測定（ＭＳ）によって確認した。６：４（ｖ／ｖ）エチルアセテート／アセトニトリル（ＥｔｏＡｃ／ＭｅＣＮ）を可動相として用い、さらに２％（ｗ／ｖ）ホスホモリブデン酸（ＰＭＡ）をエタノールに溶かしたものを検出用に用いて逆相Ｃ１８シリカ・ゲル・プレート上でＴＬＣを行った。Hewlet  Packard ５８９０  ＧＣ及び５９７０シリーズ質量選択性検出装置を用いてＧＣ／ＭＳを行った。用いられたカラムはRestek  Ｒｔｘ−５ＭＳ（１５ｍ長、０．２５ｍｍ  ＩＤ、１μｍ）フィルム・システムであった。１３の突然変異がファルネソールあるいはその他の中間物の生産因子として識別された。
【０１２４】
Ｃ．振動フラスコ・アッセイ
次にこれら１３個の突然変異体を振動フラスコ内で親系統である２８３８３及びファルネソール生産系統６４０３１と共にスクリーニングにかけた。２５０ｍｌのバッフル付きエルレンメーヤー・フラスコに入れた５０ｍｌのＹＰＤＣ培養液を最初のODを０．０５の６００ｎｍに設定して、振動しながら２８℃の温度で一昼夜培養した。これらのフラスコからサンプルを採取し、６００ｎｍでのＯＤ、乾重量及びステロール含有量を判定した。乾重量を測定するために、５ｍｌの培養物を８０００ｒｐｍで遠心分離にかけた。それらの細胞を蒸留水で２回洗浄し、そして細胞ペレットを３−５ｍｌ蒸留水に再懸濁させて、計量前乾燥重量パンに移した。このパンを１００℃オーブン内に２４時間入れて、その後、デシケータ内で冷却して、化学天秤で計量し、そして
【０１２５】
［総重量（パン＋細胞）−パン重量］ｘ２００＝乾重量（ｇ／Ｌ）
の式からｇ／Ｌでの乾重量を判定した。ステロール判定のために、２０ｍｌの培養を処理して、細胞ペレットと上清を抽出し、ファルネソールと他のステロールを上に述べたように測定した。
【０１２６】
１３の突然変異体のうちの７つはエゴステロール経路における中間物をつくりだすように見えたので、さらに、他の振動フラスコ実験でさらに評価を行った（以下参照）。１３個の突然変異体すべては最も高いレベルのニスタチンに対する抵抗性によって選択されたものである。
【０１２７】
一昼夜培養を用いて７つの突然変異体系統（ＭＢＮＡ１−１、ＭＢＮＡ１−５、ＭＢＮＡ１−９、ＭＢＮＡ１−１０、ＭＢＮＡ１−１１、ＭＢＮＡ１−１３、ＭＢＮＡ１−１４）、親系統２８３８３、及び突然変異体系統６４０３１のそれぞれに対して５０ｍｌのＹＰＤＣ培溶液を三つ組みフラスコで接種した。これらの細胞と培養液を上に述べたように２４、２８、および７２時間目にヘキサン内に抽出した。（上に述べたような）乾重量分析をこれらそれぞれの時点で行って細胞密度を判定した。ヘキサン抽出物をＧＣ／ＭＳで分析して、それぞれのファルネソール、スクアレン、コレステロール、及びエルゴステロール・レベルについて調べた。ファルネソールに関する結果を以下の表３に示す。
【０１２８】
培養上清内で低レベルのファルネソールが認められ、ずっと高いレベルが細胞内に蓄積していた。系統ＭＢＮＡ１−１は１％ファルネソールをつくりだし、また７２時間目に０．１％エルゴステロールをつくった。系統ＭＢＮＡ１−５はファルネソールはつくらなかったが、０．３％スクアレンをつくりだした。系統ＭＢＮＡ１−９は４８時間後に０．６４％ファルネソールを生産した。ＭＢＮＡ１−１０、ＭＢＮＡ１−１１、及びＭＢＮＡ１−１４は細胞内に非常に低いレベルのファルネソールをつくりだし、エルゴステロールもつくるように思われた。ＭＢＮＡ１−１３は細胞乾重量（４２，１８７ｎｇ／ｍｌ培養）に基づいて最も高いファルネソール生産（２．５％）を示したが、エルゴステロールの産出はまったくしめさなかった。従って、ＭＢＮＡ１−１とＭＢＮＡ１−９が低いレベルのファルネソールをつくりだし、成長のためにエルゴステロールは必要としなかったのに対して、ＭＢＮＡ１−１３は最も高いレベルのファルネソールを生産し、成長のためにステロール補給を強く必要としていたので、ファルネソールを生産する系統（ＭＢＮＡ１−１、ＭＢＮＡ１−９、及びＭＢＮＡ１−１３）の間にはエルゴステロール系統の遮断の程度において違いがあるように思われた。親系統２８３８３は最大で０．４％のエルゴステロール生産を示し（ファルネソールは生産しない）、そしてｅｒｇ９突然変異体系統６４０３１は約０．４％のファルネソール蓄積を示した。
【０１２９】
【表３】
0004579415.tif 000009
Ｄ．酵素分析
すべての酵素アッセイにおいて、細胞はＹＰＤＥ培養液内で成長させた。（５ｍｇ／Ｌエルゴステロールを含むＹＰＤ培養液）。これらの細胞は遠心分離で取り出した。１グラムの細胞（湿重量）は０．１Ｍトリス塩酸、ｐＨ７．０内に懸濁させた。その後、細胞懸濁液をフレンチ圧力セル（２０，０００ｐｓｉ）を通過させて処理した。得られた（溶解）細胞懸濁液を遠心分離にかけ（１５，０００ｘｇ）、そしてその上清（細胞を含まない抽出物）を特に具体的な注釈がない限りそのまま酵素アッセイに用いた。
【０１３０】
これらの突然変異体のスクアレン・シンターゼ活性に関して調べた。スクアレン・シンターゼ・アッセイは還元形態のニコチンアミド・ジヌクレオチド・リン酸（ＮＡＤＰＨ）の存在下でのＦＰＰによる細胞を含まない抽出物の培養、酢酸エチルへの抽出、そしてＧＣによるスクアレン検出のステップを含んでいた。
【０１３１】
具体的には、０．１Ｍトリス塩酸  ｐＨ（ＸμＬ）、０．１Ｍ  ＤＴＴ（２μＬ）、０．１Ｍ  ＭｇＣｌ２（１０μＬ）、０．１Ｍ  ＮＡＤＰＨ（４μＬ）、１ｍｇ／ｍＬ  ＦＰＰ（６μＬ）、及び細胞を含まない抽出物（７０００ｘｇ上清）（ＹμＬ）を混ぜ合わせ、Ｘ＋Ｙ＝１７８μＬを最大２００μＬとするようにした。この混合物をガラス・チューブ内で３７℃の温度で４０分間培養した。そして、０．１５ｍＬ酢酸エチルで抽出させた。抽出物をプラスチックびんに移して、１５，０００ｘｇで５分間遠心分離にかけた。酢酸エチル抽出物をＧＣ／ＭＳを用いて分析した。
【０１３２】
表４は突然変異体ＭＢＮＡ１−１、ＭＢＮＡ１−９、ＭＢＮＡ１−１３、及びＡＴＣＣ系統６４０３１、及び２８３８３におけるスクアレン・シンターゼ・レベルを示している。スクアレン・シンターゼ活性は野生種生物２８３８３の場合、０．１２μｇ形成スクアレン／分ｘ１ｍｇ蛋白質であった。他の４つの系統における活性レベルはこのアッセイでの検出可能レベル以下であった。ＭＢＮＡ１−１、ＭＢＮＡ１−９、及び６４０３１はファルネソールと定量のエルゴステロールを生産する部分的にブロックされた突然変異体と特徴づけられているので、それらにおいてはスクアレン・シンターゼ・レベルが低いことが予想される。ＭＢＮＡ１−１３はステロールの追加がなければ成長できないファルネソール生産突然変異体であるので、従ってブロックされた突然変異体は検出可能なレベルのスクアレン・シンターゼを持っていないことが予想される。これらの系統の抽出物をより高い濃度の細胞を含まない抽出物を用い、より長い時間をかけて再度調べた。この場合もスクアレン・シンターゼはいずれの突然変異体においても検出されなかった。
【０１３３】
【表４】
0004579415.tif 000010
ファルネソール産出系統（ＭＢＮＡ１−１、ＭＢＮＡ１−９及びＭＢＮＡ１−１３）とそれらの親系統２８３８３に対して酵素分析を行った。比較された酵素レベルはアセトアセチルＣｏＡチオラーゼ、ＭＨＧ−ＣｏＡシンターゼ、ＨＭＧ−ＣｏＡリダクターゼ、ＦＰＰシンターゼ、そしてホスファターゼのものであった。細胞を含まない抽出物は上に述べたように調製した。
【０１３４】
ＦＰＰシンターゼ・アッセイのために、０．１Ｍ  ＤＴＴ（２μＬ）、０．１Ｍ  ＭｇＣｌ２（２μＬ）、１μｇ／ｍＬ  ＩＰＰ（６μＬ）、１ｍｇ／μＬ  ＧＰＰ（６μＬ）、細胞を含まない抽出物（Ｙ）、及び０．１Ｍトリス塩酸（ｐＨ  ７．０）（ＸμＬ）をＸ＋Ｙ＝８４μＬとなるように混ぜ合わせ、３７℃の温度下で１５分間培養した。この混合物を次に０．３ｍＬヘキサンで２度抽出して、完全には形成されていないファルネソールを取り除いた。次に、０．１ｍＬの２ｘグリシン緩衝液（０．２Ｍグリシン、２ｍＭ  ＭｇＣｌ２、２ｍＭ  ＺｎＣｌ２）  ｐＨ１０．４、そして３３単位のアルカライン・ホスファターゼを加え、それらの混合物を３７℃の温度で１時間培養した。この混合物を０．１ｍＬの酢酸エチルで抽出して、硫酸ナトリウムで乾燥させた。ファルネソールはＧＣで判定した。各アッセイでホスファターゼを含まない比較対象も用いられた。
【０１３５】
ＨＭＧ−ＣｏＡリダクターゼはＨＭＧ−ＣｏＡとＮＡＤＰＨが反応して、メバロン酸、ニコチンアミド・アデニン・デヌクレオチド・リン酸（ＮＡＤＰ）及びＣｏＡを形成するプロセス（図１参照）を触媒する。これらのアッセイのために、細胞を含まない抽出物を、処理を加えた細胞懸濁液を１５，０００ｘｇではなく７，０００ｘｇで遠心分離したことを除けば上に述べたのと同様の手順で調製した。反応に続いて、高性能液体クロマトグラフィー（ＨＰＬＣ）ｄｅＨＭＧ−ＣｏＡの消費を監視した。アッセイを行うために、０．１Ｍ  Ｎａ２Ｈ２Ｐ２Ｏ７  ｐＨ６．５、２ｍＭ  ＤＴＴ、１ｍＭ  ＮＡＤＰＨ、０．４ｍＭ  ＨＭＧ−ＣｏＡ、及び細胞を含まない抽出物（抽出物の体積は変えられ、残りの０．１ｍＬの反応物は０．１Ｍ  Ｎａ２Ｈ２Ｐ２Ｏ７、ｐＨ６．５で構成されていた）を含む反応混合物（最終体積０．１ｍｌ）を３７℃で１５分間培養した。この反応をＨＰＬＣ（Ｌｕｎａ  Ｃ１８（Phenomenex））逆相カラムで０％溶媒Ｂ勾配を用いて１分間監視し、さらにその後、０−１１％Ｂ勾配で監視した。
【０１３６】
溶液Ａは４０   ｍＶリン酸カリウム（ｐＨ６．０）とメタノールを８６：１４（体積比）で混合した溶液であった。溶液Ｂはメタノールであった。検出のために用いられた破傷は２６０ｎｍ。
【０１３７】
ＨＭＧ−ＣｏＡシンターゼはアセトアセチルＣｏＡ及びアセチルＣｏＡをＨＭＧ−ＣｏＡ及びＣｏＡにそれぞれ転化する。これらのアッセイではＨＭＧ−ＣｏＡの生産をＨＰＬＣで監視する。アッセイにおいては、０．１Ｍ  Ｎａ２Ｈ２Ｐ２Ｏ７  ｐＨ６．５、（ＸμＬ）、２０ｍＭアセトアセチルＣｏＡ（４μＬ）、２０ｍＭアセチルＣｏＡ（２μＬ）、及び細胞を含まない抽出物（ＹμＬ）をＸ＋Ｙが９４μＬ（総体積１００μＬ）となるように混ぜ合わせて、３７℃の温度で５分間培養した。そして、反応混合物を６０℃で５分間加熱して、酵素を不活性化して、次に、微小遠心分離装置内で全速力で５分間遠心分離した。上清をＨＰＬＣで分析した。
【０１３８】
アセトアセチルＣｏＡチオラーゼは可逆反応を触媒し、それによって、前方方向で、アセチルＣｏＡの２つの分子が反応してアセトアセチルＣｏＡとＣｏＡとを形成する。このアッセイではアセチルＣｏＡの形成（逆反応）がＨＰＬＣによって監視される。このアッセイにおいては、０．１Ｍ  Ｎａ２Ｈ２Ｐ２Ｏ７  ｐＨ６．５  （ＸμＬ）、２０ｍＭアセトアセチルＣｏＡ（２μＬ）、２０ｍＭＣｏＡ（３μＬ）、２０ｍＭ  ＣｏＡ（３μＬ）、及び細胞を含まない抽出物（ＹμＬ）をＸ＋Ｙが９５μＬ（総体積１００μＬ）となるように混ぜ合わされて、３７℃の温度で５分間培養した。そして、反応混合物をＭｉｃｒｏｎ−１０（Amicon）遠心分離装置で遠心分離して酵素をその生成物から分離した。上清はＨＰＬＣで分析した。
【０１３９】
ホスファターゼ・アッセイではｐ−ニトロフェノール（４００ｎｍで吸着性が増大）の形成を測定してホスファターゼ活性を定量する。ホスファターゼ・アッセイを行うために、０．１M トリス塩酸  ｐＨ７（ＸμＬ）、１Ｍ  ＭｇＣｌ２（２μＬ）、５０ｍＭ−ニトロフェニル・リン酸（１０μＬ）及び細胞を含まない抽出物（ＹμＬ）をＸ＋Ｙ＝１μＬとなるように混ぜ合わせて、３７℃の温度で１５分間培養してから、４００ｎｍでの吸着度を測定した。
【０１４０】
表５はこれら４つの系統における５つの酵素のそれぞれのレベルを示している。
アセトアセチルＣｏＡチオラーゼ・レベルはこれらの系統のすべてで比較可能であった。ＨＭＧ−ＣｏＡシンターゼ及びＨＭＧ−ＣｏＡリダクターゼ・レベルは突然変異体系統においては２−３倍は高いように見えた。ＦＰＰシンターゼ・レベルは突然変異体においては２８２８２と比較して同じか、あるいはそれより低かった。ホスファターゼ・レベルは突然変異体において親系統の場合と比べて３−４倍高まるように思われた。これらの系統のすべてを古典的な突然変異誘発で分離されたので、ｅｒｇ９突然変異体に加えて、他の突然変異体がこれらの系統で存在している可能性はある。
【０１４１】
【表５】
0004579415.tif 000011
E.  ERG9  遺伝子分析
S herman et al. (Sherman, F., G.R. Fink, and J.B. Hicks, 1989, Methods in Yeast Genetics, Cold Spring Harbor Laboratories, Cold Spring Harbor, NY) に述べられている方法で、系統２８３８３、ＭＢＮＡ１−１、ＭＢＮＡ１−９、及びＭＢＮＡ１−１３から染色体ＤＮＡをつくった。ゲノム性ＤＮＡを制限酵素ＡｐａＩ及びＮｓｉｌで消化して、ビオチニル化したＥＲＧ９ＤＮＡフラグメントをプローブとして用いてサザン・ブロット分析にかけた。ＥＲＧ９プローブはプラスミドをＡｐａＩｔｏＮｓｉｌで消化した後にアガロース・ゲルから単離された２０４４ｂｐＥＲＧ９ＤＮＡフラグメントで構成されていた。ｐＴＷ１０３はＥＲＧ９遺伝子及びＧｅｎｂａｎｋ  Ａｃｃｅｓｓｉｏｎ＃０００３０配列の位置＃１０９１６から＃１３８６８までに延びている側鎖配列で構成されていた。このプラスミドは以下の２つのオリゴヌクレオチド：
【０１４２】
５’−オリゴ＝ＶＥ１０−５  ＣＴＣ  ＡＧＴ  ＡＣＧ  ＣＴＧ  ＧＴＡ  ＧＴＣ  ＡＣ（ここでは配列番号１を称す）
５−オリゴ＝ＶＥ１０５−３  ｇａｔ  ｇｇａ  ＴＣＣ  ＣＡＡ  ＴＡＴ  ＧＴＧ  ＴＡＧ  ＣＴＣ  ＡＧＧ（ここでは配列番号２と称す）
【０１４３】
を用いてＥＲＧ９遺伝子及び側鎖領域のポリメラーゼ鎖反応（ＰＣＲ）増幅によって構成された。
大文字はＥＲＧ９側鎖領域からのＤＮＡ半列を示し、小文字は制限サイトをつくるために付加された塩基を示している。ＶＥ１０７−５はＧｅｎｂａｎｋ  Ａｃｃｅｓｓｉｏｎ＃０００３０配列の位置＃１０９０５から＃１０９２８までの配列を含んでいる。ＶＥ１０５は位置＃１３８６８から位置＃１３８４７までの配列の逆方向補完部分を示している。
【０１４４】
増幅条件は以下の通りであった。
テンプレートＤＮＡは系統Ｓ２８８Ｃ（Yeast   Genetic   Stock   Center，Barkely ，CA）から単離されたゲノム性ＤＮＡであった。
【０１４５】
２分、９４℃／１サイクル
１分、９４℃、１分、５２℃、１．５分、７４℃／３０サイクル
５分、７４℃／１サイクル
このＰＣＲ反応から発生された２９６９ｂｐＥＲＧ９ＤＮＡをＫｐｎＩとＢａｍＨＩで消化して、その後ＫｐｎＩとＢａｍＨＩで消化したＹＥｐ３５２に連結させて、プラスミドｐＴＷＭ１０３を発生させた。ＹＥｐ３５２は酵母／大腸菌シャトル・ベクター  (Hill, J.E., Myers, A.M., Koerner, T.J., and Tzagaloff, A., 1986, Yeast/E. coli Shuttle Vectors with Multiple Unique Restriction Sites, Yeast 2:163-167) であった。
【０１４６】
上に述べたＥＲＧ９のためのＤＮＡはＡｐａＩ及びＮｓｉＩでＴＷＭ１０３を消化して、ＥＲＧ９遺伝子及び側鎖配列を含む２０４４ｂｐフラグメントを精製することで得られた。その後ＥＲＧ９ＤＮＡはランダム・プライマー延長(NEBlot Phototope Kit, New England BioLabs, Beverly, MA)を用いてビオチニル化された。
【０１４７】
約1 μｇのビオチニル化されたＥＲＧ９プローブをＡＴＣＣ２８３８３、ＭＢＮＡ１−１、ＭＢＮＡ１−９及びＭＢＮＡ１−１３系統から得られたＡｐａＩ／ＮｓｉＩ消化ゲノム性ＤＮＡのサザン・ブロットにハイブリダイズさせた。このブロットはすべての４つの系統が２０４４ｂｐフラグメント上に位置する単一のハイブリダイズ配列を有していることを明らかにした。
【０１４８】
これら４つの系統からのＥＲＧ９配列をクローンするために、それぞれからのゲノム性ＤＮＡを再度ＡｐａＩとＮｓｉＩで消化した。酵母／大腸菌シャトル・ベクターｐＲ３１５(Sikorski, R.S., and P. Hieter, 1989, A System of Shuttle Vectors and Yeast Host Strain s Designed for Efficient Manipulation of DNA in Saccharomyces cerevisiae, Genetics, 122:19-27)をＡｐａＩ及びＰｓｔＩ（ＮｓｉＩとＰａｔＩとは互換性がある、結合性をもつ末端である）で消化した。消化されたＤＮＡをアガロース・ゲル上で分離して、サイズが約１．６ｋｂから約３ｋｂの染色体ＤＮＡフラグメント、及び消化されたｐＲＳ３１６に対応する３８９５ｂｐ帯がゲルから切り離され、ＧｅｎｅＣｌｅａｎ（BIO   101 ，Inc  ．，Visa，CA）を用いて精製された。これら４つの系統のそれぞれから精製されたゲノム性ＤＮＡフラグメントはｐＲＳ３１６に連結され、大腸菌に形質転換された。形質転換され、ｐＲＳ３１６／ＥＲＧ９クローンを含んだものは上に述べたＥＲＧ９プローブを用いてコロニー・ハイブリダイゼーションで確認された。これら４つの系統のそれぞれから誘導されたＥＲＧ９クローンをこうした方法で単離した。各系統からのクローンされたＥＲＧ９遺伝子はＡＣＧＴ社（Northbrook，IL）により、Applied   Biodisystems社の自動ＤＮＡシーケンサー、モデルＡＢＩ１００を用いて配列決定された。
【０１４９】
ＡＴＣＣ２８３８３からのＥＲＧ９遺伝子の配列はＧｅｎＢａｎｋに預託された配列（アクセッション＃０００３０）と同じであった。ＭＢＮＡ１−２とＭＢＮＡ１−９は同じ突然変異、つまり、ＴＧＧコドンをＴＧＡ停止コドンに変えてしまうＧｅｎＢａｎｋ  Ａｃｃｅｓｓｉｏｎ＃０００３０の位置＃１２３８６でのＧからＡへの変化を含んでいることが認められた。これは野生種ＥＲＧ９蛋白質内で見出される通常の４４４アミノ酸の代わりに２３７アミノ酸でＥＲＧ９蛋白質を終端させている。
【０１５０】
ＭＢＮＡ１−１３からのｅｒｇ９遺伝子はフレームシフト及びＥＲＧ９の１１６アミノ酸での早めの終端を起こすＧｅｎＢａｎｋ  Ａｃｃｅｓｓｉｏｎ＃00030 の位置＃１２０１７でのＣの欠失を含んでいることが認められ、最後の２つのアミノ酸は（フレームシフトのせいで）野生種ＥＲＧ９蛋白質とは異なっていた。ＭＢＮＡ１−１とＭＢＮＡ１−９からのｅｒｇ９対立遺伝子は低いレベルの活性を維持している。これはＭＢＮＡ１−１及びＭＢＮＡ１−９からの突然変異体ｅｒｇ９遺伝子を持っているプラスミドでエルゴステロールを必要とするえｒｇ９欠失突然変異体を形質転換させることで判定された。ｅｒｇ９欠失系統内のクローンされた遺伝子の存在はこれら形質転換されたものがエルゴステロールを欠いた培養液上でゆっくりではあっても成長できるようにさせた。ＭＢＮＡ１−１３からのｅｒｇ９対立遺伝子はこうした方法でテストされた場合にいずれの残存活性も示さなかった。ｅｒｇ９欠失系統はＡＴＣＣ２８３８３からのＥＲＧ９対立遺伝子で形質転換されたときに野生種レベルで成長した。
【０１５１】
Ｆ．二次的突然変異の説明
サッカロマイセズ・セレビシアエは通常、好気性条件下ではその環境からエルゴステロールを取り込むことはしない。しかしながら、単離されたｅｒｇ９突然変異体はエルゴステロールまたはコレステロールを補給されると好気的に成長することができ、従って、好気性ステロール摂取が起きるようにする二次的突然変異を含んでいるに違いない。ｅｒｇ９突然変異体ＭＢＮＡ１−１３などのエルゴステロール経路突然変異体を分離するために用いられる方法は、ステロール経路遺伝子とステロール摂取遺伝子の両方に突然変異を有する突然変異だけが生き延びるであろうからエルゴステロール経路突然変異体に関する選択だけでなく、好気性条件下でも同様にステロールを摂取する細胞に関する選択も含んでいた。
【０１５２】
以下に説明する実施例３で、好気性条件下でステロールを摂取できるようにさせると報告されているreported to allow uptake of sterols under aerobic conditions (Lewis, T.L., G.A. Keesler, G.P. Fenner and L.W. Parks, 1988, Pleiotropic muta tions in Saccharomyces cerevisiae affecting sterol uptake and metabolism, Yeast 4:93-106) ｕｐｃ２突然変異を持っている系統においても分子的な方法でｅｒｇ９の活性を停止させる突然変異を起こそうとする時に遭遇する困難さについて述べる。ｕｐｃ２突然変異はｅｒｇ９突然変異体に効率的な好気性ステロール摂取を伝えず、そして、実施例３内に述べられている系統が好気的にステロールを摂取する能力を改良する（低い頻度での）追加的な自発的突然変異を獲得したらしい。
【０１５３】
そうした処理が行わなければ野生種である系統で、エルゴステロール及びコレステロールの好気的摂取を増強させるような適切な突然変異を起こさせると、その系統で、ステロール非摂取突然変異体系統で得られるよりもずっと高い頻度でその系統でｅｒｇ９突然変異を分離することが可能になる。ｅｒｇ９突然変異体系統ＭＢＮＡ１−１３（およびこの系統の誘導体）が好気的条件のもとでステロールの摂取を強化する（ステロール摂取強化＝ｓｔｅｒｏｌ  ｕｐｔａｋｅ  ｅｎｈａｎｃｅｍｅｎｔ、あるいｓｕｅ突然変異）突然変異を獲得したことを実証するために、ステロール摂取突然変異を含むＭＢＮＡ１−１３バックグランドでのｅｒｇ９ノックアウトをつくり出す頻度とステロール摂取突然変異を欠いていると考えられるＡＴＣＣ２８３８３親バックグランド内でｅｒｇ９ノックアウトを獲得する頻度との比較が行われた。これはそれぞれの系統バックグランドを示す以下の２つの系統を用いて行われた。ＳＷＥ２３（ｕｒａ３、ｈｉｓ３、ｓｕｅ）をＭＢＮＡ１−１３から誘導した。これは修復ＥＲＧ９遺伝子を含んでいた。
【０１５４】
ＳＷＹ５−ΔＨ１（ｕｒａ３、ｈｉｓ３）は系統ＡＴＣＣ２８３８３から誘導された栄養要求突然変異体である。ＳＷＥ２３−ΔＨＥ９とＳＷＹ５−ΔＨ１の構成については以下のセクションＧに詳細に述べる。ＳＷＥ２９−ΔＨＥ９はＭＢＮＡ１−１３から誘導されるので、この系統はｓｕｅ突然変異を有するホストとして機能し、一方、ＡＴＣＣ２８３８３から誘導されたＳＷＹ５−ΔＨはｓｕｅ突然変異を有さないホストとして機能した。両方の系統とも、等量の（約１μｇ）、ＢａｍＨＩとＸｍａＩでｐＫＭＬ１９−４１（実施例３で述べたプラスミド構成）を消化することによって得られたｅｒｇ９Δ：ＨＩＳ３ＤＮＡフラグメントで形質転換された。細胞をＬｉＡｃ形質転換手順(Gietz, R.D., R.H. Schiestl, A.R. Willems and R.A. Woods, 1995, Studies on the transformation of intact yeast cells by the LiAc/SS-DNA/PEG procedure, Yeast 11:355-360)に従ってこの２．１ｋｂフラグメントを用いて形質転換され、そして、形質転換されたものはＳＣＥ−ｕｒａ培養液上で選択された。ＳＣＥ培溶液は０．６８％Ｂａｃｔｏ酵母窒素塩基（アミノ酸を含まず）、２％デキストロース、２０ｍｇＬアデニン・スルフェート、２０ｍｇ／Ｌウラシル、２０ｍｇ／Ｌ  Ｌ−トリプトファン、２０ｍｇ／Ｌ−ヒスチジン、２０ｍｇ／Ｌ  Ｌ−アラニン、２０ｍｇ／Ｌ−メチオニン、３０ｍｇ／Ｌ  Ｌ−チロシン、３０ｍｇ／Ｌ  Ｌ−ロイシン、３０ｍｇ／Ｌ  Ｌ−イソロイシン、３０ｍｇ／Ｌ  Ｌ−リシン、５０ｍｇ／Ｌ  Ｌ−フェニルアラニン、１００ｍｇ／Ｌ  Ｌ−グルタミン酸、１００ｍｇ／Ｌ  Ｌ−アルパルト酸、１５０ｍｇ／Ｌ  Ｌ−バリン、２００ｍｇ／Ｌ  Ｌ−トレオニン、４００ｍｇ／Ｌ  Ｌ−セリン及び５ｍｇ／Ｌエルゴステロールを含んでいる。寒天プレートの場合、２％Ｂａｃｔｏ寒天がＳＣＥ培溶液に加えられる。ＳＣＥ−ｕｒａ培溶液はウラシルを含まないＳＣＥである。
【０１５５】
全部で２４ＨＩＳ＋はＳＷＹ５−ΔＨ１の形質転換から発生したのもであり、４０１ＨＩＳ＋コロニーはＳＷＥ２３−ΔＨＥ９から得られたものである。ｅｒｇ９Δ：：ＨＩＳ３遺伝子はＥＲＧ９遺伝子座以外の遺伝子座に組み込まれる（従ってそれらの細胞がエルゴステロールのために無機物から栄養を取り出し続けられるようにする）ので、各タイプの形質転換されたもののうちの２０についてＹＰＤ培溶液（エルゴステロールを含まない）に入れてエルゴステロール要求に関するテストを行った。ＳＷＹ５−ΔＨから誘導された２０のＨＩＳ＋コロニーすべてはＹＰＤ上で成長することができ、このことはそれらが依然として機能性ＥＲＧ８遺伝子を含んでいることを示し、ｅｒｇ９Δ：：ＨＩＳ３遺伝子はＥＲＧ９遺伝子座に組み込まれなかったことを示唆した。一方、ＳＷＥ２３−ΔＨＥ９から得られた２０のＨＩＳ＋コロニーはいずれもＹＰＤ上で成長することはできなかったので、これはｅｒｇ９Δ：：ＨＩＳ３ＤＮＡがこの系統バックグランドでかなり高い頻度で野生種ＥＲＧ９と取り代わったことを示唆している。このことを確認するために、それぞれの系統の９つのＨＩＳ＋コロニーをそれらのゲノム内に存在しているＥＲＧ９対立遺伝子のタイプを判定するためにＰＣＲによって分析した。ゲノム性ＤＮＡはSharman   et  al．（1989）に述べられている方法に従って調製された。この分析に使われたオリゴヌクレオチドについて以下に示す通りである。
【０１５６】
５’オリゴ＝２５０ＵｐＢａｍ  ｇｃｇｃａｔＣＣＡＣＧＧＧＣＴＡＴＡＡＡＡ（配列番号：３）
３’オリゴ＝１７６４ＬｏＢａｍ  ｇｃｇｇａｔＣＣＴＡＴＴＡＴＧＴＡＡＧＴＡＣＴＴＡＧ（配列番号番号：４）
【０１５７】
ＰＣＲ条件は以下の通りであった。
９４oC、３分
９４oC、３０秒；５０oC、３０秒；７２oC、３分；３０サイクル
７２oC、７分
オリゴヌクレオチド２５０ＵｐＢａｍはＧｅｎＢａｎｋ  Ａｃｃｅｓｓｉｏｎ＃Ｊ０５０９１配列の位置＃１１５５５−＃１１５７０に対応する配列を含んでいる。オリゴ１７６４ＬｏＢａｍは同じＧｅｎＢａｎｋ配列ファイルの位置＃１３０４９−＃１３０６８までの配列の逆方向補完部分を含んでいる。ＳＷＥ２３−ΔＨＥ９の９個のＨＩＳ＋  形質転換体すべてにおいて、ＰＣＲ産物は２．１ｋｂｐで、このことはＥＲＧ９遺伝子がｅｒｇ９Δ：：ＨＩＳ３遺伝子に置換されたことを示している。９つのＳＷＹ５−ΔＨ１の形質転換体のうちの８つにおいて、ＰＣＲ産物が２．１ｋｂｐ及び１．５ｋｂｐで、このことは野生種ＥＲＧ９が元のままであること、そして、ｅｒｇ９Δ：：ＨＩＳ３ＤＮＡがこのゲノムのどこかに組み込まれたことを示している。９番目のＨＩＳ＋  形質転換体は１．４ｋｂｐのＰＣＲ産物だけを示したが、このことは   ＥＲＧ９遺伝子がこの系統においては元のままであることを示唆している。この場合、ＨＩＳ３遺伝子はｅｒｇ９配列のすべてを伝達せずにゲノム内に組み込まれたものと考えられる。
【０１５８】
これらの結果は、系統ＭＢＮＡ１−１３を分離する過程で、ここではｓｕｅと呼ばれる付加的な突然変異がこの系統内で起きたことを示している。以下の実施例３で述べられる結果に基づいて、ｓｕｅ突然変異は前に報告されたｕｐｃ２突然変異とは異なっており、ステロールのより効率的な摂取を伝えるようである。
【０１５９】
Ｇ．ＭＢＮＡ１−１３からの新しい系統の誘導
分子遺伝子操作のためにｅｒｇ９突然変異体系統ＭＢＮＡ１−１３を使用する目的で、この系統をこの目的のために適した栄養要求マーカーを持つようにさらに開発した。ＭＢＮＡ１−１３は標準的な手順を用いてエチル・メタン・スルホネートを用いて突然変異誘発され、それらの突然変異体を５−ＦＯＡを含む培養液に入れることで５−フルオロオロト酸（５−ＦＯＡ）に対して抵抗性を示す突然変異体が得られた。５−ＦＯＡ選択の使用は(Sikorski, R.S. and Boeke, J.D., 1991, In Vitro Mutagenesis and Plasmid Shuffling:  From Cloned Gene to Mutant Yeast, Methods in Enzymology 194:302-318) に述べられている。この選択方法によってＵＲＡ３遺伝子に突然変異を含み、オロチジン−５’−リン酸・デカルボキシラーゼをコードする系統の単離が可能になった。５−ＦＯＡ抵抗性（つまり、ｕｒａ−発現型）をしめしたいくつかの抵抗性系統を単離した。これらの系統のうちのどれが特にＵＲＡ３遺伝子内に突然変異を含んでいるかを判定するために、本来のままのＵＲＡ３遺伝子を含むｕｒａ−系統を（Sikorski  and   Hieter，1989）で、ＬｉＯＡｃ形質転換手順（Giets   et  al．，1995）を用いて形質転換された。いくつかの系統でウラシルを含まない培養液上での非成長性がｐＲＳ３１６によって回復されることが確認され、これはこれらの系統がｕｒａ３突然変異を含んでいることを示している。これらの系統の１つであるＥＭＳ−２３（ｕｒａ３、ｅｒｇ９）がさらに改良するために選ばれた。系統ＥＭＳ９−２３はSikorski  and   Hieter  （1989）で示されている遺伝子置き換えプラスミドと、Rothsteinn（1991）(Rothstein, R., 1991, Targeting, Disruption, Replacement, and Allele Rescue:  Integrative DNA Transformation in Yeast, Methods in Enzymology 194 :281-301)に述べられたポップ−イン／ポップ−アウト手順を用いて、ｌｕｅ２、ｔｒｐ１、あるいはｈｉｓ３に欠失を含むように遺伝子的に変性された。
【０１６０】
ＭＢＮＡ１−１３から誘発されたｌｅｕ２、ｔｒｐ１及びｈｉｓ３突然変異体はそれぞれＳＷＥ２３−ΔＬ１、ＳＷＥ２３−ΔＴ１、及びＳＷＥ２３−ΔＨ１と命名された。系統ＳＷＥ２３−ΔH １は最初のｅｒｇ９フレームシフト突然変異（セクションE 参照）をｅｒｇ９Δ−ＨＩＳ３対立遺伝子と交換するように操作された。この操作はｅｒｇ９Δ：：ＨＩＳ３カセットを含んでいる約５μｇの線形ＤＮＡフラグメント（ｅｒｇ９Δ：：ＨＩＳ３カセットの構造については実施例３に詳細に述べてある）を用いてＳＷＥ２３−ΔＨ１を（ＬｉＡＯｃ手順に従って）形質転換することによって行われた。ｅｒｇ９Δ：：ＨＩＳ３カセットはｐＫＬＭ１９−４０をＢａｍＨＩ及びＸｍａＩで消化し、そして、ｅｒｇ９Δ：：ＨＩＳ３フラグメントを含む２．１ｋｂｐＤＮＡフラグメントを精製することで得られた。ｅｒｇ９フレームシフト対立遺伝子がｅｒｇ９Δ：：ＨＩＳ３対立遺伝子と交換されたＳＷＥ２３−ΔＨ１の形質転換体はその形質転換体をヒスチジンを含まないＳＣＥ培養液に入れることで選択された。得られた系統の１つはＳＷＥ２３−ΔＥ９１と命名された。
【０１６１】
系統ＳＷＥ２３−ＤＨ１はｌｅｕ２及びｔｒｐ１遺伝子に突然変異を含むようにさらに改良された。これらの突然変異は上に述べた遺伝子置き換えプラスミド（Sikorski  and   Hieter，1981）とポップ−イン／ポップ−アウト遺伝子置き換え手順（Rothstein   1991）を用いて導入された。得られた系統の１つはＳＷ２３−ＤＨ１  ＃４２と命名され、ｅｒｇ９、ｕｒａ３、ｈｉｓ３、ｌｅｕ２、ｔｒｐ１、及びｓｅｕ突然変異を含んでいる。系統ＳＷ２３−ＤＨ１  ＃４２は最初のｅｒｇ９フレームシフト突然変異をｅｒｇ９Ｄ：：ＨＩＳ３対立遺伝子と交換するようにさらに改良された。これは上に述べたように（ＬｉＯＡｃ手順を用いて）SW２３−DH1   ＃４２を約５ｍｇのｅｒｇ９Ｄ：：ＨＩＳ３カセットを含んだＤＮＡフラグメントで形質転換することによって行われた。ｅｒｇ９フレームシフト突然変異はｅｒｇ９Ｄ：：ＨＩＳ３対立遺伝子で置換されたＨＩＳ＋形質転換体がＳＣＥ−ｈｉｓ培養液上で選択された。得られた系統の１つはＳＷＢと命名され、以下の遺伝子：ｕｒａ３、ｌｅｕ２、ｔｒｐ１、ｈｉｓ３、ｅｒｇ９：：ＨＩＳ３にｓｕｅ突然変異を有している。
【０１６２】
ＭＢＮＡ１−１３から誘導された系統と振動フラスコ培養におけるそれぞれのファルネソール生産の要約を表６に示す。これらの系統はＹＰＤＥ培養液内で（３０℃の温度下で１８０ｒｐｍで振動させながら）一昼夜修正された。これらの培養をもちいて、２５ｍｌのＹＰＤＥ培養液を２５０ｍｌフラスコに入れて、最初のＯＤ６００を０．０５となるようにした。これらの細胞を（１８０ｒｐｍで振動させながら）３０℃の温度下で７２時間成長させた。液全体のサンプル（つまり細胞＋培養液）をその乾燥細胞重量及びファルネソールに関して上にセクションＣで述べたように分析した。
【０１６３】
【表６】
0004579415.tif 000012
系統ＭＢＮＡ１−１３、ＥＭＳ９−２３及びＳＷＥ２３−ΔＥ９１を、以下のセクションＨに示す方法を用いて１−Ｌ醗酵槽内で成長及びファルネソール生産に関してさらに評価した。ＥＭＳ９−２３及びＳＷＥ２３−ΔＥ９１をそれぞれクローンされたＵＲＡ３遺伝子を含むプラスミドＹＥｐ３５２で形質転換された。
【０１６４】
これはこれら２つの系統のための醗酵培地に対してウラシルを加えねばならないことを明らかにした。図４と表７はこれら醗酵の結果を示す。ＭＢＮＡ１−１３とＥＭＳ９−２３／ＹＥｐ３５２はほぼ同様の振る舞いを示した。ＳＷＥ２３−ΔＥ９１／ＹＥｐ３５２の成長は他の２つの系統より遅かったが、それは最終的にはそれら他の系統と同じ程度の細胞密度及びファルネソール生産レベルに到達した。
【０１６５】
【表７】
0004579415.tif 000013
系統ＥＭＳ９−２３及びＳＷＥ２３−ΔＨＩはそれらのｅｒｇ９突然変異を野生種の機能に戻すことによってさらに操作を加えた。これは約５μｇの本来のＥＲＧ９遺伝子を含むＤＮＡフラグメントで（ＬｉＯＡｃ形質転換手順を用いて）それら２つの系統を形質転換することによって行われた。ＥＲＧ９遺伝子ＤＮＡフラグメントはｐＴＷＭ１０３（上のセクションＥ参照）をＳａｃＩｔｏＢａｍＨＩで消化して、ＥＲＧ９遺伝子を含む２．５ｋｂＤＮＡフラグメントを精製することで得た。ｅｒｇ９フレームシフト突然変異が野生種ＥＲＧ９遺伝子で置換されたＥＭＳ９−２３及びＳＷＥ２３−ΔＨ１の形質転換体をエルゴステロールを含まないＹＰＤ培養液上で成長できる細胞を選択することによって各系統から得た。ＳＥＥ２３−Ｅ９と命名されたＥＭＳ９−２３から誘導された１つのｅｒｇ９修復系統とＳＷＥ２３−ΔＨＥ９と命名されたＳＷＥ２３−ΔＨ１から誘導された１つのｅｒｇ９修復系統をさらに調べるために選び出した。個別の実験で、栄養要求突然変異が親系統ＡＴＣＣ２８３８３に導入された。上に述べた５−ＦＯＡを含んでいる培養液に細胞を入れた後、ＡＴＣＣ２８３８３の自発的ｕｒａ３突然変異体を得た。５−ＦＯＡに対して抵抗性を示す突然変異体を（上に述べた）ｐＲ３１６で形質転換して、特にそのＵＲＡ３遺伝子に自発的な突然変異が発生したものを識別した。１つの系統、つまり系統ＳＷＹ５は安定したｕｒａ−発現型（低逆転頻度）を示し、さらに調べるために選択された。Sikorski及びHieter（Sikorski  and   Hieter，1989）によって開示された遺伝子置き換えプラスミドＹＲｐ１４／ｈｉｓ３−Δ２００と、Rothstein （Rothstein ，1991）が述べたポップ−イン／ポップ−アウト遺伝子交換手順を用いてｈｉｓ３突然変異を含むようにＳＷＹ５をさらに操作した。ＳＷＹ−ΔＨと命名されたＳＷＹ５から誘導された１つのｈｉｓ３をさらに調べるために選んだ。
【０１６６】
表８は説明された修復された栄養要求系統とその遺伝子型を示している。
【０１６７】
【表８】
0004579415.tif 000014
ｅｒｇ９突然変異体ＭＢＮＡ１−１３がその単離過程でいずれかの追加的な栄養要求性を獲得したかどうかをテストするために、親系統ＡＴＣＣ２８３８３、ｅｒｇ９突然変異系統ＥＭＳ９−２３、そしてｅｒｇ９修復系統ＳＷＥ２３−Ｅ９を比較するために振動フラスコで成長実験を行った。これらの培養を３０oCの温度下で、１８０ｒｐｍで振動させながらＹＰＤ培溶液で成長させた。ＥＭＳ−２３培養に対して５ｍｇ／Ｌエルゴステロールも補給された。成長はＯＤ６００で観察した。
【０１６８】
図５に示すこの実験の結果はｅｒｇ９突然変異体の成長が低下されるが、野生種親系統２８３８３の成長とｅｒｇ９置換系統ＳＷＥ２３−Ｅ９は同様に成長したことを示している。ＳＷＥ２３−Ｅ９培養内のやや低めの最終ＯＤ６００はおそらくはこの系統がウラシル栄養要求性で、ＹＰＤ培溶液内のウラシルの濃度が最適ではないという事実に基づいている。これらの結果はｅｒｇ９突然変異体における成長欠陥の主な原因はｅｒｇ９突然変異自体であることを示唆している。ｅｒｇ９突然変異体におけるｓｕｅ突然変異などその他の突然変異は成長に重要な影響を及ぼさない。
【０１６９】
Ｈ．１リットル醗酵
系統ＭＢＮＡ１−１３、ＥＭＳ９−２３／ＹＥｐ３５２及びＳＷＥ２３−ΔＥ９１／ＹＥｐ３５２を以下に述べるようなフェッド・バッチ条件下で１リットル醗酵槽内で成長させた。これらの条件の下で、これらの系統によるファルネソール生産量は１９１−２３９時間後に乾燥細胞重量で５．５−６．０％の範囲であった（データはセクションＧ内に示す）。
【０１７０】
醗酵条件と素材
最初に、以下の溶液を用いて、醗酵槽内で１２１℃の温度で４５分間圧力殺菌して１リットル醗酵を行った。
（ＮＨ４）２ＳＯ４                      １０．０  ｇ／Ｌ
ＫＨ２ＰＯ４                            １０．０  ｇ／Ｌ
ＣａＣｌ２−２Ｈ２Ｏ                      ０．５  ｇ／Ｌ
ＢａＣｌ                                ０．５  ｇ／Ｌ
ＭｇＳＯ４−７Ｈ２Ｏ                      ３．０  ｇ／Ｌ
酵母抽出物（Difco ）                ２．０  ｇ／Ｌ
塩溶液                                ２０．０  ｇ／Ｌ
デフォーマー（Dow   1520）              ４．０  ｇ／Ｌ
脱イオン水                                ５００ｍＬ
加圧殺菌後、以下の殺菌溶液を加えた。
グルコース溶液（５０％  ｗ／ｖ）          ５．０  ｍ／Ｌ
ビタミン溶液                            １５．０  ｍ／Ｌ
エルゴステロール溶液                      ０．２  ｍ／Ｌ
グルコース及びビタミン溶液は０．４５ミクロン・フィルターを通過させて殺菌した。エルゴステロール溶液は無菌と考えられる（以下参照）。
【０１７１】
グルコース溶液（脱イオン水で構成）
グルコース溶液（６０％  ｗ／ｖ）          ３６０  ｍ／Ｌ
酵母抽出物溶液（１２．５％  ｗ／ｖ）  ８０  ｍ／Ｌ
エルゴステロール溶液                      ５．８  ｍ／Ｌ
グルコース、酵母は加圧滅菌で消毒。
エルゴステロールは無菌とみなす。
接種
１０％グリセロル内に凍らせた１ｍＬ細胞懸濁液を１０００ｍＬバッフル付きフラスコ内で２５０ｍＬＹＰＤＥ培養液に接種して、２９℃と１５０ｒｐｍで４８時間培養し、醗酵槽１基あたり３０ｍＬを使用。
【０１７２】
醗酵条件
２８℃
ｐＨ４．５
攪拌３００−１０００ｒｐｍ、溶存酸素を空気飽和状態で１０−６０％の範囲に保つために通気５０−２００ｍＬ／分が必要。グルコース溶液は最初に入れたグルコースが枯渇した後で付加。添加量はグルコース上の細胞収率が０．２５となるように０．０４／時の成長率を達成するように設定。最大供給量＝３．５ｍｌ／時。
【０１７３】
塩溶液（脱イオン水に１リットルあたり）
ＦｅＳＯ４                          ０．２８ｇ
ＺｎＳＯ４                          ０．２９ｇ
ＣｕＳＯ４                          ０．０８ｇ
Ｎａ２ＭｏＯ４−２Ｈ２Ｏ              ０．２４ｇ
Ｃ℃ｌ２−６Ｈ２Ｏ                  ０．２４ｇ
ＭｎＳＯ４−Ｈ２Ｏ                  ０．１７ｇ
ＨＣｌ                              ０．１０  ｍＬ
ビタミン溶液（脱イオン水内に1 リットルあたり）
ビオチン                １０      ｍｇ
Ｃａ−パントテネート    １２０    ｍｇ
イノシトール            ６００    ｍｇ
ピリドキシン−ＨＣｌ    １２０    ｍｇ
チアミン−ＨＣｌ        １２０    ｍｇ
エルゴステロール溶液
エタノール              ２０      ｍＬ
ＩＧＥＰＡＬ            ２０      ｍＬ
エルゴステロール          ０．４  ｇ
５０℃で加熱、溶解するまで攪拌。−２０℃で保存
ＩＧＥＰＡＬは１，３，３テトラメチル・ブチル・フェノキシ（エトキシ）８エタノール（Shigma  Chemical  Company ，St．Louis ，MO，Product   IGEPAL  CA−63 0 ，Cat ．＃Ｉ  3021）。
【０１７４】
実施例２
この実施例ではエチルメタン・スルフォネート（ＥＭＳ）を用いてのS.セレビシアエの化学的突然変異発現によるｅｒｇ９突然変異体の産出について述べる。
【０１７５】
系統６４０３１（ＡＴＣＣから得られたもの）は低レベルのファルネソール（実施例１参照）をつくりだすｅｒｇ９突然変異体で、追加的な突然変異発現によってより向上したファルネソールの収率を示す突然変異体をつくりだした。
【０１７６】
ＥＭＳを用いてキル曲線を作成し、６４０３１の突然変異発現も実施例１の場合と同様に行われた。選択も実施例１で述べたように行われた。
全部で１６３の系統がニスタチン−抵抗性であり、ステロール栄養要求体であることが分かった。それらを試験管及び振動フラスコで培養し、実施例１で述べたのと同様にファルネソール生産について判定を行った。振動フラスコ内で生産されたファルネソールの量を表９に示す。
【０１７７】
【表９】
0004579415.tif 000015
実施例３
上に述べた実施例１．G で、ＭＢＮＡ１−１３のｅｒｇ９Δ：：ＨＩＳ３突然変異体について述べた。この実施例で、ｅｒｇ９欠失：：ＨＩＳ３挿入対立遺伝子を含んでいる他の半数体S.セレビシアエの構造について述べる。
【０１７８】
ＥＲＧ９遺伝子はテンプレートとしての（Sharmann  et  al．の方法に従って）系統Ｓ２８８Ｃから単離されたゲノム性ＤＮＡと以下の２つのプライマーを用いてＰＣＲ増幅されたものである：
【０１７９】
５’オリゴ＝ｇａｇ  cat   ＣＣＡ  ＣＧＧ  ＧＣＴ  ＡＡＡ  ＡＴＡ  ＴＡＡＡ  （配列番号：５）；２５０Ｂａｍｐ
３’オリゴ＝ｔｃｃ  ｃｃｃ  ｃｇ  ＧＧＣ  ＧＣＡ  ＧＡＣ  ＴＴＣ  ＡＣＧ  ＣＴＣ  ＣＴＣ  （配列番号：６）；１７１２ＸｍａＬｏ
【０１８０】
ＰＣＲ増幅されたＥＲＧ９  ＤＮＡはＢａｍＨＩとＸｍａＩにより消化されて、その後、ＢａｍＨＩ，ＭｍａＩに消化されたｐＲ３１６（酵母／大腸菌シャトル・ベクター、Sitorski  and   Hieter，1919）。
【０１８１】
0004579415.tif 000016
このような方法でクローンされたＥＲＧ９遺伝子はＧｅｎＢａｎｋ  Ａｃｃｅｓｓｉｏｎ＃０００３０の位置＃１１５５５から＃１３０４７までにわたって延びており、得られたクローンはｐＪＭ９８−１２と命名された。ＥＲＧ９における欠失とＨＩＳ３  ＤＮＡの挿入の構造は以下の通りである。
【０１８２】
ＨＩＳ3 遺伝子はプラスミドｐＲＳ４０３（Stratagene，LaJolla ，CA）を含むＨＩＳ３をＥｃｏ４７ＩＩＩ及びＳｓｐＩで消化して、ＨＩＳ３遺伝子を含む１２２６ｂｐフラグメントを精製することによって得た。
【０１８３】
プラスミドｐＪＭＢ９８−１２はＶａｎ９１Ｉによって消化してから、Ｔ４ポリメラーゼで処理してその末端を不活性化させた。このプラスミドをＨｐａＩでさらに消化して、ＥＲＧ９内部の５８９ｂｐフラグメントを欠失させた。このサイトにＨＩＳ３遺伝子を含んだ１２２６ｂｐのＥｃｏ４７ＩＩＩ、ＳｓｐＩフラグメントを連結させた。得られたプラスミド、ｐＫＭＬ１９−４１はＥＲＧ９コード配列と同じ方向のＨＩＳ３コード配列を有する欠失遺伝子内でクローンされたＨＩＳ３遺伝子を有している。
【０１８４】
酵母をこのｅｒｇ９Δ：：ＨＩＳ３  ＤＮＡで形質転換するために、プラスミドｐＫＬＭ１９−４１をＳｍａＩ及びＸｂａＩで消化させて、その後、ｅｒｇ９Δ：：ＨＩＳ３遺伝子を含む２１４１ｂｐフラグメントを単離した。ＤＮＡはGeneClean を用いてアガロース・ゲル・スライスから精製した。
【０１８５】
約５μｇの精製されたｅｒｇ９Δ：：ＨＩＳ３  ＤＮＡを用いて、Giets   et  al（1995）に述べられているような酢酸リチウム形質転換手順を用いて、２倍体系統ＣＪ３Ａ  X   ＣＪ３Ｂ（ノース・カロライナ州立大学（Raleigh ，NC）のL ．Parks 博士から入手したａ／α、ｕｒａ３／ｕｒａ３、ｈｉｓ３／ｈｉｓ３、ｌｅｕ２／ｌｅｕ２、ｔｒｐ１／ｔｒｐ１、ｕｐｃ２／ｕｐｃ２）を形質転換した。
【０１８６】
ＣＪ３Ａ  ｘ  ＣＪ３Ｂはｕｐｃ２突然変異に対して同型接合性である。この突然変異は好気性条件の下でのステロール接種を可能にしてくれる（Lewis ，et  al，1988）。ｕｐｃ２突然変異はｅｒｇ９遺伝子に突然変異を含んだ半数体系統である。このヒスチジン栄養要求体は機能性ＨＩＳ３遺伝子を含むプラスミドを有する系統を選択するために必要であった。
【０１８７】
この形質転換された細胞をヒスチジンを含まないＳＣＥ培養液（実施例１．Ｆ．で述べたもの）（ＳＣ−Ｈｉｓ）に入れてＨＩＳ＋形質転換体を選択した。
数百の形質転換体を得た。そしてこれらのＨＩＳ＋細胞をＳＣ−Ｈｉｓにばらまいて２日間以上成長させた。そして突然変異体を胞子形成培養（Shermann，et  al，1986）上にばらまいた。胞子形成培養液は（蒸留水１リットルあたり）１％酢酸カリウム、０．１％Ｂａｃｔｏ酵母抽出物、０．０５％デキストロース、及び２％Ｂａｃｔｏ寒天細胞培養基を含んでいる。これらのパッチを３−５日間成長、胞子形成させた。これらの細胞の一部を取り除いてリチカーゼ溶液内に入れて子嚢細胞壁を消化した。これらの細胞を次にＹＰＤ＋２ｍｇ／Ｌエルゴステロール（ＹＰＤＥ）プレート上で細い線状に散布した。これらの胞子形成化２倍体細胞は４つの胞子を含んだ四分染色体を形成し、個々の胞子をマイクロマニピュレータをもちいて分離した。これらの個別半数体胞子は成長し、それぞれクロモソームの１つのコピーを含んでいる。
【０１８８】
この系統のｅｒｇ９Δ：：ＨＩＳ３ノックアウトに関しては２：２分離が予想された。２つの胞子は、それらが破壊されないクロモソームのコピーを含んでいるので（つまり、それらが機能性ＥＲＧ９遺伝子を有し、そして、その培養液内にヒスチジンが存在しているのでＹＰＤ上で成長できるので）、ＹＰＤ上で成長できるはずである。他の２つの胞子は、ｅｒｇ９Δ：：ＨＩＳ３  ＤＮＡがＥＲＧ９サイトに組み込まれるのであれば、それらの細胞はエルゴステロールを必要とするであろうが、ヒスチジンなしでも成長するであろうから、ＳＣ−Ｈｉｓ＋２ｍｇ／Ｌエルゴステロール（ＳＣＥ−Ｈｉｓ）上で成長できるはずである。
【０１８９】
ｐＫＭＬ１９−４１形質転換体の一部から得た四分染色体を分析してｅｒｇ９ノックアウトの発現型判定を行った。その結果、４つの胞子のうちの２つだけが好気性条件化で生育された場合に成長可能であることが示された。これらがＹＰＤ上にレプリカ−プレートされると、これら２つの胞子は生き残ったが、それらはＳＣ−ＨｉｓやＳＣＥ−Ｈｉｓでは生残らなかった。このことは２：２分離を示唆しており、さらに２つの生残った胞子が親タイプあるいはヒスチジンを栄養として要求するものであることを示した。さらにこのことは好気性条件の下で生き残らなかった２つが恐らくｅｒｇ９：ＨＩＳ３ノックアウトと含んでいることを示唆した。
【０１９０】
ＰＣＲ分析はこれらの系統のいくつかで、ｅｒｇ９Δ：：ＨＩＳ３ノックアウトの結果を裏付けた。DNA 全体を急速ＤＮＡ単離法を用いて、２：２分離を示した２倍体形質転換体のいくつから単離された。このＤＮＡ全体はプライマーによるＰＣＲ増幅のテンプレートとして用いられ、そのクロモソーム内のＥＲＧ９遺伝子に対して配列５’及び３’を補った。
【０１９１】
この分析のために用いられたオリゴヌクレオチドは以下の通りである。
５’−オリゴ＝２５０Ｂａｍ  Ｕｐ（上に述べた通り）
３’−オリゴ＝３ERG ９−１＝ｇａｔ  ｃｃｇ  ｃｇ  ＧＣＴ  ＣＡＡ  ＧＣＴ  ＣＡＡ  ＧＣＴ  ＡＧＣ  ＧＧＴ  ＡＴＴ  ＡＴＧ  ＣＣ（配列番号：７）
【０１９２】
３ＥＲＧ９−１はＧｅｎＢａｎｋ  Ａｃｃｅｓｓｉｏｎ＃０００３０配列の位置＃１４８１２−位置＃１４７９０までの配列の逆方向補完部分に対応する配列を含んでいる。
【０１９３】
オリゴヌクレオチド２５０Ｂａｍ  Ｕｐはｅｒｇ９Δ：：ＨＩＳ３対立遺伝子を構成するために用いられたＥＲＧ９クローンの配列内に存在しており、一方、オリゴヌクレオチド３ＥＲＧ９−１はクローンされたＥＲＧ９  ＤＮＡの境界より下流方向に存在している。これら２つのプライマーでゲノム性ＤＮＡから増幅されたＥＲＧ９配列は実際のクロモソーム性ＥＲＧ遺伝子座に存在しているＥＲＧ９遺伝子を示しているはずで、他のクロモソーム位置に組み込まれたｅｒｇ９Δ：：ＨＩＳ３配列は増幅しないであろう。
【０１９４】
これらの結果は３．２７１及び３．９０８ｋｂに２つの帯を示し、その２倍体系統におけるＥＲＧ９遺伝子の１つの機能性コピーとＨＩＳ３遺伝子挿入によって６３７ｂｐだけ大きくなった１つの中断されたコピーの存在を示唆している。
【０１９５】
これらの2 倍体におけるｅｒｇ９Δ：：ＨＩＳ３中断を確認するためにサザン・ブロット分析も行われた。ＥＲＧ９の２つの正常なコピーを有している親2 倍体系統からのゲノム性ＤＮＡを１つの正常なＥＲＧ９遺伝子と１つの中断されたＥＲＧ９遺伝子をもっていると考えられる３つの異なった形質転換体に比較された。
【０１９６】
このＤＮＡをＡｃｃＩかＸｂａＩのいずれかで消化して、ゲル電気泳動で分離し、１つのインモビリオンＳ薄膜に写し、ＥＲＧ９遺伝子が存在しているかどうかを調べるために特殊なプローブでプローブした。この場合のプローブはＥＲＧ９遺伝子の一部分を含んでいる１．４Ｋｂフラグメントであった。
【０１９７】
ゲノム性ＤＮＡのサザン・ブロット分析のために用いられたプローブはオリゴヌクレオチド２５０Ｂａｍ  Ｕｐと１７１２Ｘｍａ  Ｌｏ（上述）を用いてＰＣＲ増幅ＥＲＧ９遺伝子から調製された。プラスミドｐＪＭ９８−１２がテンプレートとして用いられた。ＰＣＲ条件は以下の通りであった。
【０１９８】
0004579415.tif 000017
増幅されたＥＲＧ９  ＤＮＡを精製し、上に述べたようにビオチニル化した。約１μｇのビオチニル化プローブを用いてブロットにハイブリダイズさせた。
厳しい条件下での特定のＤＮＡ帯に対するプローブのハイブリダイゼーションは相補性配列が存在していることを示した。親の2 倍体であるＣＪ３ＡｘＣＪ３Ｂの場合、Ａｃｃ  Ｉ消化で１つの帯が２．８ｋｂに認められ、Ｘｂａ  Ｉ消化で２．８ｋｂに１つの帯が認められた。ｅｒｇ９Δ：：ＨＩＳ３ノックアウトと推定されるものはそれぞれ２つの帯：Ａｃｃ  Ｉ消化に対して２．１ｋｂと１．３ｋｂにそれぞれ１つの帯、そしてＸｂａ  Ｉ消化に対して２．８ｋｂと３．４ｋｂにそれぞれ１つの帯を含んでいた。これらの結果は形質転換された2 倍体における野生種ＥＲＧ９遺伝子とｅｒｇ９Δ：：ＨＩＳ３中断の存在を示唆した。
【０１９９】
次に、ＹＰＤＥ寒天細胞培養基上で半数体細胞を嫌気性条件下で成長させた。エルゴステロール経路でブロックされた系統は嫌気性条件下でステロールを摂取することができる。嫌気性条件下でこれらの胞子のうちの２つ（ＥＲＧ９、ｈｉｓ−）で急速に成長し、そして２つ（ｅｒｇ９Δ：：ＨＩＳ３）は非常にゆっくり成長した。プレート上で嫌気性条件下で成長した系統ｅｒｇ９Δ：：ＨＩＳ３のうちの３つの胞子（ＫＭＬ５０５、ＫＭＬ５１０、及びＫＭＬ５２１）を嫌気性条件下で培養液内で成長させたところ、ファルネソール生産が示された。最初のＹＰＤＥプレートを嫌気性条件下でさらに培養したところ、嫌気性成長下でファルネソール生産に対してポジティブなテスト結果を示した半数体系統のうちの少数が成長しているようであった。（ＫＭＬ５０５から誘導された）３つのこうした成長可能な胞子が長めの好気培養後に発生した。ＢＫＹ１−２Ｄ、ＢＫＹ１−７Ｃ、そしてＢＫＹ１−８Ｄと命名されたこれら好気性条件下で成長する系統はすべて好気性条件下でファルネソールをつくりだした。
【０２００】
ｐＪＭ９８−１２かｐＲＳ３１６のいずれかを含んでいる親系統ＫＭＬ５１０（ａ／α、ｕｒａ３／ｕｒａ３、ｈｉｓ３／ｈｉｓ３、ｔｒｐ１／ｔｒｐ１、ｌｅｕ２／ｌｅｕ２、ｕｐｃ２／ｕｐｃ２、ＥＲＧ９／ｅｒｇ９Δ：：ＨＩＳ３）を胞子形成させて、四分染色体をＹＰＤＥプレート上に分けて入れた。これらのプレートを好気性条件下で培養して、胞子成長の以下のパターンが観察された。
【０２０１】
ＫＭＬ５１０／ｐＪＢ９８−１２の四分染色体分析は２０の四分染色体を用いて行われた。１６の四分染色体から２つの成長可能な急速に成長する胞子と２つの成長しない胞子を発生させた。すべての成長可能な胞子はｈｉｓ−、ｅｒｇ＋であった。３つの四分染色体は２つの成長可能で急速に成長する胞子と、１つの成長可能でゆっくり成長する胞子、それに１つの成長しない胞子を発生させた。成長可能で急速に成長するものはすべてｈｉｓ−、ｅｒｇ＋であった。成長可能で、ゆっくり成長する胞子はすべてｈｉｓ＋、ｅｒｇ＝であった。１つの四分染色体は成長可能な胞子をまったく発生させなかった。ｈｉｓ＋、ｅｒｇ＝胞子のすべてはｕｒａ−でもあり、ｐＪＭ９８−１２が成熟分裂中に分離しなかったことを示唆した。ｈｉｓ＋、ｅｒｇ＝胞子の１つはさらなる調査のために用いられ、ＢＴＹ１９−９Ｃと命名された。
【０２０２】
ＫＭＬ５１０／ｐＲＳ３１６の四分染色体分析は２０の四分染色体を用いて行われた。１８の四分染色体は２つの成長可能で急速に成長する胞子と２つの成長しない胞子をもたらした。２つの四分染色体は２つの成長可能で急速に成長する胞子、１つの成長可能でゆっくり成長する胞子、そして１つの成長しない胞子を発生させた。すべての急速に成長する胞子はｈｉｓ―、ｅｒｇ＋であった。すべてのゆっくり成長する胞子はｈｉｓ＋、ｅｒｇ−であった。すべてのｈｉｓ＋、ｅｒｇ−胞子はｕｒａ−でもあり、このことはｐＲＳ３１６が成熟分裂中にこれらの胞子に分離しないことを示唆している。ｈｉｓ＋、ｅｒｇ−の胞子の１つをさらに調査し、ＢＴＹ２０−２Ａと命名された。
【０２０３】
ＢＴＹ１９−９ＣとＢＴＹ２０−２Ａが野生種ＥＲＧ９遺伝子をもっていないことを確認するために、２つの系統とオリゴヌクレオチドＶＥ１０４−５及びＶＥ１０５−３から単離されたゲノム性ＤＮＡを用いてＰＣＲ実験を行った。
【０２０４】
５' オリゴ＝ＶＥ１０４−５＝ｇａｃ  ｔｃｔ  ＡＧＡ  ＡＧＣ  ＧＧＡ  ＡＡＡ  ＣＧＴ  ＡＴＡ  ＣＡＣ
３' オリゴ＝ＶＥ１０５−３＝上述の通り
ＶＥ１０４−５はＧｅｎＢａｎｋ  Ａｃｃｅｓｓｉｏｎ＃０００３０配列の位置＃１１６３１から１１６５４１までに対応する配列を含んでいる。
【０２０５】
機能性ＥＲＧ９遺伝子に対して予想されたＰＣＲ産物のサイズは２．２３ｋｂで、ｅｒｇ９Δ：：ＨＩＳ３分断に対しては２．８７ｋｂであった。系統ＢＴＹ１９−９ＣとＢＴＹ２０−２Ａは約２．８７ｋｂのＰＣＲ産物を有しており、これはｅｒｇ９Δ：：ＨＩＳ３分断の存在を示唆した。
【０２０６】
５つの系統（ＢＫＹ１−２Ｄ、ＢＫＹ１−７Ｃ、ＢＫＹ１−８Ｄ、ＢＴＹ１９−９Ｃ及びＢＴＹ２０−２Ａ）を振動フラスコ内でファルネソール生産について調べられた。系統ＢＫＹ１−７Ｃ及びＢＴＹ２０−２Ａはこれら５つの系統のうちで最も良くファルネソールを生産したが、ＢＫＹ１−７Ｃは非常にゆっくりと成長した。
【０２０７】
形質転換体ＫＮＬ５０５、ＫＭＬ５１０、及びＫＭＬ５２１は胞子形成培地に移された。四分染色体をＹＰＤＥに分けていれ、好気性条件下で長い時間成長させ、別の追加的な胞子が予想される２：２分離（成長可能：成長不能）を超えて成長するかどうかを調べた。好気性条件下でさらに培養したところ、２つのさらに別の胞子が成長可能であった。これら２つの系統、ＢＪＹ７−５ＤとＢＪＹＢ−１Ａは試験管スクリーンでファルネソールを生産した。
【０２０８】
系統ＢＪＹ７−５ＤとＢＪＹＢ−１Ａを振動フラスコ内で調べた。ＢＪＹ８−１Ａが７２時間の培養後に最もよくファルネソールを生産した（０．２９ｍｇ／ｍｌ、細胞乾燥重量で４．７％）。ＢＪＹ７−５Ｄは１ｍｌあたり０．１８ｍｇ
【０２０９】
のファルネソールを生産した（細胞乾燥重量で３．５％）。
実施例４
この実施例は機能性ＥＲＧ９遺伝子をもっている系統及びそれをもっていない系統におけるＨＧＭ  ＣｏＡリタクターゼの過剰表現を示す。
ＨＭＧ  ＣｏＡリタクターゼはイソプレノイド経路を通じての炭素の流れを規制する最も重要な酵素であるという説が提唱されている。Ｓ. セレビシアエにおいては、２つの遺伝子、ＨＭＧ１とＭＨＧ２がＨＭＧ  ＣｏＡリタクターゼの２つのアイソザイムをコードし、これらはＨＭＧ１ｐ及びＨＭＧ２ｐと命名された。
【０２１０】
ＨＭＧ  ＣｏＡリダクターゼの規制は転写性及び翻訳性規制及び蛋白質劣化の組み合わせを通じて達成される。ＨＭＧ１ｐ及びＨＭＧ２ｐアイソザイムの触媒ドメインをエンコードするＨＭＧ１及びＨＭＧ２の部分をＧＰＤ（グリセルアルデヒド−３−リン酸・デヒドロジェナーゼ）遺伝子からの強力なプロモータの翻訳的制御下でクローンされている。これらの構造（それぞれＨＭＧ１ｐとＨＭＧ２ｐの触媒ドメインを含んでいるｐＲＨ１２７−３とｐＲＨ１２４−３１）を含むプラスミドをR ．Hampton ，U ．C ．，San   Diego から入手した。HMG １ｐの触媒ドメインを過剰発現するS ．セレビシアエの系統ではイソプレノイド経路での炭素の流れが増大していると報告された。この増大した炭素流はスクアレン及びエルゴステロール過剰生産であることが明らかにされた。(Donald, K.A.G ., Hampton, R.Y., and Fritz, I.B., 1997, Effects of Overproduction of the Catalytic Domain of 3-Hydroxy-3Methylglutaryl Coenzyme A Reductase on Squalene Synthesis in Saccharomyces cerevisiae.  Applied and Environmental Microbiology 63:3341-3344).
【０２１１】
Ａ．機能性ＥＲＧ９遺伝子を有する系統でのＨＭＧ  ＣｏＡリダクターゼ過剰表現
ＨＭＧ  ＣｏＡリタクターゼが過剰発現されるとＳ．セレビシアエの他の系統の場合と同様にＡＴＣＣ２３８３８から誘導された系統においてもイソプレノイド経路を通じての炭素流が増大するということを確認するために、親系統ＡＴＣＣ２８３８３のｕｒａ３突然変異体とＥＭＳ９−２３（上の実施例１．Ｇで述べた系統）のｅｒｇ９修復バージョンをプラスミドｐＲＨ１２７−３及びｐＲＨ１２４−３１で形質転換された。形質転換はＬｉＯＡｃ手順（Giets   et．al．，1995）を用いて行った。空ベクターＹＥｐ３５２を含む比較対象系統も構成された。代表的な形質転換体を振動フラスコ実験でスクアレン及びエルゴステロール生産に関して調べた。細胞は５０ｍｌのＳＣＥ−ｕｒａ培養液内で３０℃の温度下で１８０ｒｐｍで振動させながら４８時間成長させた。２４時間目に１０ｍｌの培養を引き出して、それらの細胞を実施例Ｉ．Ｄで述べたようにＨＭＧＣｏＡリタクターゼ・アッセイを行うために取り出した。４８時間の成長期間が終わった後、これらの培養のアリコットを用いて、それら培養の開始時のＯＤ６００が０．１となるように５０ｍｌのＹＤＰ培養液を含むフラスコに入れた。ＹＰＤ培養液内に入れた培養を３０℃の温度下で１８０ｒｐｍで振動させながら７２時間成長させて、その後、乾燥細胞重量、スクアレン、及びエルゴステロール蓄積について調べた。この分析のために用いられた抽出方法は以下の通りであった。１０ｍｌの培養を１，５００ｘｇで１０分間遠心分離を行うことでペレット化した。細胞ペレットを１ｍｌの脱イオン水内に再系濁させ、ジルコニウム珪酸塩ビーズ（０．５ｍｍ直径）と一緒にかき回した。壊れた細胞懸濁液を２．５ｍｌの０．２％ピロガロール溶液（メタノールに溶かしたもの）及び６０％水酸化カリウム溶液で７５℃で１．５時間鹸化した。そしてサンプルを５ｍｌのヘキサンで抽出して、３時間回転させ、そして１，０００ｘｇで２０分間遠心分離にかけて複数の相に分離した。そしてヘキサン層を実施例１．Ｂで述べられたようにＧＣ−ＭＳで分析した。
【０２１２】
この実験からのデータを表１０に示す。Ｙｅｐ３５２ベクターだけを持っている比較対象系統と比較して、ＨＫＧ１ｐまたはＨＭＧ２ｐの触媒ドメインを過剰発現する領域は高いレベルのＨＭＧＣｏＡリタクターゼ活性とより高められたレベルのスクアレンを含んでいた。しかしながら、ＨＭＧ１ｐかＨＭＧ２ｐを過剰発現する系統のいずれもかなり増大したレベルのエルゴステロールは含んでいなかった。それにもかかわらず、これらのデータはＭＢＮＡ１−１３系統系列におけるＨＭＧ  ＣｏＡリタクターゼの活性を増強するとイソプレノイド系列を通じての炭素の流れが高まることを示している。
【０２１３】
【表１０】
0004579415.tif 000018
Ｂ．ｅｒｇ９突然変異体でのＨＭＧ  ＣｏＡリタクターゼの過剰表現
ＨＭＧ１ｐあるいはＨＭＧ２ｐの増幅がスクアレンに対する炭素流を増大させることを示したので、次にＨＭＧ１あるいはＨＭＧ２の過剰発現がｅｒｇ９突然変異を有している系統においてファルネソールを増大させるかどうかについてのテストを行った。系統ＳＷＥ２３−ΔＥ９１（実施例１．Ｇに説明）をプラスミドｐＲＨ１２７−３またはｐＲＨ１２４−３１で形質転換した。ＳＷＥ２３−ΔＥ９１の形質転換はＬｉＯＡｃ形質転換手順（Gietz   et．al，１９９６）を用いて行った。各形質転換で、約２．５μｇのｐＲＨ１２７−３またはｐＲH １２４−３１を用いた。形質転換体はＳＣＥ−ｕｒａプレート上で選択され、そしていくつかのものが選択され、ＳＣＥ−ｕｒａプレート上で精製された。増幅されたＨＭＧ  ＣｏＡリタクターゼのファルネソール生産に対する影響を調べるために、代表的な形質転換体を液体ＳＣＥ−ｕｒａ培地上で４８時間成長させた。比較対象の系統であるＳＷＥ−ΔＥ９１／ＹＥｐ３５２も実験に含めた。４８時間の成長期間の終わりに、それらの培養のアリコットを５０ｍｌのＹＰＤＥ培養液が入れられているフラスコに入れて最初のＯＤ６００が０．５となるようにした。これらの培養を３０℃の温度下で１８０ｒｐｍで振動させながら７２時間成長させた。この培養期間の終了時点でサンプルを分析して、乾燥細胞重量とファルネソール濃度について調べた。ＨＭＧ  ＣｏＡリタクターゼ遺伝子がそれらの形質転換体で過剰発現されていることを確認するために、ＳＣＥ−ｕｒａ内で成長させられた２０ｍｌの培養を１５００ｘｇで１０分間遠心分離を行って取り出し、実施例Ｉ．Ｄで述べた可透過化細胞法を用いてＨＭＧ  ＣｏＡリタクターゼ活性を測定した。この実験からのデータを表１１に示す。
【０２１４】
【表１１】
0004579415.tif 000019
ＳＷＥ２３−ΔＥ９１／ｐＲＨ１２７−３及びＳＷＥ２３−ΔＥ９１／ｐＲＨ１２４−３１の両方で、ＨＭＧ  ＣｏＡリタクターゼ活性が向上した。しかしながら、これらの系統におけるファルネソール生産は比較対象の系統ＳＷＥ２３−ΔＥ９１／ＹＥｐ３５２より低かった。この予想外の結果はそれぞれ無関係な実験で何回も観察された。
【０２１５】
ＨＭＧ  ＣｏＡリタクターゼ活性が増幅されても振動フラスコ培養で成長されたｅｒｇ９Δ：：ＨＩＳ３系統のファルネソール生産が増大しなかったにもかかわらず、表１２に示す系統を実施例１．Ｈ内に述べられた手順を用いて１−Ｌ発酵槽内でのファルネソール生産について調べた。これらの条件下で、予想された結果が観察された。つまり、ＨＭＧ  ＣｏＡリタクターゼを過剰発現する系統は比較対象の系統よりかなり多くのファルネソールをつくりだした。データは図６及び表１２に示してある。系統ＳＷＥ２３−ΔＥ９１／ｐＲＨ１２７−３及びＳＷＥ２３−ΔＥ９１／ｐＲＨ１２４−３１でのＨＭＧ  ＣｏＡリタクターゼ活性の上昇が可透過化細胞法を用いて直接酵素アッセイによって確認された。このことは発酵中の特定の時点でのリタクターゼ活性によって示される（表１２に示す）。
【０２１６】
【表１２】
0004579415.tif 000020
実施例５  この実施例では、ｅｒｇ９突然変異体における種々のＧＧＰＰシンターゼの過剰発現について説明する。
【０２１７】
ｅｒｇ９突然変異体系統内でつくられたＦＰＰをＧＧＰＰ（望ましい生成物であるＧＧの前駆体）に形質転換するために、種々のＧＧＰＰをｅｒｇ9 でコードする遺伝子を過剰発現した。この目的のためにクローンされた遺伝子はＳ．セレビシアエからのＢＴＳ1 遺伝子、エルウィニア・ウレドボーラからのｃｒｔＥ遺伝子、ニューロスポラ・クラッサからのあ１−３遺伝子、そしてギッベレラ・フジクロイからのｇｇｓ遺伝子である。これらの遺伝子を有しているプラスミドを以下のように構成した。
【０２１８】
ＢＴＳＴ１遺伝子をクローンするために、ゲノム性ＤＮＡをSherman   et  al（1986）に述べられている手順に従ってS.セレビシアエ系統Ｓ２８８Ｃから調製した。この遺伝子を以下の２つのオリゴヌクレオチドを用いてＰＣＲで増幅させた。
【０２１９】
５’オリゴ＝ＶＥ１００−５  ｇａｃｔｃｔＡＧＡＧＴＴＴＡＣＧＡＧＴＣＴＧＧＡＡＡＡＴＣ（配列番号：８）
３’オリゴ＝ＶＥ１０１−３  ｇｔａｇｇＡＴＡＣＡＴＧＧＡＡＴＴＧＡＧＣＡＡＴＡＧＡＧ（配列番号：９）
【０２２０】
ＰＣＲ条件は：９４℃、３分間；９４℃、１分間；５２℃、１分間；７４℃、１．５分間；３０サイクル；そして７４℃、７分間（１サイクル）。
ＰＣＲ産物はＸｂａＩとＢａｍＨＩで消化してＸＢａＩ、ＢａｍＨＩ消化ｐＰＧＫ３１５に連結させたところ、ｐＴＷＭ１０１が形成された。このプラスミドｐＰＧＫ３１５はS.セレビシアエＰＧＫプロモータ及びターミネータを含んでおり、それらは多重クローニング・サイトで分離されていた。u 上に述べた手順でＢＴＳ１遺伝子をｐＰＧＫ３１５にクローニングすると、ＢＴＳ１遺伝子が強力なＰＧＫプロモータの制御下に置かれた。プラスミドｐＰＧＫ３１５はプラスミドｐＲＳ３１５をＳａｃＩＩとＳｍａＩで消化して、Ｔ４  ＤＮＡポリメラーゼで処理して不活性末端を形成することで構成した。このプラスミドを再連結させて、ｐＲ３１５−ＤＳＳをつくった。プラスミドｐＲ３１５ＤＳＳをその後でＨｈｏＩで処理して、多重クローニング・サイトで分離されたＰＧＫプロモータとターミネータを含んだプラスミドｐＰＧＫＭＣＳから得られた９９４ｂｐのＳａＩＩ、ＸｈｏＩフラグメントに連結させた。プラスミドｐＰＲＧＫＭＣＳはｐＰＧＫ（Kang  et  al．，1990，Mol ．Cell．Biol．，10：2582）をＥｃｏＲＩとＢａｍＨＩで消化して、以下の２つのアニールされたオリゴヌクレオチドに連結させることによって構成された。
【０２２１】
５’オリゴ＝ＡＡＴＴＣＣＡＡＧＣＴＴＧＣＧＧＣＣＧＣＴＣＴＡＧＡＡＣＧＣＧＴＧ（配列番号：１０）
３’オリゴ＝ＧＡＴＣＣＡＣＧＣＧＴＴＣＴＡＧＡＧＣＧＧＣＣＧＣＡＡＧＣＴＴＧ（配列番号：１１）
【０２２２】
プラスミドｐＴＷＭ１１０−１１はＰＧＫプロモータ／ＢＴＳ１／ＰＧＫターミネータ（ＫｐｎＩとＳａｌＩでＰＴＷ１１０を消化して得られたもの）を含む２３９７ｂｐのＫｐｎＩ−ＳａｌＩフラグメントをＫｐｎＩ−ＳａｌＩ消化ＹＥｐ３５２に連結させることで構成された。
【０２２３】
ｃｒｔＥ遺伝子をクローンするために、PureGeneゲノム性   ＤＮＡ単離キット（Centra  Systems ，Inc ．，Minneapolis ，MN）を用いてE ．ウレドボーラ系統２０D ３から単離された。ｃｒｔＥ遺伝子をこのゲノム性ＤＮＡと以下の２つのオリゴヌクレオチドを用いて増幅させた。
【０２２４】
５’オリゴ＝２０３Ｕｐ  ｇａａｔｔｃＧＴＴＴＡＴＡＡＧＧＡＣＡＧＣＣＣＧＡ（配列番号：１２）
３’オリゴ＝２０Ｄ３Ｌｏ  ｃｔｇｃａｇＴＣＣＴＴＡＡＣＴＧＡＣＧＧＣＡＧＣＧＡ（配列番号：１３）
【０２２５】
オリゴ２０Ｄ３ＵｐはＧｅｎＢａｎｋ  Ａｃｃｅｓｓｉｏｎ＃９００８７配列の位置＃２０６−＃２２４に対応する配列を含んでいる。オリゴ２０Ｄ３Ｌｏは同じＧｅｎＢａｎｋ配列ファイルの位置＃１１１７−＃１１３６の配列の逆方向相補部分を含んでいる。増幅されたＤＮＡはｐＣＲ−Ｓｃｒｉｐｔ  ＳＫ（＋）（Strategene，La  Jolla ，CA）に連結させて、プラスミドｐＳＷ１−Ｂを発生させた。次にこのプラスミドをＥｃｏＲＩ及びＳａＣＩで消化させ、そして９７３ｂｐのｃｒｔＥ遺伝子を含むフラグメントを精製して、ＥｃｏＲＩ−ＳａｃＩ消化ｐＡＤ３１４−９５６に連結させて、プラスミドｐＳＷ２Ｂを発生させた。プラスミドｐＳＷ２−ＢをＢａｍＨＩで消化して、ＡＤＨ１プロモータ、ｃｒｔＥコード配列、及びＡＤＨ１ターミネータを含む２１９９ｂｐのフラグメントを発生させ、このフラグメントをＢａｍ消化ＹＥｐ３５２に連結させて、そのプラスミド内でＵＲＡ３遺伝子の向きとは反対の向きにｃｒｔＥ遺伝子を配置させるｐＳＷ４Ａを発生させると同時に、ｃｒｔ遺伝子をＵＲＡ３遺伝子と同じ向きにさせるｐＳＷ４Ｂを発生させた。
【０２２６】
プラスミドｐＡＤＨ３１３−９５６を以下の方法で発生させた。プラスミドｐＲＳ３１３（Sikorski  and   Hieter，1989）をＳａｃＩとＸｂａＩで消化させて、Ｔ４  ＤＮＡポリメラーゼで処理して不活性な末端をつくりだし、そして再連結させてプラスミドｐＤＳ３１３を発生させた。このプラスミドをＳｍａＩｔｏＡｐａＩで消化させ、Ｔ４  ＤＮＡで処理して不活性末端をつくり、そして再度連結させてｐＤＳＸＳＡ３１３をつくった。ＨｉｎｄＩＩＩサイトで分離されたＡＤＨ１プロモータとターミネータを含んでいるプラスミドｐＡＡＨ５（Ammerer ，G ．，1983，Meth．Enzymol ．101 ：192 −201 ）をＨｉｎｄＩＩＩで消化させて、次に以下の２つのアニールされたオリゴヌクレオチドに連結させて、多重クローニング・サイトを導入すると同時にｐＡＡＨ５−ＭＣＳをつくった。
【０２２７】
５’オリゴ＝ＭＣＳ１  ＡＧＣＴＧＡＡＴＴＣＧＡＧＣＴＣＧＧＴＡＣＣＣＧＧＧＣＴＣＴＡＧＡＧＴＣＧＡＣＣＴＧＣＡＧＧＣＡＴＧＣＡ  （配列番号：１４）
【０２２８】
３’オリゴ＝ＭＣＳ２  ＡＧＣＴＴＧＣＡＴＧＣＣＴＣＣＡＧＧＴＣＧＡＣＴＡＣＴＣＡＴＧＡＧＣＣＣＧ  ＧＧＴＡＣＣＧＡＧＣＴＣＧＡＡＴＴＣ（配列番号：１５）
【０２２９】
テンプレートとしてのｐＡＤＨ３１３−ＭＣＳと以下の２つのオリゴヌクレオチドを含むＰＣＲ反応を行って、ＡＤＨ１プロモータ、多重クローニング・サイト、そしてＡＤＨ１ターミネータを含む１２３２ｂｐのＰＣＲプロモータを得た。
【０２３０】
５’オリゴ＝ＡＤＨ１Ａ  ｇａｃｇｇａｔＣＣＧＴＧＧＡＡＴＡＴＴＴＣＧＧＡＴＡＴＣＣ（配列番号：１６）
３’オリゴ＝ＡＤＨ１Ｂ  ｃｔｃｇｇａｔｃｃＧＧＡＣＧＧＡＴＴＡＣＡＧＧＴＡＴＴＧＴＣＣ（配列番号：１７）
【０２３１】
オリゴＡＤＨ１ＡはＧｅｎＢａｎｋ  Ａｃｃｅｓｓｉｏｎ＃Ｖ０１２９２配列の位置＃１６から＃３７までに対応する配列を含んでいる。オリゴＡＤＨ１Ｂは同じＧｅｎＢａｎｋ配列ファイルの＃２０９２−＃２１１６の配列の逆方向相補部分を含んでいる。１２３２ｂｐのＰＣＲ産物はＢａｍＨＩで消化させ、ＢａｍＨＩ消化ｐＤＳＸＳＡ３１３に連結してプラスミドｐＡＤＨ３１３−９５６を含んでいた。
【０２３２】
Ｎクラッサａ１−３遺伝子をクローンするために、ゲノム性ＤＮＡをBorgesらがFungal Genetics Stock Center's web site (www.kumc.edu/research/fgsc/fgn37/borges.html)の方法の箇所で述べている方法を用いてＮ．クラッサ系統ＡＴＣＣ１４６９２から単離した。この遺伝子を以下の２つのオリゴヌクレオチドを用いてＰＣＲによって増幅させた。
【０２３３】
５’オリゴ＝ＶＥ１１８−５  ｃａｇａａｔＴＣＡＣＣＡＴＧＧＣＣＧＴＧＡＣＴＴＣＣＴＣＣＴＣ（配列番号：１８）
３’オリゴ＝ＶＥ１１９−３  ｃａａｇａｔｃｔＣＡＴＡＣＡＴＴＣＡＡＴＣＣＴＣＡＴＧＧＡＣＡＣ（配列番号：１９）
【０２３４】
オリゴＶＥ１１８−５はＧｅｎＢａｎｋ  Ａｃｃｅｓｓｉｏｎ＃Ｕ２０９４０配列の位置＃１２１６−＃１２４０に対応する配列を含んでいる。オリゴＶＥ１１９−３は同じＧｅｎＢａｎｋ配列ファイルの位置＃２５７６−＃２５９９までの配列に対する逆方向相補部分を含んでいる。増幅されたＤＮＡをｐＣＲ−Ｓｃｒｉｐｔ  ＳＫ（＋）（Strategene，La  Jolla ，CA）のＳｒｆＩサイトに連結させてａ１−３遺伝子の２つの独立したＰＣＲクローンであるｐＳＷ７−１及びｐＳＷ７−２を発生させた。これら２つのプラスミドをＥｃｏＲＩとＢｇ１ＩＩで消化させて、ａ１−３遺伝子を含む１３９３ｂｐフラグメントを精製し、ＥｃｏＲＩ、ＢａｍＨＩ消化ｐＰＧＫ（Kang  et  al．，1990）に連結させて、それぞれｐＳＷ７−１ｔｏｐＳＷ７−２から誘導されたａ１−３を有するｐＳＷ９−１とｐＳＷ９−２を発生させた。
【０２３５】
ｇｇｓ遺伝子をクローンするために、ニューロスポラに関して上に述べたのと同じ手順で、ゲノム性ＤＮＡをギッベレラ・フジクオイ系統ＡＴＣＣ１２６１７から単離した。ｇｇｓ遺伝子を以下の２つのオリゴヌクレオチドを用いたＰＣＲで増幅させた。
【０２３６】
５’オリゴ＝ＶＥ１２０−５  ｇａｇａａｔｔＣＴＴＡＡＣＡＣＧＧＡＴＣＡＴＧＡＴＣＣＣＣＡＣＧＧＣ（配列番号：２０）
３’オリゴ＝ＶＥ１２１−３  ｃｔｇｇａｔｃＣＧＴＣＡＡＡＴＣＣＧＴＧＡＡＴＣＧＴＡＡＣＧＡＧ（配列番号：２１）
【０２３７】
オリゴＶＥ１２０−５はＧｅｎＢａｎｋ  Ａｃｃｅｓｓｉｏｎ＃Ｘ９６９４３配列の位置＃６０７−＃６３０に対応する配列を含んでいる。オリゴＶＥ１２１−３は同じＧｅｎＢａｎｋ配列ファイルの位置＃１９０８−＃１９３２までの配列の逆方向の相補性部分を含んでいる。増幅されたＤＮＡをｐＣＲ−Ｓｃｒｉｐｔ  ＳＫ（＋）のＳｒｆＩサイトに連結させて、ｇｇｓ遺伝子の２つの独立したＰＣＲクローンであるｐＳＷ８−１及びｐＳＷ８−２を発生させた。これら２つのプラスミドをＥｃｏＲＩとＢａｍＨＩで消化させ、そしてｇｇｓ遺伝子を含む１３３５ｂｐのフラグメントを精製、ＥｃｏＲＩ、ＢａｍＨＩ消化ｐＰＧＫに連結させてそれぞれｐＳＷ８−１とｐＳＷ８−２から誘導されたｇｇｓ配列を有するｐＳＷ１０−１とｐＳＷ１０−２を発生させた。
【０２３８】
系統ＥＭＳ９−２３（実施例１．Ｇで述べたｕｒａ３、ｕｒａ９）をＬｉＯＡｃ方法を用いて上に述べたプラスミドで形質転換させて、これらの形質転換体をＳＣＥ−ｕｒａプレート上で選択した。形質転換体をＳＣＥ−ｕｒａプレート上に入れて精製を行った。ＧＧ生産に関して代表的な形質転換体を調べた。これらの系統を３０℃で４８時間ＳＣＥ−ｕｒａ培養液内で成長させ、その後ＹＰＤＥ培養液の入ったフラスコに入れて、最初のＯＤ６００が０．５になるようにした。これらの培養を振動させながら３０℃の温度で７２時間培養し、そして、乾燥細胞重量、ファルネソール及びＧＧレベルについて分析した。２０ｍｌのＳＣＥ−ｕｒａ培養液を入れたフラスコの二番目のセットにも同じ開始培養を入れて、４８時間成長させた。これらのフラスコから細胞を取り出して、１０ｍｌの５０ｍＭビストリス−プロパン緩衝液、ｐＨ７．０で洗浄して、再度ペレット化した。そしてこの細胞ペレットを用いてＧＧＰＰシンターゼ・アッセイのための可透過化細胞懸濁液を調製した。これらの細胞を１ｍｌの０．１％トリトンＸ１００を含む５０ｍＭビス−トリス−プロパン緩衝液、ｐＨ７．０内に再懸濁させ、必要時まで８０℃の温度で凍結させた。解凍後、可透過化された細胞を用いてＧＧＰＰシンターゼ・アッセイを行った。このＧＧＰＰシンターゼ・アッセイ混合物は０．０Ｍビス−トリス・プロパン緩衝液  ｐＨ７．０（Ｘμｌ）、０．１Ｍジチオスレイトル（１μｌ）、１ｍｇ／ｍｌ  ＦＰＰ（５μｌ）、及び可透過化細胞（Ｙμｌ）で構成されており、ここでＸ＋Ｙ＝８７μｌである。比較対象の反応も行われたが、この反応ではＦＰＰとＩＰＰは用いられなかった。アッセイ混合物は３７℃で２０分間培養された。０．１ｍｌの２Ｘグリシン緩衝液（０．２Ｍグリシン、２ｍｌ  ＭｇＣｌ２、２ｍＭ  ＺｎＣｌ２、ｐＨ１０．４）と６３単位のアルカリ性ホスファターゼ（Sigma   Chemical  Co. ，St.Louis，MO）を加えて、それらの混合物を３７℃の温度で６０分間培養した。これらの混合物を次に０．２ｍｌの１：１ヘキサン／酢酸エチルで抽出して、ＧＣ／ＭＳでＧＧに関する分析を行った。ＧＧＰＰシンターゼ活性は形成されたｎｍｏｌ  ＧＧＰＰ／分／ｍｇ蛋白質で発現されている。表１３に、これらの系統の乾燥細胞重量、ファルネソール生産、ＧＧ生産、及びＧＧＰＰシンターゼ活性を要約して示す。比較対象の系統であるクローンされたＧＧＰＰシンターゼを含まないＥＭＳ９２３／ＹＥｐ３５２は８．７％ファルネソール（乾燥細胞重量に基づいて）をつくり、ＧＧは基本的にはつくりださなかった。それぞれ異なったクローンＧＧＰＰシンターゼを発現した他の４つの系統は比較対象とほぼ同じ程度の量のファルネソールをつくりだし（８．０−９．７４％）、０．６２−１．７３％の範囲のＧＧをつくりだした。
【０２３９】
【表１３】
0004579415.tif 000021
ＧＧＰＰシンターゼ活性の増幅のＧＧ生産に対する影響をＩ−Ｌ発酵槽けでさらに調べた。系統ＥＭＳ９−２３をクローンされたＢＴＳ１遺伝子を有するプラスミドｐＴＷＭＩ１０−１１で形質転換した。系統ＳＷＥ２３−ΔＥ９１（実施例１．Ｇで説明）をＹｅｐ３５２（比較対象ベクター）あるいはｐＳＷ４Ａ−３（クローンされたｃｒｔＥ遺伝子を有するプラスミドｐＳＷＥ４Ａの個別単離物）のいずれかで形質転換させた。系統ＳＷＥ２３−ΔＥ９１／ＹＥｐ３５２、ＥＭＳ９−２３／ｐＴＷＭ１０−１１及びＳＷＥ２３−ΔＥ９１／ｐＳＷ４Ａ−３を１．Ｈで述べた方法に従って１リットル発酵装置で成長させ、成長、ファルネソール生産、及びＧＧ生産について比較を行った。
【０２４０】
それらの結果を図７と表１４に示す。これらの３つの系統の成長はほぼ同様であった。系統ＳＷＥ２３−ΔＥ９１／ＹＥｐ３５２は２３６時間後に２．３２ｇ／Ｌのファルネソールをつくりだしたが、検出可能なレベルのＧＧはつくらなかった。ＥＭＳ９−２３／ｐＴＷＭ１０−１１は２３９時間後に２．１ｇ／Ｌファルネソールをつくりだし、同じ時間内に０．４２ｇ／ＬのＧＧを生産した。系統
【０２４１】
ＳＷＥ２３−ΔＥ９１／ｐＳＷ４Ａ−３は２３６時間で２．４７ｇ／Ｌのファルネソールをつくりだし、同じ時間内で０．５９ｇ／Ｌ  ＧＧもつくりだした。比較対象系統のＧＧＰＰシンターゼ活性は検出可能レベル以下であった。系統ＥＭＳ９−２３／ｐＴＷＭ１０−１１とＳＷＥ２３−ΔＥ９１／ｐＳＷ４Ａ−３はＧＧＰＰシンターゼ活性の増大と相関性を示した。
【０２４２】
【表１４】
0004579415.tif 000022
実施例６
この実施例はＦＰＰシンターゼをエンコードするＥＲＧ２０遺伝子の過剰発現の影響について示している。
【０２４３】
ｅｒｇ９突然変異体におけるＦＰＰシンターゼ・レベル上昇の影響について調べるために、サッカロマイセス・セレビシアエからのＦＰＰシンターゼをコードするＥＲＧ２０遺伝子をクローンして過剰発現させた。（Shermann  et  al．1986に述べられている方法に従って調製された）S.セレビシアエ系統Ｓ２８８Ｃからのゲノム性ＤＮＡと以下の２つのオリゴヌクレオチドを用いたＰＣＲでＥＲＧ２０遺伝子を増幅させた。
【０２４４】
５' オリゴ＝ＢａｍＦＰＰＵｐ  ｇｇｃｃｇａｔｃｃ  ＡＴＡＴＴＡＣＧＴＡＧＡＡＡＴＧＧＣＴＴＣＡＧ（配列番号：２２）
３' オリゴ＝ＸｈｏＦＰＰＬｏ  ｇｃｃｇｃｔｇａｇＧＧＴＣＣＴＴＡＴＣＴＡＧＴＴＧ（配列番号：２３）
【０２４５】
オリゴＢａｍＦＰＰＵｐはＧｅｎＢａｎｋ  Ａｃｃｅｓｓｉｏｎ＃Ｊ０５０９１配列の位置＃７９０−＃８１０に対応する配列を含んでいる。オリゴＸｈｏＦＰＰＬｏは同じＧｅｎＢａｎｋ配列ファイルの位置＃１８９１−＃１９０７の配列の逆方向相補性部分を含んでいる。ＰＣＲ産物をＢａｍＨＩとＸｈｏｌで消化し、Ｓ. セレビシアエＧＰＤ（グリセルアルデヒド−３−リン酸・デヒドロジナーゼ）プロモータ及びＰＧＫターミネータを含むベクターに連結させた。
【０２４６】
このプロモータ／ターミネータ・ベクターはＧＰＤプロモータとＰＧＫターミネータとの間でクローンされたＳ. セレビシアエＨＭＧ２遺伝子の触媒ドメインを含んだプラスミド、つまりｐＲＨ１２４−３１（実施例４で説明）をＢａｍＨＩとＳａｌＩで消化してＨＭＧ２  ＤＮＡを除去することによって得た。プロモータ／ターミネータ・ベクターに対応する６．３ｋｂ帯を精製して、ＥＲＧ２０を含む１１２９ｂｐフラグメントに連結させて、ｐＪＭＢ１９３１及びｐＪＭＢ１９−３２を発生させた。プラスミドｐＪＭＢ１９−３１とｐＪＭＢ１９−３２を用いて系統ＳＷＥ２３−ΔＥ９１（ｕｒａ３、ｈｉｓ３、ｅｒｇ９Δ：：ＨＩＳ３）をＬｉＯＡｃ法に従って形質転換させ、形質転換体をＳＣＥ−ｕｒａプレート上で選別した。形質転換体をＳＣＥ−ｕｒａプレート上で精製した。
【０２４７】
ｅｒｇ９突然変異体系統におけるＦＰＰシンターゼ過剰発現の影響について調べるために、上にの述べたように構成された代表的な形質転換体を振動フラスコ培養内で成長させ、成長、ファルネソール生産、ＧＧ生産とＦＰＰシンターゼ
【０２４８】
及びＧＧＰＰシンターゼ活性に関する比較を行った。これらの系統をＳＣＥ−ｕｒａ培養液内で４８時間、３０℃で振動させながら成長させ、ＹＰＤＥ培養液を含むフラスコに入れて、最初のＯＤ６００が０．５となるようにした。これらの培養を３０℃で振動させながらさらに７２時間培養し、乾燥細胞重量、ファルネソール、及びＧＧレベルについて調べた。２０ｍｌのＳＣＥ−ｕｒａ培養液を含む第２のセットのフラスコにも最初の培養を入れて４８時間成長させた。これらのフラスコから細胞を取り出して、１０ｍｌの５０ｍＭトリス−プロパン、ｐＨ７．０で洗浄し、再ペレット化した。そして細胞ペレットを用いてＦＰＰ及びＧＧＰＰシンターゼ・アッセイを行うために可透過化細胞懸濁液を調製した。これらの細胞を１ｍｌの０．１８％トリトンＸ１００を含む５０ｍＭビス−トリス−プロパン、ｐＨ７．０に再懸濁させて可透過化させ、必要時まで８０℃で凍結した。解凍後、可透過化された細胞を用いてアッセイを行った。ＧＧＰＰシンターゼ・アッセイ混合物は実施例５で述べたものと同じであった。ＦＰＰシンターゼ・アッセイ混合物は０．０５Ｍビス−トリス・プロパン緩衝液、ｐＨ７．０（Ｘμｌ）、０．１Ｍジチオスレイトール（１μｌ）、０．５Ｍ  ＭｇＣｌ２（２μｌ）、１ｍｇ／ｍｌ  ＩＰＰ（６μｌ）、１ｍｇ／ｍｌゲラニル２リン酸（ＧＰＰ）（６μｌ）、そして可透過化細胞（Ｙμｌ）を含んでおり、ここでＸ＋Ｙ＝８５μｌであった。比較対象の反応も行われ、その場合、ＩＰＰとＧＰＰは省かれた。アッセイ混合物は３７℃の温度下で１５分間培養された。０．１ｍｌの２Ｘグリシン緩衝液（０．２Ｍ  グリシン、２ｍＭ  ＭｇＣｌ２、２ｍＭ  ＭｇＣｌ２、ｐＨ１０．４）及び６３単位のアルカリ性ホスファターゼ（Shigma  Chemical  Co. ，St．Louis ，MO）、及びそれらの混合物を３７℃の温度下で６０分間培養した。これらの混合物を０．２ｍｌの１：１ヘキサン／酢酸エチルで抽出して、ＧＣ／ＭＳでファルネソールについて分析した。ＦＰＰシンターゼ活性は形成されたＦＰＰ  ｎｍｏｌ／分／ｍｇ蛋白質で発現した。
【０２４９】
表１５に示すデータはＦＰＰシンターゼを過剰発現してもファルネソール生産は増大せず、予想外なことに、これらの振動フラスコ培養でＧＧ生産が増大したことを示している。ＳＷＥ２３−ΔＥ９１／ｐＪＭＢ１９−３１またはＳＷＥ２３−ΔＥ９１／ｐＪＭＢ１９−３２によってつくられるＧＧのレベルはＳ．セレビシアエＢＴＳ１（ＧＧＰＰシンターゼ）遺伝子を過剰発現する系統（ＥＭＳ９２３／ｐＴＷＭ９２３／ｐＴＷＭ１１０−１１）の場合に観察されるレベルより高くさえあった。
【０２５０】
【表１５】
0004579415.tif 000023
ＦＰＰシンターゼ活性増幅のＧＧ生産に対する影響を１−Ｌ発酵槽でさらに評価した。系統ＳＷＥ２３−ΔＥ９１／ＹＥｐ３５２（比較対称）、ＥＭＳ９−２３／ｐＳＷ４Ａ３（ｃｒｔＥ、ＧＧＰＰシンターゼ）及びＳＷＥ２３−ΔＥ９１／ｐＪＭＢ１９−３２（ＥＲＧ２０、ＦＰＰシンターゼ）を実施例１．Ｈで述べた方法を用いて１リットル発酵槽で成長させ、成長、ファルネソール生産、ＧＧ生産、ＧＧＰＰシンターゼ活性についての比較を行った（図８及び表１６）。これら３つの系統はほぼ同様であったが、他の系統と同様の速度で成長を開始するまでに多少時間がかかった。系統ＳＷＥ−ΔＥ９１／ＹＥｐ３５２は２５８時間後に２．３１ｇ／Ｌをつくりだしたが、検出可能なレベルのＧＧは生産しなかった。ＥＭＳ９−２３／ｐＳＷ４Ａ３は２５８時間後に２．５２ｇ／Ｌのファルネソールと０．５７ｇ／ＬのＧＧをつくりだした。系統ＳＷＥ２３−ΔＥ９１／ｐＪＭＢ１９−３２は２５８時間後に１．９５ｇ／Ｌファルネソールを生産し、また同じ期間で０．５９ｇ／ＬのＧＧをつくりだした。ＳＷＥ２３−ΔＥ９１／ｐＪＭＢ１９−３２による予想外のＧＧ生産はこの系統におけるＧＧＰＰシンターゼ活性の増大と相関性を示していた。
【０２５１】
ＧＧＰＰシンターゼ活性は比較対象系統ＳＷＥ２３−ΔＥ９１／ＹＥｐ３５２で検出された。Ｅ．ウレドボーラｃｒｔＥ（ＧＧＰＰシンターゼ）遺伝子を発現する系統ＥＭＳ９−２３／ｐＳＷ４Ａ３は、細胞内において比較的高いＧＧＰＰ生産活性を示した（２５８時間の時点で見ると１．７ｎｍｏｌ／分／ｍｇ）。予想された通り、S ．セレビシアエＦＰＰシンターゼを過剰発現する系統ＳＷＥ２３−ΔＥ９１／ｊＪＭＢ１９−３２は通常のレベルのＦＰＰシンターゼしか含んでいいない比較対象と比べて発酵の全期間で１０倍以上増大したＦＰＰシンターゼ活性を含んでいた。しかしながら、驚くべきことに、系統ＳＷＥ２３−ΔＥ９１／ｐＪＭＢ１９−３２も増大したＧＧＰＰシンターゼ活性を示した（表１６）。この活性は疑いなくこの系統により予想外のＧＧ生産に対応するものである。
【０２５２】
系統系統ＳＷＥ２３−ΔＥ９１／ｐＪＭＢ１９−３２で検出された増大したＧＧＰＰシンターゼ活性はＧＧＰＰシンターゼ（ＢＴＳ１遺伝子生成物）の活性を含むＦＰＰシンターゼの過剰生産の結果であろう。しかしながら、ＦＰＰシンターゼがＦＰＰシンターゼの過剰生産の度合いが高すぎることでこの系統におけるＧＧＰＰシンターゼ活性がある程度低いということもあり得る。
【０２５３】
【表１６】
0004579415.tif 000024
実施例７
この実施例ではいくつかのファルネソール抽出手順について述べる。
最初の実験でＭＢＮＡ１−１３（ファルネソール生産因子）とＡＴＣＣ２８３８３（エルゴステロール生産因子）の場合の、ブロス全体（細胞＋培養液）の抽出と種々の条件下における細胞ペレットの個別抽出との比較が行われた。１０ｍｌの培養サンプルをほぼ全体としては実施例１に述べたのと同様に、ただし一部表１７に示すように変更して、抽出された。表１７の方法１は実施例１に述べられた抽出方法と同じである。ファルネソール抽出の場合、方法１、２、３、５及びでロス全体の抽出は個別細胞及び培養液抽出とまったく同じように効率的に行われた。最もファルネソールが抽出されたのは方法５で、この方法ではブロス全体をヘキサンに抽出する前にメタノールに０．２％ピロガロールを添加するだけである。二番目に抽出量が多かったのは方法１である。
【０２５４】
【表１７−１】
0004579415.tif 000025
次に、抽出溶液のタイプ（方法１、ブロス全体）、抽出のための時間（方法１、ヘキサン抽出、ブロス全体）、及び抽出前に加えられるメタノールの量（方法１、ヘキサン抽出、ブロス全体））について調べるためにいくつかの実験を行った。それらの結果を表１７−１９に示す。
【０２５５】
【表１７−２】
0004579415.tif 000026
【表１８】
0004579415.tif 000027
【表１９】
0004579415.tif 000028
ファルネソールの抽出手順の最適化及び簡素化のためと、発酵ブロスからのＧＧの抽出のための手順の適用のためにさらに研究を行った。この研究結果に基づいて以下に述べるような採集抽出手順が得られた。
【０２５６】
１．発酵ブロス全体を希釈しないで用いるか、あるいは１５ｍｌテフロン・キャップ・ガラス試験管内で２．０ｍｌの最終体積となるように水で適当に希釈して用いる。
【０２５７】
２．２．０ｍｌのヘキサンを加える。
３．２．０ｍｌのメタノールを加える。
４．試験管を高速で３．５分間回転する。
５．複数の相に分離するために卓上遠心分離装置で２５−３０分間、２，８００ｒｐｍで遠心分離を行う。
６．上清（有機相）を取り出して、２．０ｍｌのテフロンでキャップしたガラスＣＣ／ＭＳ小びん内に入れて、ＧＣ／ＭＳによりファルネソール及びＧＧについて調べる。
【０２５８】
実施例８
以下の実施例はＨＭＧ  ＣｏＡリタクターゼ増幅のＧＧＰＰシンターゼを過剰生産する系統によるＧＧ生産に対する影響について示すものである。
この実験で、プラスミドの１つのコピーがそのゲノムに組み込まれてＧＧＰＰシンターゼの過剰発現を可能にしている系統が構成された。組み込まれたプラスミドはｐＳＷ３５−４２として知られており、以下のように構成された。プラスミドｐＳＷ４Ａ（実施例５参照）をＢａｍＨＩで消化して、ＡＤＨ１プロモータ、ｃｒｔＥコード配列、及びＡＤＨ１ターミネータの融合体を含んでいる２１９９ｂｐのフラグメントを発生させた。次にこのフラグメントをＢａｍＨＩ消化  ＹＩｐ３５１に連結させ(Hill et al, 1986, Ye ast/E. coli Shuttle Vectors with Multiple Unique Restriction Sites, YEAST 2:163-167) 、ｐＳＷ３５−４２を発生させた。
【０２５９】
ｐＳＷ３５−４２を含む系統を構成するために、このプラスミドを制限エンドヌクレアーゼＢｓｔＥＩＩで消化して、ＬＥＵ２遺伝子ないに１つの切断を導入した。線形化プラスミドを精製して、ＬｉＯＡｃ法に従って系統ＳＷＥ２３−ＤＬ１を形質転換するために用いた。ｐＳＷ３５−４２がＬＥＵ２遺伝子座に組み込まれた形質転換体をロイシンを含まない培養液上で選択した。得られた形質転換体系統の１つはＳＷＥ２３−ＤＬ１：：ｐＳＷ３５−４２と称する。この系統はその後、ＹＥｐ３５２（比較対象の空ベクター、Hill  et  al．，1986，YEAST   2 ：163 −167 ）あるいはｐＲＨ１２４−３１（ＨＭＧ２遺伝子の触媒ドメインを含む：実施例４参照）のいずれかで形質転換させたところ、それぞれ、系統ＳＷＥ２３−ＤＬ１：：ｐＳＷ３５−４２／ＹＥｐ３５２及びＳＷＥ２３−ＤＬ１：：ｐＳＷ３５−４２／ｐＲＨ１２４と命名された系統がもたらされた。系統ＳＷＥ２３−ＤＬ１：：ｐＳＷ３５−４２／ＹＥｐ３５２はＧＧＰＰシンターゼを過剰生産し、一方、系統ＳＷＥ２３−ＤＬ１：：ｐＳＷ３５−４２／ｐＲＨ１２４の方はＧＧＰＰシンターゼとＨＭＧ  ＣｏＡリタクターゼを過剰発現した。
【０２６０】
これら２つの系統によるＧＧ生産を比較するために系統ＳＷＥ２３−ＤＬ１：：ｐＳＷ３５−４２／ｐＲＨ１２４及びＳＷＥ２３−ＤＬ１：：ｐＳＷ３５−４２／ＹＥｐ３５２の発酵実験を行った。これらの系統を実施例１．Ｈに述べられている手順を用いて１−Ｌ発酵槽内でＧＧ生産についてテストした。発酵データを表２０に示す。この実験はＳＷＥ２３−ＤＬ１：：ｐＳＷ３５−４２／ｐＲＨ１２４の発酵がＳＷＥ２３−ＤＬ１：：ｐＳＷ３５−４２／ＹＥｐ３５２の発酵よりも多くＧＧを蓄積すること、そして、ＧＧを生産するように指定された系統におけるＨＭＧ  ＣｏＡリタクターゼ活性の上昇はＨＭＧ  ＣｏＡリタクターゼが増幅されていない同様の系統と比較してＧＧレベルがさらに上昇することを示す。
【０２６１】
【表２０】
0004579415.tif 000029
同じ系統でＨＭＧ  ＣｏＡリタクターゼ及びＧＧＰＰシンターゼの過剰発現を達成するための第２の方式は両方の遺伝子を高コピー数酵母ベクターにクローニングして、このプラスミドをｅｒｇ９突然変異体系統に形質転換することによって達成された。この目的のために使われたプラスミドをｐＳＷ４Ａと命名し（実施例５参照）、以下のように構成された。プラスミドｐＳＷ４Ａ（実施例５参照）をＥｃｏＲＩ及びＳａｃＩで消化して、ｃｒｔＥ遺伝子を含む０．９ｂｐフラグメントを精製して、ＥｃｏＲＩ、ＳａｃＩ消化ｐＡＤＨ３１３−９５６に連結してｐＳＷ３８−１０を発生させた。このプラスミドの２つの領域を制限酵素により欠失させ、Ｐｆｕポリメラーゼを使って末端を満たし、連結してその環状プラスミドを改良した。こうして欠失された領域はＮｄｅＩ及びＳｐｅＩサイトの間と、ＨｉｎｄＩＩＩ及びＰｓｔＩサイトの間であった。得られたプラスミドはｐＳＷ４３−５と命名された。プラスミドｐＳＷ４３−５をＢａｍＨＩで消化して、得られたＡＤＨ１プロモータ、ｃｒｔＥ遺伝子、及びＡＤＨ１ターミネータヲフクム２１９９ｂｐのフラグメント（ＡＨＤｐ／ｃｒｔＥ／ＡＤＨｔフラグメントと命名）を精製して、ＹＥｐ３５２のＢａｍＨＩサイトに連結指せた。得られたプラスミドをｐＳＷ４４−１７と命名し、これは２つのＰｓｔＩサイトの代わりにそのサイトを１つしか含んでいないことが他のものと異なっている。
【０２６２】
プラスミドｐＲＨ１２４−３１をＸｂａＩ及びＰｓｔＩで消化して、ＧＰＤプロモータ、ＨＭＧ２触媒領域遺伝子、そしてＰＧＫターミネータ（ＧＰＤｐ／ＨＭＧ２ｃａｔ／ＰＧＫｔフラグメント）をＸｂａＩ、ＰｓｔＩ消化ｐＳＷ４４−１７にクローンして、ｐＳＷ４６−１を発生させた。このプラスミドは酵母で多数のコピーに複製され、ＨＭＧ２とｃｒｔＥ遺伝子の両方を含んでいて、ＨＭＧ  ＣｏＡリタクターゼとＧＧＰＰシンターゼの過剰発現をもたらす。プラスミドｐＳＷ４６−１はｅｒｇ９系統ＳＷＥ−ＤＥ９１に形質転換されて、ＵＲＡ＋形質転換体が単離された。得られた形質転換体のいくつかを振動フラスコ実験でテストして、ＧＧＰＰシンターゼ（ＥＭ９−２３／ｐＷ４Ａ）だけを発現する系統と比較した。この実験の結果は、表２１に示すように、高いレベルのＧＧが、ＨＭＧ  ＣｏＡリタクターゼとＧＧＰＰシンターゼの両方を過剰生産する系統の方が、ＧＧＰＰシンターゼだけを過剰発現する系統と比較して、ＧＧを多量に生産することを示している。
【０２６３】
【表２１】
0004579415.tif 000030
これらのデータはＧＧ生産レベルを高めることができる系統でのＧＧリタクターゼの過剰生産はつくられるＧＧの量をさらに増大させることを示している。
【０２６４】
実施例９
以下の実施例ではＨＭＧ  ＣｏＡリタクターゼを過剰生産するより安定した系統の生産について述べる。
実施例４でも説明したように、ＨＭＧ１ｃａｔ及びＨＭＧ２ｃａｔ遺伝子を含んでいる複製プラスミドがより多く存在しているのでＨＭＧ  ＣｏＡリタクターゼを過剰発現する系統が構成された。複製プラスミドは細胞分割中に失われてしまうことが多いので、この複製プラスミドの分裂における不安定性は最終的に正常なレベルのＨＭＧ  ＣｏＡリダクターゼだけを含んでいる細胞の割合が自然に高くなってしまう。ＨＭＧ  ＣｏＡリタクターゼを発現するより安定した系統を得るために、ＨＭＧ２ｐの触媒ドメインをコードする遺伝子のコピーを系統ＳＷ２３Ｂのゲノムに組み込ませた。この操作は最初にＨＭＧ２のｒＲＮＡ遺伝子のスペーサー領域への多重組み込みを可能にするプラスミドを構成することによって行われた。この方式をLopes et al, 1989 (Lopes, T. S., Kl ootwijk, J., Veenstra, A. E., van der Aar, P. C., van Heerikhuizen, H., Raue, H. A., and Planta, R. J. 1989. High-copy-number  integration into the ribosomal DNA of Saccharomyces cerevisiae: a new vector for high-level expression. Gene 79:199-206)に述べられているｒＤＮＡ組込み法にしたがって実行した。
【０２６５】
ＰＣＲを用いて、ここではｒＤＮＡスペーサー領域と呼ばれる３５Ｓ  ｒＲＮＡと５Ｓ  ｒＤＮＡをコードする遺伝子との間の遺伝子間領域にあるｒＤＮＡ配座の２つの領域を増幅した。これら２つのｒＤＮＡスペーサー領域フラグメントの最初のものを増幅するために用いられたオリゴヌクレオチドはＧｅｎｅ  Ｂａｎｋ  Ａｃｃｅｓｓｉｏｎ  ＃２７３３２６の位置１０３１１から＃１０３３０の逆方向相補部分を含んでいた。このオリゴヌクレオチド配列を以下に示す。小文字部分は制限エンドヌクレアーゼ認識サイトをつくるために変性あるいは付加された塩基を示しており、それらはオリゴヌクレオチド配列の後に括弧に入れて示してある。
【０２６６】
配列番号：２４
Ｒ６ＸｂａＩ  Ｌｏ  ５' −ｔｃｔａｇａＧＧＣＡＣＣＴＧＴＣＡＣＴＴＴＧＧＡＡＡＡＡＡＡＡＴＡＴＡＣＧＣ−３'
（Ｘｂａｌ）
配列番号：２５
Ｒ７ＳａｃＩＩ  Ｕｐ  ５' −ｃｃｇｃｇｇＧＣＣＧＧＡＡＡＴＧＣＴＣＴＣＴＧＴＴＣ−３'
【０２６７】
（ＳａｃＩＩ）
これら２つのオリゴヌクレオチドを用いてＰＣＲ増幅で発生されたＤＮＡフラグメントを本明細書ではＲ６／Ｒ７フラグメントと称する。このＰＣＲによって発生されたＲ６／Ｒ７フラグメントを最初にプラスミドｐＣＲ−ＳｃｒｉｐｔにクローンしてｐＳＷ４８−１を発生させ、次にＸｂａＩ及びＳａｃＩＩで消化してこのプラスミドから切り離した。得られた７５９ｂｐのフラグメントを次にＸｂａＩ、ＳａｃＩＩ消化ＰＢｌｕｅｓｃｒｉｐｔ  ＳＫ（Strategene）にクローンしてｐＳＷ４９を発生させた。
【０２６８】
第２のｒＤＮＡスペーサー領域フラグメントを増幅するために用いられたオリゴヌクレオチドはＧｅｎｅ  Ｂａｎｋ  Ａｃｃｅｓｓｉｏｎ＃２７３３２６の塩基＃１１２４７から＃１１２７２までと位置１２０５４から＃１２０７２の配列の逆方向相補部分を含んでいた。これらのオリゴヌクレオチドの配列を以下に示す。
【０２６９】
配列番号：２６
Ｒ５Ｓａｌ  ＵｐＢ    ５' ＣＡＣｇｔＣｇＡＣＣＡＴＴＣＡＡＡＣＴＴＴＡＣＴＡＣ−３'     （ＳａＩＩ）
配列番号：２７
Ｒ４ＡｐａＩ  ＬｏＢ    ５' −ＧＡＧＧＧＣｃｃＧＧＴＣＣＡＧＡＣＡＴ−３'
【０２７０】
（ＡｐａＩ）
上の２つのオリゴヌクレオチドを用いてＰＣＲ増幅で発生されたＤＮＡは本明細書ではＲ４／Ｒ５フラグメントと称する。ＰＣＲで発生されたこのＲ４／Ｒ５フラグメントをＡｐａＩ及びＳａｌＩで消化させて、ＡｐａＩ、ＳａｌＩ消化ｐＳＷ４９−１に連結させて、ｐＳＷ５２−１１を発生させた。
【０２７１】
ＰＣＲを用いてＴＲＰ１遺伝子を増幅させ、その遺伝子が不完全なプロモータを持つようにさせた。この不完全なプロモータはＴＲＰ１遺伝子の発現を減少させ、それによって最終的な発現カセットでより多数の組み込みが行われるための選択手段を提供することを目的としていた。ＴＲＰ１遺伝子に対して用いられたオリゴヌクレオチドはＧｅｎｅ  Ｂａｎｋ  Ａｃｃｅｓｓｉｏｎ＃Ｊ０１３７４の塩基＃５３−＃７３と位置＃８０４−＃８２３の配列の逆方向相補部分を含んでいた。これらのオリゴヌクレオチド配列を以下に示す。
【０２７２】
配列番号：２８
ＳｍａＵｐ  ５' −ｃｃｃｇｇｇＴＡＴＴＧＡＧＣＡＧＧＴＧＡＧＴＡＴＡＣＧ−３'   （ＳｍａＩ）
配列番号：２９
ＴＲＰ１  ＢａｍＬｏ  ５' −ｇｇａｔｃｃＧＧＣＡＡＧＴＧＣＡＣＡＡＡＣＡＡＴＡＣ−３'   （ＢａｍＨＩ）
【０２７３】
次ぎのステップで、ｐＳＷ５０−１をＢａｍＨＩとＳｍａＩで消化して、得られた７７９ｂｐのＴＲＰ１フラグメントを精製した。プラスミドｐＲＨ１２４−３１をＰｓｔＩとＳｍａＩで消化してＧＰＤプロモータ、ＨＭＧ２ｃａｔ遺伝子、そしてＰＧＫターミネータを含んだ３２６１ｂｐのフラグメント（本明細書ではＧＰＤｐ／ＨＭＧ２ｃａｔ／ＰＧＫｔフラグメントと称す）を発生させ、このフラグメントを精製した。ＴＲＰ１遺伝子とＧＰＤｐ／ＨＭＧ２ｃａｔ／ＰＧＫｔフラグメントを３フラグメント連結でＰｓｔＩ、ＢａｍＨＩ消化ｐＷ５２−１１に連結させて、ｐＳＷ５８−７７とｐＳＷ５８−４５を発生させた。
【０２７４】
Ｒ６／Ｒ７−ＴＲＰ１−ＧＰＤｐ／ＨＭＧ２ｃａｔ／ＰＧＫｔ遺伝子融合体を含むこのＤＮＡフラグメントを制限エンドヌクレアーゼＫｐｎＩとＳａｃＩで消化することでｐＳＷ５８−７７から切断した。この形質転換体をＳＥＣ−ｔｒｐ培地上で選択した。こうした方法で単離された系統をＨＭＧ  ＣｏＡリタクターゼ活性が増強されているかどうかについてスクリーニングすると同時に、ＨＭＧ２遺伝子コピー数が増大するかどうかをサザン・ブロット分析で調べた。組込み構成物が１つのもの、２つのもの、３つのもの、そして８つのものを選別して、これらをそれぞれＳＷ２３Ｂ＃１９、ＳＷ２３Ｂ＃３１、ＳＷ２３Ｂ＃４０及びＳＷ２３Ｂ＃７４と命名した。表２３にｉｎ  ｖｉｔｒｏ酵素アッセイで判定されたＨＭＧ  ＣｏＡの比活性と、サザン・ブロットで判定したＨＭＧｃａｔ遺伝子のコピー数を示す。ＨＭＧ  ＣｏＡリタクターゼ・アッセイは(Quain, D. E. and Haslam, J. M. 1979. The Effects of Catabolite Derepression on the Accumulation of S teryl Esters and the Activity of ・Hydroxymethylglutaryl-CoA Reductase in Saccharomyces cerevisiae. J. Gen. Microbiol. 111:343-351)に述べられている。
【０２７５】
【表２２】
0004579415.tif 000031
これらの系統はその内部にｌｅｕ２及びｌｅｕ３突然変異があるせいで成長のために外部から供給されるロイシンとウラシルを必要としている。発酵実験中にこれらの栄養素を供給する必要性をなくすために、これらの系統をＵＲＡ３、ＬＥＵ２、及びＴＲＰ１を含むプラスミド、ｐＴＷＭ１３８で形質転換した。これらの系統にこのプラスミドが存在していると、それらの系統はロイシン及びウラシルの補給なしで成長できた。
【０２７６】
発酵実験はこれらの系統によるファルネソール生産を相互比較するために実行された。この実験には高コピー数プラスミド上にＧＰＤｐ／ＨＭＧ２ｃａｔ／ＰＧＫｔ遺伝子を含む系統ＳＷ２３−ＤＥ９１／ｐＲＨ１２４−３１（実施例４．Ｂ参照）も含まれていた。これらの系統を、実施例１．Ｈで述べた手順を用いて１−Ｌ発酵槽でテストした。この実験で得られたデータを表２３に示す。
【０２７７】
【表２３】
0004579415.tif 000032
これらのデータはＨＭＧ  ＣｏＡリタクターゼのレベルが上昇した系統は通常のレベルのＨＭＧ  ＣｏＡリタクターゼを有する系統と比較してファルネソールをより多量に生産するという考えを裏付けている。これらのデータはまたＨＭＧ２ｃａｔのコピーが８つ組み込まれている系統は基本的に、系統ＳＷ２３Ｂ／ｐＲＨ１２４−３１の場合と同様ＨＭＧ２ｃａｔをコピーを２０個クロモソーム外に保有している系統と同じ量のファルネソールを生産することも示している。ＨＭＧ２ｃａｔ遺伝子のコピーが１つだけ組み込まれている系統は比較対象の系統より多量のファルネソールを生産したが、その生産量はＨＭＧ２ｃａｔのコピー数がより多い系統よりはやや下回った。加えて、ＨＭＧ２ｃａｔリタクターゼのレベルが上昇した系統は培養内部にメバロン酸を含んでいるのに対して、ＨＭＧ  ＣｏＡが通常のレベルの系統ではメバロン酸を含んでいなかった。このことは、ＨＭＧ  ＣｏＡリタクターゼ酵素活性が一度上昇されてしまうと、ＨＭＧ  ＣｏＡリタクターゼの１ステップ下流の部分がその経路での炭素の流れを制限してしまうことを示唆している（実施例１０）。この経路を通じての炭素の流れはＨＭＧ  ＣｏＡリタクターゼより下流の酵素の１つの活性で制限され、その培地にメバロン酸を蓄積させてしまう。
【０２７８】
実施例１０
この実施例はｅｒｇ９突然変異を有し、ＨＭＧ  ＣｏＡリタクターゼのレベルが上昇している多重イソプレノイド経路遺伝子の過剰発現の影響を示している。
図４及び９に示されているようにＨＭＧ  ＣｏＡリタクターゼ・レベルの上昇はイソプレノイド／ステロール経路を通じてのより高い炭素流をもたらした。増幅されたＨＭＧ  ＣｏＡリタクターゼを含む系統の他のイソプレノイド経路遺伝子の過剰発現はこの経路を通じての炭素の流れをさらに大きくする。ＨＭＧ  ＣｏＡリタクターゼ及び欠陥ｅｒｇ９のレベルが上昇した系統におけるイソプレノイド経路遺伝子の増幅はファルネソール・レベルをさらに上昇させる可能性がある。また、イソプレノイド経路遺伝子の増幅は欠陥ｅｒｇ９遺伝子を有し、ＨＭＧ  ＣｏＡリタクターゼとＧＧＰＰシンターゼのレベルが上昇した経路内のＧＧレベルをさらに上昇させる可能性がある。
【０２７９】
こうした考えをテストするために、複数のイソプレノイド経路遺伝子の過剰発現を可能にするプラスミドが構成された。こうしたプラスミドの１つはそれぞれＥＲＧ１２、ＥＲＧ８、及びＥＲＧ１９でコードされるメバロネート・キナーゼ、ホスホメバロネート・キナーゼ、及びジホスホメバロネート・デカルボキシラーゼの過剰発現をもたらす。このプラスミドはｐＳＷ７７−６９と命名され、単一イソプレノイド経路遺伝子を含む多数のプラスミドから得られたＤＮＡフラグメントから構成された。最初にこれらのプラスミドの構造について述べる。
【０２８０】
クローニングを行うためにＰＣＲを用いてＥＲＧ１２を増幅した。ＥＲＧ１２遺伝子を増幅するために用いられたオリゴヌクレオチドはＧｅｎｅ  Ｂａｎｋ  Ａｃｃｅｓｓｉｏｎ  ＃Ｚ４０８０９の塩基＃２８２７−＃２８４６に対応する位置＃５２４７−＃５２２９の逆方向相補部分を含んでいた。これら２つのオリゴヌクレオチドの配列を以下に示す。小文字は制限エンドヌクレアーゼ認識サイトをつくりために変性あるいは付加された塩基を示しており、オリゴヌクレオチド配列の後の括弧内に示してある。
【０２８１】
配列番号：３０
Ｅ１２．４ＳＮ    ５' −ＣＣＡＡＡＴＡＴＡＡＣｔＣＧＡＧＣＴＴＴＧ−３
（ＸｈｏＩ）
配列番号：３１
Ｅ１２．ＳＡＬ１３  ５' −ＧＣＡＡＡＧＴｃＣａＣＣＡＣＣＧＣＡＧ−３
（ＳａｌＩ）
ＥＲＧ１２遺伝子を２つのオリゴヌクレオチドＥ１２．４ＳＮ及びＥ１２．ＳＡＬ１３と系統ＡＴＣＣ２８３８３からのゲノム性ＤＮＡを用いて増幅させた。
【０２８２】
得られたＤＮＡをｐＣＲ−ＳｃｒｉｐｔのＳｆｒＩサイトにクローンしてｐＳＷ６８をクローンさせた。
ＥＲＧ１９遺伝子を増幅するために用いられたオリゴヌクレオチドはＧｅｎｅ  Ｂａｎｋ  ＃Ｚ７１６５６の塩基＃９１１−＃９３７に対応する配列と、Ｇｅｎｅ  Ｂａｎｋ  Ａｃｃｅｓｓｉｏｎ  ＃７１６５８の塩基＃１９３０−＃１９６２に対する逆方向相補部分を含んでいた。これら２つのオリゴヌクレオチドの配列を以下に示す。
【０２８３】
配列番号：３２
Ｅ１９  ＳＭＡＩ  ５' −ＧＣＣＡＣＧＴＧＣＣＣｃＣＧＧＧＴＴＴＣＴＣＴＡＧＣＣ−３'   （ＳｍａＩ）
配列番号：３３
Ｅ１９  ＳＡＣ１３  ５' −ＧＧＡＡＡＡＧａｇＣｔＣＧＡＴＡＡＴＴＡＴＴＧＡＴＧＡＴＡＧＡＴＣ−３'   （ＳａｃＩ）
【０２８４】
ＥＲＧ１９遺伝子を２つのオリゴヌクレオチドＥ１９  ＳＭＡＩ、Ｅ１９  ＳＡＩ３、及びＡＴＣＣ２８３８３系統からのゲノム性ＤＮＡを用いて増幅した。得られたＤＮＡをｐＣＲ−ＳｃｒｉｐｔのＳｆｒＩサイトにクローンして、ｐＳＷ６９を形成した。
【０２８５】
ＥＲＧ８遺伝子を増幅するために用いられたオリゴヌクレオチドはＧｅｎｅ  Ｂａｎｋ  Ａｃｃｅｓｓｉｏｎ  ＃Ｚ４９９３９の塩基＃２７２９−＃２７４９に対応する配列と＃５１７７−＃５１９６の逆方向相補部分を含んでいた。これらの２つのオリゴヌクレオチドの配列を以下に示す。
【０２８６】
配列番号：３４
Ｅ８．２１３５Ｎ  ５' −ＣＣＧＴＴＴＴＧＧＡＴｃｃＴＡＧＡＴＣＡＧ−３' （ＢａｍＨＩ）
配列番号：３５
Ｅ８ＳＭＡＩ３    ５' −ｇｔｔｃｃｃＧＧＧＴＴＡＴＴＧＴＣＣＴＧＣＡＴＴＴＧ−３'   （ＳｍａＩ）
【０２８７】
ＥＲＧ遺伝子を２つのオリゴヌクレオチドＥ８．２１３５Ｎ、Ｅ８ＳＭＡＩ３と系統ＡＴＣＣ２８３８３からのゲノム性ＤＮＡを用いて増幅した。得られたＤＮＡをｐＣＲ−ＳｃｒｉｐｔのＳｆｒＩサイトにクローンしてｐＳＷ７１を形成した。
【０２８８】
プラスミドｐＳＷ７１をＢａｍＨＩ及びＳｍａＩで消化し、得られたＥＲＧ８遺伝子を含む２４５９ｂｐフラグメント精製した。プラスミドｐＳＷ６９−３をＳｍａＩ及びＳａｃＩで消化して、得られたＥＲＧ１９遺伝子を含む２２３９ｂｐのフラグメントを精製した。高コピー数酵母ベクター（ＵＲＡ３選択マーカー）をＢａｍＨＩ及びＳａｃＩで消化して、精製した。これら精製されたＤＮＡフラグメントを相互に連結させて、ｐＳＷ７６−１１を発生させた。
【０２８９】
次に、ｐＳＷ６８をＳａｌＩ及びＸｈｏＩで消化して、ＥＲＧ１２遺伝子を含む２４００ｂｐ帯を精製してＳａｌＩ消化ｐＳＷ７６−１１に連結させ、ｐＳＷ７７−６９を発生させた。このプラスミドはＥＲＧ１２、ＥＲＧ８、及びＥＲＧ１９を含んでおり、メバロネート・キナーゼ、ホスホメバロネート・キナーゼ、及びジホスホメバロネート・デカルボキシラーゼを過剰発現させる。
【０２９０】
別のプラスミドはそれぞれＥＲＧ１２、ＥＲＧ８、ＥＲＧ１９及びＩＤＩ１遺伝子でコードされるメバロネート・キナーゼ、ホスホ−メバロネート・キナーゼ、ジホスホメバロネート・デカルボキシラーゼ、及びＩＰＰイソメラーゼを過剰発現させた。このプラスミドはｐＳＷ７８−６８と命名され、以下のように構成された。クローニングを行うためにＩＤＩ１遺伝子をＰＣＲで増幅した。ＩＤＩ１遺伝子を増幅するために用いられたオリゴヌクレオチドはＧｅｎｅ  Ｂａｎｋ  Ａｃｃｅｓｓｉｏｎ  ＃Ｕ４３５０３の塩基＃１９５７７−＃１９６０４に対応する配列と、＃１７４７７−＃１７５０２の逆方向相補部分を含んでいた。これら２つのオリゴヌクレオチドの配列を以下に示す。
【０２９１】
配列番号：３６
ＩＳＯ  ＳＡＣＩ５    ５' −ＡＡＧＡＧｃｔｃＡＴＣＴＧＡＴＡＡＴＡＧＡＴＣＡＡＧＣＧ−３'     （ＳａｃＩ）
配列番号：３７
ＩＳＯ  ＳＡＣＩ３    ５' −ＡＧＧＡＧＣＴＣＡＡＣＧＡＣＡＡＴＡＡＡＴＧＧＣＴＧ−３'     （ＳａｃＩ）
【０２９２】
ＩＤＩ１遺伝子を２つのオリゴヌクレオチドＩＳＯ  ＳＡＣＩ５、ＩＳＯＳＡＣＩ３、及び系統ＡＴＣＣ２８３８３からのゲノム性ＤＮＡを用いて増幅した。得られたＤＮＡをｐＣＲ−ＳｃｒｉｐｔのＳｆｒｔサイトにクローンしてｐＳＷ７３を発生させた。プラスミドｐＳＷ７３をＳｃａＩで消化して、得られたＩＤＩ１遺伝子を含む２１１７ｂｐフラグメントをＳａｃＩ消化ｐＳＷ７７−６９に連結させて、ｐＳＷ７８−６８を発生させた。このプラスミドはＥＲＧ１２、ＥＲＧ８、ＥＲＧ１９、及びＩＤＩ１を含んでおり、メバロネート・キナーゼ、ホスホメバロネート・キナーゼ、ジホスホメバロネート・デカルボキシラーゼ、そしてＩＤＰイソメラーゼを過剰発現させる。
【０２９３】
別のプラスミドはそれぞれＥＲＧ１０及びＥＲＧ１３にコードされるアセトアセチルＣｏＡチオラーゼ及びＨＭＧ  ＣｏＡシンターゼの過剰発現を可能にした。
【０２９４】
このプラスミドはｐＳＷ７９−２９と命名され、以下の手順で構成された。
クローニングの目的でＰＣＲを用いてＥＲＧ１３及びＥＲＧ１０遺伝子を増幅した。ＥＲＧ１３遺伝子を増幅するために用いられたオリゴヌクレオチドはＧｅｎｅ  Ｂａｎｋ  Ａｃｃｅｓｓｉｏｎ  ＃Ｚ５０１７８の塩基＃２１１０４−＃２１１２７の逆方向相補部分と塩基＃１８２７０−＃１８２２９２に対応する配列を含んでいた。これら２つのオリゴヌクレオチドの配列を以下に示す。
【０２９５】
配列番号：３８
Ｅ１３  ＸＢＡＩ５    ５' −ＧＴＣＣＴｃｔＡＧＡＴＣＴＴＧＡＡＴＧＡＡＡＴＣ−３'   （ＸｂａＩ）
配列番号：３９
Ｅ１３  ＳＡＣＩ３    ５' −ＣＴＴＴＧＡＧＣｔｃＧＴＡＣＡＡＧＡＡＧＣＡＧ−３'     （ＳａｃＩ）
【０２９６】
ＥＲＧ１３遺伝子は２つのオリゴヌクレオチドＥ１３  ＸＢＡＩ５、Ｅ１３  ＳＡＣＩ３、及び系統ＡＴＣＣ２８３８３からのゲノム性ＤＮＡを用いて増幅させた。得られたＤＮＡをｐＣＲ−ＳｃｒｉｐｔのＳｆｒＩサイトにクローンしてｐＳＷ７２を発生させた。
【０２９７】
ＥＲＧ１０遺伝子を増幅するために用いられたオリゴヌクレオチドはＧｅｎｅ  Ｂａｎｋ  Ａｃｃｅｓｓｉｏｎ  ＃Ｕ３６６２４の塩基＃４０７３−＃４０９３と塩基＃６５４２−＃６５６５の逆方向素補部分に対応する配列を含んでいた。これら2 つのオリゴヌクレオチドの配列は以下の通りである。
【０２９８】
配列番号：４０
Ｅ１０  ＨＩＤ５    ５' −ＣＴＡＡＧＣｔｔＴＧＣＧＣＣＣＧＴＧＡＡＧ−３'
（ＨｉｎｄＩＩＩ）
配列番号：４１
Ｅ１０  ＸＢＡＩ３−２    ５' −ＧＴＴＣＴＡＧＡＡＧＴＴＴＴＣＡＡＡＧＣＡＧＡＧ−３'     （ＺｂａＩ）
【０２９９】
ＥＲＧ１０遺伝子を２つのオリゴヌクレオチドＥ１０  ＨＩＮＤ５及びＥ１０  ＸＢＡＩ３−２と、系統ＡＴＣＣ２８３８３から得られるゲノム性ＤＮＡを用いて増幅された。得られたＤＮＡをｐＣＲ−ＳｃｒｉｐｔのＳｆｒＩサイトにクローンしてｐＳＷ７０を発生させた。
【０３００】
プラスミドｐＳＷ７０をＸｂａＩ及びＨｉｎｄＩＩＩで消化して、得られた２４８２ｂｐのＥＲＧ１０遺伝子を含むフラグメントを精製した。プラスミドｐＳＷ７２−４をＸｂａｌ及びＳｃａＩで消化して、得られたＥＲＧ１３遺伝子を含む２８５０ｂｐフラグメントを精製した。これら２つの精製されたＤＮＡフラグメントをＳａｃＩ、ＨｉｎｄＩＩＩ消化ＹＥｐ３５１（ＬＥＵ２選択可能マーカー）と連結してｐＳＷ７９−３０を発生させた。このプラスミドはＥＲＧ１３及びＥＲＧ１０遺伝子を含んでおり、アセトアセチルＣｏＡチオラーゼ及びＨＭＧ  ＣｏＡシンターゼの過剰発現を可能にしてくれる。
【０３０１】
系統ＳＷ２３Ｂ＃７４（ＨＭＧｃａｔ遺伝子の８つの組み込まれたコピーを含んでいる。実施例９参照）をｐＳＷ７７−７９とｐＳＷ７８−６８で形質転換させ、形質転換体をＳＣＥ−ｕｒａ培地で選択した。得られた系統をＳＷ２３Ｂ＃７４／ｐＳＷ７７−６９及びＳＷ２３Ｂ＃７４／ｐＳＷ７８−６８とそれぞれ命名した。これらの系統はｌｅｕ２突然変異の故に成長のためにロイシンの添加を必要としていた。これらの系統に発酵実験中にロイシンを補給する必要性をなくすために、それらを機能性ＬＥＵ２遺伝子を含んでいる線形フラグメントで形質転換させて、ＬＥＵ＋形質転換体を単離した。これらの系統をそれぞれＳＷ２３Ｂ＃７４Ｌ／ｐＳＷ７７−６９及びＳＷ２３Ｂ＃７４Ｌ／ｐＳＷ７８−６８と命名した。
【０３０２】
ＳＷ２３Ｂ＃７４はｐＳＷ７９−３０で形質転換させ、そして形質転換体をＳＣＥ−ｌｅｕ培地上で選択した。ＳＷ２３Ｂ＃７４／ｐＳＷ７９−３０はｕｒａ３遺伝子に突然変異を含んでいるのでウラシルを必要とした。発酵実験中にウラシルをこれらの系統に補給する必要性をなくすために、この系統を機能性ＵＲＡ３遺伝子を含んだＤＮＡの線形フラグメントで形質転換させて、ＵＲＡ＋形質転換体を単離した。これらの系統はＳＷ２３Ｂ＃７４Ｕ／ｐＳＷ７９−３０と命名された。
【０３０３】
ＳＷ２３Ｂ＃７４はｐＳＷ７８−６８とｐＳＷ７９−３０の両方で形質転換され、ＳＣＥ−ｕｒａ、−ｌｅｕ培地上で成長でき、従って両方の形質転換体を含んでいることを示唆している形質転換体を単離した。得られた系統をＳＷ２３Ｂ＃７４／ｐＳＷ７８−６８／ｐＳＷ７９−３０と命名した。
【０３０４】
これらの遺伝子の増幅がファルネソール生産にどのように影響を及ぼすかを調べるために上に述べた系統を用いて発酵実験を行った。これらの系統を実施例１．Ｈで述べられた手順を用いて１−Ｌ発酵槽でテストした。これらの実験のデータを表２４に示す。
【０３０５】
【表２４】
0004579415.tif 000033
これらのデータはＨＭＧ  ＣｏＡを過剰発現する系統が培養液内でイソプレノイド経路中間物メバロン酸を蓄積することを示している。メバロン酸の蓄積はＨＭＧ  ＣｏＡリタクターゼが通常のレベルの系統では観察されないので、これはイソプレノイド経路を通じての炭素流がＨＭＧ  ＣｏＡリタクターゼ増幅によってＨＭＧ  ＣｏＡリダクターゼの後の別のステップが経路中間物の転化を制限することを実証している。さらに、イソプレノイド経路の最初の３つの酵素、つまり、（それぞれＥＲＧ１３、ＥＲＧ１０、及びＨＭＧ２ｃａｔでコードされる）アセトアセチルＣｏＡチオラーゼ、ＨＭＧ  ＣｏＡシンターゼ、及びＨＭＧ  ＣｏＡリタクターゼの過剰発現はその培地中でメバロン酸の一層の蓄積をもたらした。このことはイソプレノイド経路内への炭素流が最初の３つのステップの増幅でさらに増強されはことを示しており、ＨＭＧ  ＣｏＡＡＡリタクターゼの下流の酵素の１つがイソプレノイド経路の転化を制限することを強く示している。メバロン酸はファルネソール及びＧＧの前駆体として機能するので、上に述べた増幅はイソプレノイド経路内への炭素流を増大させるために用いることができ、そしてメバロン酸をより効率的に代謝できれば、ファルネソール及びＧＧの蓄積の増大につなげることができる。
【０３０６】
この最後の点に関して、ＨＭＧ  ＣｏＡリタクターゼより下流の酵素をＨＭＧ  ＣｏＡリタクターゼを過剰発現する系統で増幅した。増幅された酵素は（それぞれＨＭＧ２ｃａｔ、ＥＲＧ１２、ＥＲＧ８、ＥＲＧ１９、及びＩＤＩ１でコードされる）ＨＭＧ  ＣｏＡリタクターゼ、メバロネート・キナーゼ、ホスホメバロネート・キナーゼ、ジホスホメバロネート・デカルボキシラーゼ、及びＩＰＰイソメラーゼであった。これらの系統はＨＭＧ  ＣｏＡリタクターゼだけを過剰発現する系統と比較してメバロン酸の蓄積量がより少なく、このことはＨＭＧ  ＣｏＡリタクターゼ過剰発現から得られるイソプレノイド経路を通じての増大した流れが下流の酵素の上昇したレベルと対応していることを示唆している。上昇されたファルネソール・レベルは上に述べた実験では観察されなかったが、これは転化に使えるメバロン酸のレベルが低いからかもしれない。しかしながら、これらのデータは最初の３つの経路酵素のレベルが増大している系統でのＨＭＧ  ＣｏＡリタクターゼより下流の酵素の１つまたは複数を増幅するとこれらの系統内でメバロン酸への流れが大幅に増大するので、ファルネソール及びＧＧの蓄積の増大につながるのかもしれない。アセトアセチルＣｏＡチオラーゼ、ＨＭＧ  ＣｏＡシンターゼ、及びＨＭＧ  ＣｏＡリタクターゼを過剰発現する系統内のＨＭＧ  ＣｏＡリタクターゼより下流の１つまたは複数の遺伝子の過剰発現がファルネソール及びＧＧ蓄積のかなりの増大につながるという可能性はある。
【０３０７】
実施例１１
この実施例は機能性ＥＲＧ９遺伝子を含む本来のままの機能性ステロール経路を有する系統でザラゴズ酸によってスクアレン・シンターゼがブロックされた実験について述べ、スクアレン・シンターゼ阻害剤のファルネソール及びＧＧ蓄積に対する影響について観察する。
【０３０８】
ザラゴズ酸はスクアレン・シンターゼの強力な抑制因子として機能する一連の化合物である。(Bergstrom, J. D., Dufresne, C., Bills, G. F., Nallin-Omstead, M., and Byrne, K. 1995. Discovery, Biosynthesis, and Mechanism of Action of the Zaragozic Acids: Potent Inhibitors of Squalene Synthase. Ann. Rev. Microbio l. 49:607-639). これらの化合物は哺乳動物におけるコレステロール生合成と真菌類におけるエルゴステロール生合成を抑制することができる。エルゴステロールは真菌細胞成長のために必要であるから、ザラゴズ酸は強力な殺真菌性化合物である。
【０３０９】
この実験で系統ＳＷＥ２３−Ｅ９（ｕｒａ３、ｓｕｅ；実施例１．５参照）が使われたのはそれが好気性条件下でステロールを摂取するようにするｓｕｅ突然変異を有しているからである。これによってスクアレン・シンターゼがザラゴズ酸によってブロックされた場合にエルゴステロールを補強した培養液内に酵母が生長できるようになった。ｓｕｅ突然変異を有さない系統はその培養液からエルゴステロールを含むステロールを摂取できないであろうから、従って、ザラゴズ酸の存在下では成長できないであろう。
【０３１０】
空のベクター（Ｙｅｐ３５２）あるいはＨＭＧ  ＣｏＡリタクターゼ（ｐＲＨ１２４−３１）、ＧＧＰＰシンターゼ（ｐＳＷ４Ａ）、あるいはＨＭＧ  ＣｏＡリタクターゼ及びＧＧＰＰシンターゼ（ｐＳＷ４６−１）の過剰発現を可能にするプラスミドのいずれか、あるいはＨＭＧ  Ｃｏ  Ａリタクターゼ及びＧＧＰＰシンターゼ（ｐＳＷ４６−１）の両方を含むＳＷＥ２３−Ｅ９を先ず最初にＳＣＥ−ｕｒａ培養液を４８時間成長させてプラスミドを選択することによって振動フフラスコ内でテストされた。次にこれらの培養のサンプルをＹＰＤＥ培養液あるいは１００μｇ／ｍｌの濃度でザラゴズ酸を含むＹＰＤＥ培養液内に入れた。ＹＰＤＥ（＋／−ザラゴズ酸）培養を３０℃の温度で４８時間培養して、乾燥細胞重量とファルネソール蓄積について分析した。この実験で得られたデータを表２５に示す。ザラゴズ酸で処理したすべての培養は未処理の培養と比較してより多くのファルネソール蓄積を示した。ＧＧ蓄積についてはこの実験では測定しなかった。
【０３１１】
【表２５】
0004579415.tif 000034
別の実験で、空のベクター（Ｙｅｐ３５２）あるいはＨＭＧ  Ｃｏ  ＡリタクターゼとＧＧＰＰシンターゼ（ｐＳＷ４６−１）の両方の過剰発現を可能にするプラスミドのいずれかを含むＳＷ２３−Ｅ９を振動フラスコ内で先ず最初にＳＣＥ−ｕｒａ培養液内で４８時間それらの系統を成長させてプラスミドを選択させることによってテストした。これらの培養のサンプルをＹＰＤＥ培養液あるいは１００ｍｇ／ｍｌの濃度でザラゴズ酸を含むＹＰＤＥ培養液内に入れた。ＹＰＤＥ（＋／−ザラゴズ酸）培養を３０℃の温度で７２時間培養することで、乾燥細胞重量とＧＧについて分析した。そのデータを表２６に示す。ザラゴズ酸で処理したＳＷＥ２３−Ｅ９／ｐＳＷ４６−１の培養はザラゴズ酸の不在下で成長された同じ系統と比較してより高いレベルのＧＧを示した。これらの実験はステロール生合成経路内に突然変異を含まない系統はスクアレン・シンターゼ阻害剤を用いて経路をブロックすることでファルネソールを蓄積するように誘導することができる。ザラゴズ酸で処理した培養によって蓄積されたファルネソールまたはＧＧの量は完全に欠陥性のｅｒｇ９遺伝子を含んだ系統によって蓄積された量よりずっと少なく、このことはスクアレン・シンターゼの遺伝子的ブロックがスクアレン・シンターゼ阻害剤によって誘発されるブロックより効率的であることを示唆している。
【０３１２】
【表２６】
0004579415.tif 000035
実施例１２
ＦＰＰにつながる別の経路は多数の細菌及び植物内で述べられており、これは非メバロン酸あるいはローマ−経路と称されている(Eisenreich, W., Schwarz, M., Cartayrade, A., Ari goni, D., Zenk, M. H., and Bacher, A., 1998. The Deoxyxylulose Phosphate Pathway of Terpenoid Biosynthesis in Plants and Microorganisms. Chem. Biol. 5: R221-233.  Paseshnichenko, V. A., 1998. A New Alternative Non-Mevalonate Pathway for isoprenoid Biosynt h esis in Eubacteria and Plants. Biochemistry (Mosc) 63:139-148) 。非メバロン酸経路の酵素の一部とそれらの遺伝子は大腸菌で識別、研究されており、これらにはそれぞれｄｘｒ、ｄｘｓ、ｉｄｉ、及びｉｓｐＡ遺伝子でコードされるデオキシキシルロース−５−リン酸・シンターゼ、デオキシキシロース−５−リン酸・リダクターゼ、ＩＰＰイソメラーゼ、及びＦＰＰシンターゼを含んでいる。
【０３１３】
ファルネソール蓄積レベルが上昇した大腸菌の系統を構成するために、上に述べた遺伝子を大腸菌内で過剰発現させるためにプラスミドを構成した。いくつかの例で、公知のイソプレノイド経路に近い追加的遺伝子もクローンされたＤＮＡに含まれていた。
【０３１４】
ＩＰＰイソメラーゼをコードするｉｄｉ遺伝子を以下に示す２つのオリゴヌクレオチドと大腸菌系統Ｗ３１１０から単離されたゲノム性ＤＮＡを用いてＰＣＲ増幅された。ｉｄｉ遺伝子を増幅するために用いられたオリゴヌクレオチドはＧｅｎｅ  Ｂａｎｋ  Ａｃｃｅｓｓｉｏｎ  ＃Ｕ２８３７５の塩基＃４２３０９−＃４２３３５と＃４３６９９−＃４３７２６の逆方向相補部分に対応する配列を含んでいた。小文字は制限エンドヌクレアーゼ認識サイトをつくりだすために変性された塩基を示しており、オリゴヌクレオチド配列の後の括弧内に示す。ＶＥ１４５−５では天然のＥｃｏＲＩサイトが用いられた。
【０３１５】
配列番号：４２
ＶＥ１４５−５    ５' −ＧＧＧＡＴＴＣＧＡＡＴＴＣＴＧＴＣＧＣＧＣＴＧＴＡＡＣ−３'     （ＥｃｏＲＩ）
配列番号：４３
ＶＥ１４６−３    ５' −ＴＧｇｇＡＴＴｃＧＴＡＡＣＧＧＣＴＴＴＡＧＣＧＡＧＣＴＧ−３'     （ＢａｍＨＩ）
【０３１６】
ｉｄｉＰＣＲ産物はＥｃｏＲＩ及びＢａｍＨＩで消化され、ＥｃｏＲＩ、ＢａｍＨＩ消化ｐＵＣ１９内に連結された。得られたクローンをｐＨＳ−０１８２と命名された。
【０３１７】
ｄｘｒ遺伝子を下に示す２つのオリゴヌクレオチドと大腸菌系統Ｗ３１１０から単離されたゲノム性ＤＮＡを用いてＰＣＲ増幅した。ｆｒｒ、ｄｘｒ、及びｙａｅＳ遺伝子を含む領域を増幅するために用いされたオリゴヌクレオチドはＧｅｎｅ  Ｂａｎｋ  ＃Ｄ８３５３６の塩基＃２１３１−＃２１５０と＃５２９７−＃５３１５の逆方向相補部分に対応する配列を含んでいた。
【０３１８】
配列番号：４４
ＤＸＲ１７．ＳＮ    ＣＡＴＴＣＣＣＧＣＴＡＡＧｇＡＴＣｃＣＧ
（ＢａｍＨＩ）
配列番号：４５
ＤＸＲ３１７９．ＡＳＮ    ＣＣＡＧＣＡＴｃｔＡＧＡＣＣＡＣＣＡＧ
（ＸｂａＩ）
得られたＰＣＲ産物をＢａｍＨＩとＸｂａＩによって消化し、ＢａｍＨＩとＸｂａＩで消化したｐＨＳ−０１８２に連結してｐＨＳ−０１８２Ｒを発生させた。
【０３１９】
ｉｓｐＡ及びｄｘｓ遺伝子はｘｓｅＢ及びＹａｊＯと称せられる2 つの他の遺伝子を含んでいる可能性があるオペロンの一部であるように思われる。ＰＣＲを用いて、以下に示すオリゴヌクレオチドと大腸菌系統Ｗ３１１０から単離されたゲノム性を用いて、ｘｓｅＢ、ｉｓｐＡ、ｄｘｓ、及びｙａｊＯを含むＤＮＡの１つの領域を増幅させた。これらのオリゴヌクレオチドはＧｅｎｅ  Ｂａｎｋ  Ａｃｃｅｓｓｉｏｎ＃ＡＥ０００１４８の塩基＃４１５７−＃４１８３に対応する配列と＃８９３８−＃４８９５６の逆方向相補部分に対応する配列を含んでいた。
【０３２０】
配列番号：４６
ＤＸＳ．５６１９  ５' −ｇａｃｔｇｃａｇＣＴＧＧＣＣＧＣＴＧＧＧＴＡＴＴＣＴＧＴＣＧＴＡＧＴＴ−３'
（ＰｓｔＩ）
配列番号：４７
ＤＸＳ．８２０Ｘ    ５' −ｇａｔｃｔａｇａＴＣＡＣＧＣＧＴＡＣＧＣＡＧＡＡＧＧＴＴＴＴＧＣ−３'       （ＸｂａＩ）
【０３２１】
得られたＰＣＲ産物をＸｂａＩ及びＰｓｔＩで消化して、ＸｂａＩ、ＰｓｔＩ消化ｐＵＣ１９に連結させてｐＨＳ−ｄｘｓを発生させた。
ｄｘｓ遺伝子を含むＤＮＡフラグメントはＸｂａＩ及びＰｓｔＩを用いてｐＨＳ−ｄｘｓから切断して、ＸｂａＩ、ＰｓｔＩ消化ｐＨＳ−０１８２Ｒに連結させてｄｘｓ、ｄｘｒ、ｉｓｐＡ、そしてｉｄｉを含むプラスミドを発生させる。得られた。得られたプラスミドを大腸菌内に形質転換されて、そのプラスミドを含む形質転換された系統を振動フラスコ及び発酵実験でファルネソールの生産について調べる。
【０３２２】
ＧＧの蓄積レベルが上昇した大腸菌の系統を構成するために、大腸菌内でエルウィニア・ハービコラからのＧＧＰＰシンターゼを過剰させるためにプラスミドを構成した。ＧＧＰＰシンターゼをコードするｃｒｔＥ遺伝子をエルウィニア・ハービコラ系統Ｅｃｏ１０から単離されたゲノム性ＤＮＡと以下の２つのオリゴヌクレオチドを用いてＰＣＲで増幅させた。これらのオリゴヌクレオチドはＧｅｎｅ  Ｂａｎｋ  Ａｃｃｅｓｓｉｏｎ  ＃Ｍ８７２８０の塩基＃３５３１−＃３５３１に対応する配列と塩基＃４４５９−＃４４８１の逆方向相補部分に対応する配列を有していた。
【０３２３】
配列番号：４８
Ｅｈｏ１０Ｅ  Ｕｐ  ５' −ｇａａｔｔｃＣＡＡＴＴＣＡＧＣＧＧＧＴＡＡＣＣＴＴ−３'     （ＥｃｏＲＩ）
配列番号：４９
Ｅｈｏ１０Ｅ  Ｌｏ  ５' −ａａｇｃｔｔＴＧＣＴＴＧＡＡＣＣＣＡＡＡＡＧＧＧＴＡ−３'     （ＨｉｎｄＩＩＩ）
【０３２４】
得られたＰＣＲ産物をＥｃｏＲＩとＨｉｎｄＩＩＩで消化して、ｃｔｒＥ遺伝子の発現がＴ７プロモータによって制御されるようにｐＥＴ２４ｄ（＋）（Novagen ）に連結させた。得られたプラスミドはｐＫＬ１９−６３と命名された。このプラスミドはＴ７ポリメラーゼをコードするＩＰＴＧを含む（Novagen から入手できる）ＢＬ２１（ＤＥ３）などの大腸菌系統に形質転換させることができる。これによって、この系統におけるｃｒｔＥ遺伝子のＩＰＴＧ誘発を可能にしてくれる。Ｔ７プロモータ／ｃｒｔＥ遺伝子融合体をＢｇＩＩＩとＨｉｎｄＩＩＩを用いてｐＫＬ１９−６３から切り離して、ＢａｍＨＩとＨｉｎｄＩＩＩで消化したｐＡＣＹＣ１８４（Ａｃｃｅｓｓｉｏｎ  ＃Ｘ０６４０３）に連結させ、選択のためにクロラムフェニコール抵抗に依存したプラスミドを構成することができる。このプラスミドはｐ１５Ａ複製発生源を含んでおり、上に述べた大腸菌イソプレノイド経路遺伝子を含むクローンなどのＣｏ１Ｅ１複製発生源を含むプラスミドとの共存し得るであろう。これら後者のプラスミドはアンピシリン抵抗を伝え、そして、両方のプラスミドを有する大腸菌を形質転換させてクロラムフェニコールとアンピシリンに対する抵抗性で選択することによってｃｒｔＥプラスミドとｄｘｓ、ｄｘｒ、ｉｄｉ、及びｉｓｐＡ遺伝子を含むプラスミドの両方を保有する形質転換体を得ることができる。従って、デオキシキシルロース−５−リン酸・シンターゼ、デオキシキシルロース−５−リン酸・リダクトイソメラーゼ、ＩＰＰイソメラーゼ、ＦＰＰシンターゼ、及びＧＧＰＰシンターゼを過剰発現するプラスミドを含む大腸菌ＢＬ２１（ＤＥ３）の系統を得ることができる。これらの系統を振動フラスコと発酵実験でＧＧの生産に関してテストする。
【０３２５】
実施例１３
以下の例では、非メバロン酸経路酵素に対応した酵素を発現することでファルネソール及びＧＧのレベルが向上するように操作されたサッカロマイセス・セレビシアエの系統の構成について述べる。
【０３２６】
ＩＰＰの生合成は多くの細菌及び植物において、ピルビン酸及びグリセルアルデヒド−３−から始まり、非メバロン酸経路として知られる一連の酵素的ステップを通じて進行し、そして、酵素デオキシキシルロース−５−リン酸・シンターゼ及びデオキシキシルロース−５−リン酸・リダクトイソメラーゼを含んでいる。これら２つの酵素ステップから得られる化合物は２−Ｃ−メチル−Ｄ−エリスリトール  ４−リン酸（ＭＥＰという名でも知られている）で、これはさらに未知の酵素で代謝されてＩＰＰを発生させる。酵母で大腸菌ｄｘｓ及びｄｘｒ遺伝子をこれらの遺伝子のコード領域を酵母での発現を可能にしてくれるプロモータ要素に融合させることによっては発現させるプラスミドが構成される。ｄｘｓとｄｘｒ遺伝子はＡＤＨ１プロモータ、ＰＧＫプロモータ、あるいはＧＰＤプロモータなどのプロモータを含む酵母発現ベクターへのクローニングを可能にする制限サイトを含むオリゴヌクレオチドを用いたＰＣＲを用いて増幅される。次にこれら２つの遺伝子融合体を１つの遺伝子融合体を他方のプラスミドにサブクローニングすることにより１つのプラスミドに結合する。次に得られた両方の遺伝子を含むプラスミドを酵母のｅｒｇ９突然変異体に形質転換する。得られた系統はＭＥＰを合成することができ、それはさらにＩＰＰに対して望ましい反応を行うことができる内発酵素によってＩＰＰに代謝されることができる。この能力はＩＰＰの蓄積を増大させ、これは内発性ＩＰＰイソメラーゼ及びＦＰＰシンターゼ・酵素の作用を通じてより高いレベルでのファルネソールの細胞内での蓄積を可能にしてくれる。ＧＧＰＰシンターゼを過剰発現する系統でこれを行うと、より高いレベルのＧＧがこれらの系統に蓄積される可能性がある。
【０３２７】
実施例１４
この例では、変性された生成物特性を示すＦＰＰシンターゼ酵素をコードする突然変異されたＥＲＧ２０遺伝子を過剰発現するサッカロマイセス・セレビシアエの系統の構成について述べる。野生種ＦＰＰシンターゼを過剰発現する系統とは違って、形質転換されたＦＰＰシンターゼを発現する系統はファルネソールよりＧＧをより多く蓄積した。
【０３２８】
種々の生物から得たＦＰＰシンターゼのアミノ酸配列を比較してみると、触媒活性に基本的に必要な２つのアスパラギン酸塩を多量に含むいくつかの高度に保存された領域が明らかになった。研究者達は最初のアスパラギン酸塩を多量に含む領域の前の５番目の位置に配置されたアミノ酸に影響を及ぼす突然変異がその酵素の生成物特性を、その酵素がＧＧＰＰ及びＦＰＰの形成を容易に触媒できるように変性させている可能性があると報告している。これは禽類及びバシラス・ステアロテルモフィラスＦＰＰシンターゼの両方で示されている。(Tarshis, L.C., Proteau, P. J., Kellogg, B. A., Sacchettini, J. C., Poulter, C. D.  1996. Regulation of Product Chain Length by Isoprenyl Diphosphate Synthases. Proc. Natl. Acad. Sci. USA 93:15018-15023; Ohnuma, S., Narita, K., Nakazawa, T., Ishida, C., Takeuchi, Y., Ohto, C., and Nichino, T. 1996. A Role of the Amino Acid Residue Locat e d on the Fifth Position Before the First Aspartate-rich Motif of Farnesyl Diphosphate Synthase on Determination of the Final Product. J. Biol. Chem. 271:30748-30754; U.S. Patent 5,766,911) 。バシラス酵素の場合は、最初のアスパラギン酸塩領域の前の５番目の位置のアミノ酸がチロシンからセリンに変えられていた。上記禽類酵素はこの位置にフェニルアラニンを含んでいる。その位置の芳香性アミノ酸がイソフェニル鎖が１５の炭素原子以上に延長するのを阻止すること、そして、その制限がフェニルアラニンをセリンなどのより体積の少ないアミノ酸に置換することで緩和される可能性があることが考えられる。
【０３２９】
上に述べたバシラスＦＰＰシンターゼの場合と同様、サッカロマイセス・セレビシアエから得られたＦＰＰシンターゼは最初のアスパラギン酸塩を豊富に含む領域より前の５番目の位置にチロシンを有している。特定のサイトでの突然変異誘発を用いてその位置でチロシンではなくセリンをコードするようにＥＲＧ２０遺伝子の配列を変えた。この突然変異を導入するために用いられた方法は望ましい突然変異を導入した突然変異誘発性オリゴヌクレオチドを用いてｐＪＭＢ１９−３１全体をＰＣＲ増幅に基づいて行われ、Quikchange  Site−Directed  Mutagenesis キット（Stratagen ）に関する説明用小冊子にその概要が述べられている。これらのオリゴヌクレオチドはＧｅｎｅ  Ｂａｎｋ  Ａｃｃｅｓｓｉｏｎ  ＃Ｊ０５０９１の塩基＃１０６３−＃１０９７と塩基＃１０６３−＃１０９７の逆方向相補部分に対応する配列を有していた。これらのオリゴヌクレオチドの配列を以下に示し、変化した部分は小文字で示す。コードされるアミノ酸をチロシンからセリンに変更するために＃１０８４の位置でＡからＴへの変更が行われた。
【０３３０】
また、新しいＰｓｔＩサイトをつくりだすために位置＃１０７４でＴからＣへの変更が行われ、これによって突然変異体遺伝子の迅速な識別が可能になった。この後の方の突然変異はコードされるアミノ酸は変えないという意味で何の影響も及ぼさなかった。
【０３３１】
配列番号：５０
Ｙ９５Ｓ−ＳＮ    ５' −ＧＣＡＴＴＧＡＧＴＴＧｃＴＧＣＡＧＧＣＴＴｃＣＴＴＣＴＴＧＧＴＣＧＣＣ−３'
配列番号：５１
Ｙ９５Ｓ−ＡＳＮ  ５' −ＧＧＣＧＡＣＣＡＡＧａａＧｇＡＡＧＣＣＴＧＣＡｇＣＡＡＣＴＣＡＡＴＧＣ−３'
【０３３２】
２つのオリゴヌクレオチドを用いてｐＪＭＢ１９−３１を増幅し、得られたＰＣＲ産物をそれ自体に連結させて環状プラスミドを改良し、ＥＲＧ２０遺伝子が望ましい突然変異を持つようにした。得られたプラスミドをｐＨ３１．Ｙ９５Ｓと命名し、さらにこのプラスミドをｅｒｇ９突然変異体系統ＳＷＥ２３−ＤＥ９１に形質転換させてＳＷＥ２３−ＤＥ９１／ｐＨ３１．Ｙ９５Ｓを形成した。
【０３３３】
野生種ＥＲＧ２０遺伝子と突然変異されたＥＲＧ２０遺伝子を過剰発現する系統によるファルネソールとＧＧ生産を比較するために振動フラスコ実験を行った。これらの系統をＳＣＥ−ｕｒａ上で一昼夜成長させ、これをＹＰＤＥ培地を含むフラスコに入れた。これらの培養を３０℃の温度下で７２時間成長させ、その後取り出して乾燥細胞重量とイソプレノイドに関する分析を行った。この実験で得られたデータを表２７に示す。
【０３３４】
【表２７】
0004579415.tif 000036
これらのデータはファルネソール：ＧＧ比率がｅｒｇ９突然変異体系統におけるｔｙｒからｓｅｒに変えられた突然変異体の過剰生産によって劇的に変わってしまうことを示している。突然変異体ＥＲＧ２０遺伝子を過剰発現する系統は野生種ＥＲＧ２０遺伝子を過剰発現する系統と比較して比例的により多くのＧＧ生産を示した。さらに、突然変異体ＥＲＧ２０を過剰発現する系統でつくりだされるＧＧの総量は野生種ＥＲＧ２０遺伝子を過剰発現する系統と比較してより多かったが、ファルネソールの総量はより少なかった。ファルネソール・レベルの低下はＧＧの生産量に完全に反映されてはおらす、このことはＦＰＰの一部がＧＧ以外の別の化合物に転化されてしまう可能性を示唆している。また、フィードバック抑制がこれらの系統によって蓄積されるＧＧの量の規制において一定の役割を担っている可能性もある。
【０３３５】
本発明についての以上の説明は説明及び図示のためのものである。さらに、上記説明は本発明をここに述べられている形態だけに限定することも意図していない。従って、上に述べた教示や関連分野の技術及び知識に基づいて行われる変更や改良も本発明の範囲内である。さらに、上に述べた実施の形態は本発明を実施するための最良の形態を説明し、当業者がそうした、あるいは他の実施の形態で、そして本発明の具体的な適用や使用によって得られる種々の改良を含めて本発明を利用できるようにするためのものである。添付請求項は先行技術において可能な範囲で別な実施の形態も含めて解釈されるものとする。
【図面の簡単な説明】
【図１Ａ】メバロン酸依存イソプレノイド生合成経路を示す概略図。
【図１Ｂ】メバロン酸非依存イソプレノイド生合成経路を示す概略図。
【図２】ゲラニルゲラニオールからビタミンＥを化学合成する経路の一実施形態を示す図。
【図３】ファルネソールからビタミンＥを化学合成する経路の一実施形態を示す図。
【図４】ＭＢＮＡ−１３株から誘導された株の増殖及びファルネソール産生量を示す図。
【図５】野生型であるｅｒｇ９及び修復されたＥＲＧ９株の増殖を示す図。
【図６】ＨＭＧ  ＣｏＡリダクターゼの生成が増幅された微生物におけるファルネソールの産生量を示す図。
【図７】ＧＧＰＰシンターゼを過剰発現している株におけるファルネソール及びＧＧの産生量を示す図。
【図８】ＦＰＰシンターゼの増幅された生成がファルネソール及びＧＧ生成に与える影響を示す図。
【図９】イソプレノール及びプレノールからファルネソールへの代謝転換の経路を示す図。
【図１０】ファルネソールからビタミンＡの酢酸塩を生成するための化学合成の一経路を示す一実施形態を示す図。
【図１１】ファルネソールからビタミンＡの酢酸塩を生成するための化学合成の別の一経路を示す一実施形態を示す図。
【図１２】カルボニル共役反応を利用してレチナールからβ−カロチンを調製する方法を示す図。
【図１３】アルキル化反応を利用してβ−カロチンを調製する方法を示す図。
【配列表】
0004579415.tif 000037
0004579415.tif 000038
0004579415.tif 000039
0004579415.tif 000040
0004579415.tif 000041
0004579415.tif 000042
0004579415.tif 000043
0004579415.tif 000044
0004579415.tif 000045
0004579415.tif 000046
0004579415.tif 000047
0004579415.tif 000048
0004579415.tif 000049
0004579415.tif 000050
0004579415.tif 000051
【図１Ａ（１）】
0004579415.tif 000052
【図１Ａ（２）】
0004579415.tif 000053
【図１Ａ（３）】
0004579415.tif 000054
【図１Ａ（４）】
0004579415.tif 000055
【図１Ｂ（１）】
0004579415.tif 000056
【図１Ｂ（２）】
0004579415.tif 000057
【図１Ｂ（３）】
0004579415.tif 000058
【図１Ｂ（４）】
0004579415.tif 000059
【図２】
0004579415.tif 000060
【図３】
0004579415.tif 000061
【図４】
0004579415.tif 000062
【図５】
0004579415.tif 000063
【図６】
0004579415.tif 000064
【図７】
0004579415.tif 000065
【図８】
0004579415.tif 000066
【図９（１）】
0004579415.tif 000067
【図９（２）】
0004579415.tif 000068
【図１０】
0004579415.tif 000069
【図１１】
0004579415.tif 000070
【図１２】
0004579415.tif 000071
【図１３】
0004579415.tif 000072